(57)【特許請求の範囲】
【請求項１】
ユーザ機器（ＵＥ）によって、事前に構成されたダウンリンクサブフレームセット内のダウンリンクサブフレーム内で、ダウンリンク共有チャネルを使用することによってアクセスネットワークデバイスによって送信されるダウンリンクデータと、ダウンリンク制御チャネルを使用することによって前記アクセスネットワークデバイスによって送信されるダウンリンク割当てインデックス（ＤＡＩ）インデックスインジケータおよびＤＡＩ総量インジケータとを受信するステップと、
前記ＵＥによって、前記ダウンリンク共有チャネルに対応するフィードバック情報を送信するのに使用されるアップリンクサブフレームを判定するステップであって、前記事前に構成されたダウンリンクサブフレームセットは、前記アップリンクサブフレームに関連する、前記ＵＥのために事前に構成された複数のキャリアのすべてのダウンリンクサブフレームからなるセットである、判定するステップと、
前記ＵＥによって、前記ＤＡＩインデックスインジケータおよび前記ＤＡＩ総量インジケータに従って前記フィードバック情報のコードブックを判定するステップであって、前記コードブックは、リアルタイムスケジューリングダウンリンクサブフレームサブセット内のすべてのダウンリンクサブフレームに対応し、前記リアルタイムスケジューリングダウンリンクサブフレームサブセットは、前記アクセスネットワークデバイスによって実際にスケジューリングされるダウンリンクサブフレームからなるセットであり、前記リアルタイムスケジューリングダウンリンクサブフレームサブセットは、前記事前に構成されたダウンリンクサブフレームセットに属する、判定するステップと、
前記ＵＥによって、前記コードブックに従って前記フィードバック情報に対してチャネルコーディングを実行するステップと、
前記ＵＥによって、前記アップリンクサブフレーム内で、チャネルコーディングが実行された前記フィードバック情報を前記アクセスネットワークデバイスに送信するステップと
を含み、
前記リアルタイムスケジューリングダウンリンクサブフレームサブセット内の各ダウンリンクサブフレームに対応するＤＡＩインデックスインジケータの値は、前記リアルタイムスケジューリングダウンリンクサブフレームサブセット内のサブフレームに対して予め設定された順序で累積カウントを実行することによって入手されるカウント値であり、前記リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と過去の量との和であり、前記現在の量は、前記現在のサブフレームシーケンス番号に対応する前記第１の順序組合せ内の前記ダウンリンクサブフレーム内でスケジューリングされるダウンリンク共有チャネルの総量であり、前記過去の量は、前記リアルタイムスケジューリングダウンリンクサブフレームサブセット内の前記現在のサブフレームシーケンス番号のサブフレーム瞬間の前のすべてのダウンリンクサブフレームのサブフレームシーケンス番号に別々に対応する前記第１の順序組合せ内の各ダウンリンクサブフレーム内でスケジューリングされるダウンリンク共有チャネルの総量である、フィードバック情報を送信する方法。
【請求項２】
前記予め設定された順序は、第１の予め設定された順序で前記リアルタイムスケジューリングダウンリンクサブフレームサブセット内の同一のシーケンス番号を有するダウンリンクサブフレームを配置し、各サブフレームシーケンス番号に対応する第１の順序組合せを入手することと、その後、第２の予め設定された順序で各サブフレームシーケンス番号に対応する前記第１の順序組合せを配置することとによって入手される順序であり、前記第１の予め設定された順序は、キャリアシーケンス番号の昇順またはキャリアシーケンス番号の降順であり、前記第２の予め設定された順序は、サブフレーム瞬間の前から後ろへの順序またはサブフレーム瞬間の後ろから前への順序である請求項１に記載のフィードバック情報を送信する方法。
【請求項３】
アクセスネットワークデバイスによって、ダウンリンク共有チャネルを使用することによってユーザ機器（ＵＥ）にダウンリンクデータを送信し、複数のキャリアのリアルタイムスケジューリングダウンリンクサブフレームサブセット内のダウンリンクサブフレーム内でスケジューリングされるダウンリンク制御チャネルを使用することによってダウンリンク割当てインデックス（ＤＡＩ）インデックスインジケータおよびＤＡＩ総量インジケータを前記ＵＥに送信することで、前記ＵＥに、前記ＤＡＩインデックスインジケータおよび前記ＤＡＩ総量インジケータに従ってフィードバック情報のコードブックを判定するよう指示するステップであって、前記リアルタイムスケジューリングダウンリンクサブフレームサブセットは、前記アクセスネットワークデバイスによって実際にスケジューリングされるダウンリンクサブフレームからなるセットであり、前記フィードバック情報の前記コードブックは、前記リアルタイムスケジューリングダウンリンクサブフレームサブセット内のすべてのダウンリンクサブフレームに対応し、前記フィードバック情報の前記コードブックは、前記ＵＥが前記フィードバック情報に対してチャネルコーディングを実行するための基礎である、ステップと、
前記アクセスネットワークデバイスによって、アップリンクサブフレーム内で、前記ＵＥによって送信される、チャネルコーディングが実行された前記フィードバック情報を受信するステップと
を含み、
前記リアルタイムスケジューリングダウンリンクサブフレームサブセット内の各ダウンリンクサブフレームに対応するＤＡＩインデックスインジケータの値は、前記リアルタイムスケジューリングダウンリンクサブフレームサブセット内のサブフレームに対して予め設定された順序で累積カウントを実行することによって入手されるカウント値であり、前記リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と過去の量との和であり、前記現在の量は、前記現在のサブフレームシーケンス番号に対応する前記第１の順序組合せ内の前記ダウンリンクサブフレーム内でスケジューリングされるダウンリンク共有チャネルの総量であり、前記過去の量は、前記リアルタイムスケジューリングダウンリンクサブフレームサブセット内の前記現在のサブフレームシーケンス番号のサブフレーム瞬間の前のすべてのダウンリンクサブフレームのサブフレームシーケンス番号に別々に対応する前記第１の順序組合せ内の各ダウンリンクサブフレーム内でスケジューリングされるダウンリンク共有チャネルの総量である、フィードバック情報を受信する方法。
【請求項４】
前記予め設定された順序は、第１の予め設定された順序で前記リアルタイムスケジューリングダウンリンクサブフレームサブセット内の同一のシーケンス番号を有するダウンリンクサブフレームを配置し、各サブフレームシーケンス番号に対応する第１の順序組合せを入手することと、その後、第２の予め設定された順序で各サブフレームシーケンス番号に対応する前記第１の順序組合せを配置することとによって入手される順序であり、前記第１の予め設定された順序は、キャリアシーケンス番号の昇順またはキャリアシーケンス番号の降順であり、前記第２の予め設定された順序は、サブフレーム瞬間の前から後ろへの順序またはサブフレーム瞬間の後ろから前への順序である請求項３に記載のフィードバック情報を受信する方法。
【請求項５】
ユーザ機器（ＵＥ）であって、前記ＵＥは、
事前に構成されたダウンリンクサブフレームセット内のダウンリンクサブフレーム内で、ダウンリンク共有チャネルを使用することによってアクセスネットワークデバイスによって送信されるダウンリンクデータと、ダウンリンク制御チャネルを使用することによって前記アクセスネットワークデバイスによって送信されるダウンリンク割当てインデックス（ＤＡＩ）インデックスインジケータおよびＤＡＩ総量インジケータとを受信するように構成された受信ユニットと、
前記ダウンリンク共有チャネルに対応するフィードバック情報を送信するのに使用されるアップリンクサブフレームを判定するように構成され、前記事前に構成されたダウンリンクサブフレームセットは、前記アップリンクサブフレームに関連する、前記ＵＥのために事前に構成された複数のキャリアのすべてのダウンリンクサブフレームからなるセットであり、前記ＤＡＩインデックスインジケータおよび前記ＤＡＩ総量インジケータに従って前記フィードバック情報のコードブックを判定するように構成された判定ユニットであって、前記コードブックは、リアルタイムスケジューリングダウンリンクサブフレームサブセット内のすべてのダウンリンクサブフレームに対応し、前記リアルタイムスケジューリングダウンリンクサブフレームサブセットは、前記アクセスネットワークデバイスによって実際にスケジューリングされるダウンリンクサブフレームからなるセットであり、前記リアルタイムスケジューリングダウンリンクサブフレームサブセットは、前記事前に構成されたダウンリンクサブフレームセットに属する、判定ユニットと、
前記判定ユニットによって判定された前記コードブックに従って前記フィードバック情報に対してチャネルコーディングを実行するように構成された符号化ユニットと、
前記アップリンクサブフレーム内で、チャネルコーディングが実行された前記フィードバック情報を前記アクセスネットワークデバイスに送信するように構成された送出ユニットと
を含み、
前記リアルタイムスケジューリングダウンリンクサブフレームサブセット内の各ダウンリンクサブフレームに対応するＤＡＩインデックスインジケータの値は、前記リアルタイムスケジューリングダウンリンクサブフレームサブセット内のサブフレームに対して予め設定された順序で累積カウントを実行することによって入手されるカウント値であり、前記リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と過去の量との和であり、前記現在の量は、前記現在のサブフレームシーケンス番号に対応する前記第１の順序組合せ内の前記ダウンリンクサブフレーム内でスケジューリングされるダウンリンク共有チャネルの総量であり、前記過去の量は、前記リアルタイムスケジューリングダウンリンクサブフレームサブセット内の前記現在のサブフレームシーケンス番号のサブフレーム瞬間の前のすべてのダウンリンクサブフレームのサブフレームシーケンス番号に別々に対応する前記第１の順序組合せ内の各ダウンリンクサブフレーム内でスケジューリングされるダウンリンク共有チャネルの総量である、ＵＥ。
【請求項６】
前記予め設定された順序は、第１の予め設定された順序で前記リアルタイムスケジューリングダウンリンクサブフレームサブセット内の同一のシーケンス番号を有するダウンリンクサブフレームを配置し、各サブフレームシーケンス番号に対応する第１の順序組合せを入手することと、その後、第２の予め設定された順序で各サブフレームシーケンス番号に対応する前記第１の順序組合せを配置することとによって入手される順序であり、前記第１の予め設定された順序は、キャリアシーケンス番号の昇順またはキャリアシーケンス番号の降順であり、前記第２の予め設定された順序は、サブフレーム瞬間の前から後ろへの順序またはサブフレーム瞬間の後ろから前への順序である請求項５に記載のＵＥ。
【請求項７】
アクセスネットワークデバイスであって、前記アクセスネットワークデバイスは、
ダウンリンク共有チャネルを使用することによってユーザ機器（ＵＥ）にダウンリンクデータを送信し、複数のキャリアのリアルタイムスケジューリングダウンリンクサブフレームサブセット内のダウンリンクサブフレーム内でスケジューリングされるダウンリンク制御チャネルを使用することによってダウンリンク割当てインデックス（ＤＡＩ）インデックスインジケータおよびＤＡＩ総量インジケータを前記ＵＥに送信することで、前記ＵＥに、前記ＤＡＩインデックスインジケータおよびＤＡＩ総量インジケータに従ってフィードバック情報のコードブックを判定するように指示するように構成された送信ユニットであって、前記リアルタイムスケジューリングダウンリンクサブフレームサブセットは、前記アクセスネットワークデバイスによって実際にスケジューリングされるダウンリンクサブフレームからなるセットであり、前記フィードバック情報の前記コードブックは、前記リアルタイムスケジューリングダウンリンクサブフレームサブセット内のすべてのダウンリンクサブフレームに対応し、前記フィードバック情報の前記コードブックは、前記ＵＥが前記フィードバック情報に対してチャネルコーディングを実行するための基礎である、送出ユニットと、
アップリンクサブフレーム内で、前記ＵＥによって送信される、チャネルコーディングが実行された前記フィードバック情報を受信するように構成された受信ユニットと
を含み、
前記リアルタイムスケジューリングダウンリンクサブフレームサブセット内の各ダウンリンクサブフレームに対応するＤＡＩインデックスインジケータの値は、前記リアルタイムスケジューリングダウンリンクサブフレームサブセット内のサブフレームに対して予め設定された順序で累積カウントを実行することによって入手されるカウント値であり、前記リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と過去の量との和であり、前記現在の量は、前記現在のサブフレームシーケンス番号に対応する前記第１の順序組合せ内の前記ダウンリンクサブフレーム内でスケジューリングされるダウンリンク共有チャネルの総量であり、前記過去の量は、前記リアルタイムスケジューリングダウンリンクサブフレームサブセット内の前記現在のサブフレームシーケンス番号のサブフレーム瞬間の前のすべてのダウンリンクサブフレームのサブフレームシーケンス番号に別々に対応する前記第１の順序組合せ内の各ダウンリンクサブフレーム内でスケジューリングされるダウンリンク共有チャネルの総量である、アクセスネットワークデバイス。
【請求項８】
前記予め設定された順序は、第１の予め設定された順序で前記リアルタイムスケジューリングダウンリンクサブフレームサブセット内の同一のシーケンス番号を有するダウンリンクサブフレームを配置し、各サブフレームシーケンス番号に対応する第１の順序組合せを入手することと、その後、第２の予め設定された順序で各サブフレームシーケンス番号に対応する前記第１の順序組合せを配置することとによって入手される順序であり、前記第１の予め設定された順序は、キャリアシーケンス番号の昇順またはキャリアシーケンス番号の降順であり、前記第２の予め設定された順序は、サブフレーム瞬間の前から後ろへの順序またはサブフレーム瞬間の後ろから前への順序である請求項７に記載のアクセスネットワークデバイス。
【請求項９】
記録されたプログラムを有するコンピュータ読み取り可能な記録媒体であって、前記プログラムは、コンピュータに請求項１または２に記載の方法を実行させる、コンピュータ読み取り可能な記録媒体。
【請求項１０】
記録されたプログラムを有するコンピュータ読み取り可能な記録媒体であって、前記プログラムは、コンピュータに請求項３または４に記載の方法を実行させる、コンピュータ読み取り可能な記録媒体。
【請求項１１】
相互に通信するユーザ機器（ＵＥ）およびアクセスネットワークデバイスを備えた通信システムであって、前記ＵＥは請求項１または２に記載の方法を実行し、前記アクセスネットワークデバイスは請求項３または４に記載の方法を実行する、通信システム。
【発明の詳細な説明】
【技術分野】
【０００１】
本発明は、通信技術の分野に関し、具体的には、フィードバック情報を送信し、受信する方法、ユーザ機器、およびアクセスネットワークデバイスに関する。
【背景技術】
【０００２】
モバイル通信技術の開発に伴って、ＬＴＥ（Ｌｏｎｇ  Ｔｅｒｍ  Ｅｖｏｌｕｔｉｏｎ、ロングタームエボリューション）は、新しい技術および変調方法によって、ワイヤレスネットワークのデータ送信能力およびデータ送信測度を改善し続ける。ＵＥのデータ送信レートを改善するために、ＬＴＥは、現在、ＣＡ（Ｃａｒｒｉｅｒ  Ａｇｇｒｅｇａｔｉｏｎ、キャリアアグリゲーション）技術をサポートする。ＣＡ技術では、具体的には、アクセスネットワークデバイスは、キャリアアグリゲーションをサポートするＵＥに関して複数のキャリアを構成して、アップリンク通信およびダウンリンク通信を実行し、ＵＥがより高いデータレートでの送信をサポートすることを可能にする。
【０００３】
ＣＡが実行されている時に、アクセスネットワークデバイスは、複数の同期キャリアをＵＥに送信し、ＵＥは、各キャリアのＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）を検出し、ＰＤＣＣＨは、ＰＤＳＣＨ（Ｐｈｙｓｉｃａｌ  Ｄｏｗｎｌｉｎｋ  Ｓｈａｒｅｄ  Ｃｈａｎｎｅｌ、物理ダウンリンク共有チャネル）のスケジューリング情報を搬送する。ＵＥがＰＤＳＣＨを受信した後に、復号が正しい場合には、ＵＥは、ＰＵＣＣＨ（Ｐｈｙｓｉｃａｌ  Ｕｐｌｉｎｋ  Ｃｏｎｔｒｏｌ  Ｃｈａｎｎｅｌ、物理アップリンク制御チャネル）上でＡＣＫ（ＡＣＫｎｏｗｌｅｄｇｅ、肯定応答）をアクセスネットワークデバイスにフィードバックし、復号が不正である場合には、ＵＥは、ＰＵＣＣＨ上でＮＡＣＫ（ＮＡＣＫｎｏｗｌｅｄｇｅ、否定応答）をアクセスネットワークデバイスにフィードバックする。ＡＣＫ／ＮＡＣＫがアクセスネットワークデバイスにフィードバックされる時に、ＡＣＫ／ＮＡＣＫコードブックが生成される必要がある。ＡＣＫ／ＮＡＣＫコードブックは、コーディングが特定の順序に従って配置される前のＡＣＫ／ＮＡＣＫのビットストリームである。ＵＥによって実際に受信されるＰＤＳＣＨのダウンリンクサブフレームに対応するＡＣＫ／ＮＡＣＫビットに関して、ＡＣＫまたはＮＡＣＫは、正しい受信または不正な受信のＡＣＫまたはＮＡＣＫのフィードバックに従ってセットされ得る。スケジューリングされないか受信されないダウンリンクサブフレームに対応するＡＣＫ／ＮＡＣＫビットに関して、ＮＡＣＫがパディングされる必要がある。
【０００４】
しかし、ＬＴＥ技術の継続的開発に伴って、相対的に大量のキャリアがＵＥのために構成される必要があり得るが、ＵＥによって実際にスケジューリングされる多数のキャリアが必ずあるわけではない。現在のネットワークで２つのメインストリームＴＤＤアップリンク／ダウンリンク構成がある例が、使用される。１つのキャリアのアップリンクサブフレーム２が、４つのＡＣＫ／ＮＡＣＫビットのフィードバックをサポートする。したがって、３２個のキャリアがそれに関して構成されるアップリンクサブフレーム２は、１２８個のＡＣＫ／ＮＡＣＫビットのフィードバックをサポートする。しかし、ＵＥが、実際には１０個のキャリアだけをスケジューリングすることがある、すなわち、ＵＥによって実際にスケジューリングされるダウンリンクサブフレームが、４０個のＡＣＫ／ＮＡＣＫビットに対応する。ＡＣＫ／ＮＡＣＫコードブックの生成中に、ＮＡＣＫパディングは、スケジューリングされないダウンリンクサブフレームに対応する１２８−４０＝８８個のＡＣＫ／ＮＡＣＫビットに関して実行される必要があり、さらに、生成されるＡＣＫ／ＮＡＣＫコードブックが、アクセスネットワークデバイスに送信される必要がある。現在判定されているＡＣＫ／ＮＡＣＫコードブックを使用する方式において、大量のＮＡＣＫパディングが発生し、相対的に大量のＰＵＣＣＨリソースを占有し、低いアップリンクリソース利用をもたらすことが、知られ得る。
【発明の概要】
【０００５】
本発明の実施形態は、フィードバック情報を送信するのに使用されるアップリンクリソースの低い利用の問題を解決するために、フィードバック情報を送信し、受信する方法、ユーザ機器、およびアクセスネットワークデバイスを提供する。
【０００６】
第１の態様によれば、本発明の実施形態は、
ユーザ機器ＵＥによって、事前に構成されたダウンリンクサブフレームセット内のダウンリンクサブフレーム内で、ダウンリンク共有チャネルを使用することによってアクセスネットワークデバイスによって送信されるダウンリンクデータと、ダウンリンク制御チャネルを使用することによってアクセスネットワークデバイスによって送信されるダウンリンク割当てインデックスＤＡＩインデックスインジケータおよびＤＡＩ総量インジケータとを受信するステップと、
ＵＥによって、ダウンリンク共有チャネルに対応するフィードバック情報を送信するのに使用されるアップリンクサブフレームを判定するステップであって、事前に構成されたダウンリンクサブフレームセットは、アップリンクサブフレームに関連する、ＵＥのために事前に構成されたすべてのキャリアのすべてのダウンリンクサブフレームからなるセットである、判定するステップと、
ＵＥによって、ＤＡＩインデックスインジケータおよびＤＡＩ総量インジケータに従ってフィードバック情報のコードブックを判定するステップであって、コードブックは、リアルタイムスケジューリングダウンリンクサブフレームサブセット内のすべてのまたはいくつかのダウンリンクサブフレームに対応し、リアルタイムスケジューリングダウンリンクサブフレームサブセットは、アクセスネットワークデバイスによって実際にスケジューリングされるダウンリンクサブフレームからなるセットであり、リアルタイムスケジューリングダウンリンクサブフレームサブセットは、事前に構成されたダウンリンクサブフレームセットに属し、または、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得、しかし、パディングＮＡＣＫが含まれるかどうかにかかわりなく、ＨＡＲＱ−ＡＣＫコードブック内のビットの量は、事前に構成されたダウンリンクサブフレームセットに対応するＨＡＲＱ−ＡＣＫ内のビットの量未満である必要があることに留意されたく、任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る、判定するステップと、
ＵＥによって、コードブックに従ってフィードバック情報に対してチャネルコーディングを実行するステップと、
ＵＥによって、アップリンクサブフレーム内で、チャネルコーディングがそれに対して実行されたフィードバック情報をアクセスネットワークデバイスに送信するステップと
を含む、フィードバック情報を送信する方法を提供する。
【０００７】
第１の態様に関して、第１の可能な実施形態では、ダウンリンク共有チャネルは、第１のダウンリンク共有チャネルを含み、または、第１のダウンリンク共有チャネルおよび第２のダウンリンク共有チャネルを含み、第１のダウンリンク共有チャネルは、ダウンリンク制御チャネルによってスケジューリングされる動的スケジューリングダウンリンク共有チャネルであり、第２のダウンリンク共有チャネルは、ダウンリンク制御チャネルによってはスケジューリングされない半永続スケジューリングＳＰＳダウンリンク共有チャネルである。
【０００８】
第１の態様の第１の可能な実施形態に関して、第２の可能な実施形態では、方法は、
ＵＥによって特殊なダウンリンク制御チャネルを検出するステップであって、特殊なダウンリンク制御チャネルは、第２のダウンリンク共有チャネル上でのダウンリンクデータの受信を終了するようにＵＥに命令するのに使用される、検出するステップ
をさらに含む。
【０００９】
第１の態様の第２の可能な実施形態に関して、第３の可能な実施形態では、ＵＥによってアップリンクサブフレーム内で、チャネルコーディングがそれに対して実行されたフィードバック情報をアクセスネットワークデバイスに送信するステップは、
ＵＥによって、アクセスネットワークデバイスによって送信されたリソースインジケータ情報に従って物理リソースを判定するステップと、
ＵＥによって、符号化されたフィードバック情報を物理リソースにマッピングするステップと、
ＵＥによって、アップリンクサブフレーム内の物理リソースを使用することによって、マッピングされたフィードバック情報をアクセスネットワークデバイスに送信するステップと
を含む。
【００１０】
第１の態様または第１の態様の前述の可能な実施形態のいずれか１つに関して、第４の可能な実施形態では、リアルタイムスケジューリングダウンリンクサブフレームサブセット内の各ダウンリンクサブフレームに対応するＤＡＩインデックスインジケータの値は、リアルタイムスケジューリングダウンリンクサブフレームサブセット内のサブフレームに対して予め設定された順序で累積カウントを実行することによって入手されるカウント値である。
【００１１】
第１の態様の第４の可能な実施形態に関して、第５の可能な実施形態では、予め設定された順序は、第１の予め設定された順序でリアルタイムスケジューリングダウンリンクサブフレームサブセット内の同一のシーケンス番号を有するダウンリンクサブフレームを配置し、各サブフレームシーケンス番号に対応する第１の順序組合せを入手することと、その後、第２の予め設定された順序で各サブフレームシーケンス番号に対応する第１の順序組合せを配置することとによって入手される順序であり、第１の予め設定された順序は、キャリアシーケンス番号の昇順またはキャリアシーケンス番号の降順であり、第２の予め設定された順序は、サブフレーム瞬間の前から後ろへの順序またはサブフレーム瞬間の後ろから前への順序である。
【００１２】
第１の態様の第５の可能な実施形態に関して、第６の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在のサブフレームシーケンス番号に対応する第１の順序組合せ内のダウンリンクサブフレーム内でスケジューリングされる第１の情報の総量である。
【００１３】
第１の態様の第５の可能な実施形態に関して、第７の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と過去の量との和であり、現在の量は、現在のサブフレームシーケンス番号に対応する第１の順序組合せ内のダウンリンクサブフレーム内でスケジューリングされる第１の情報の総量であり、過去の量は、リアルタイムスケジューリングダウンリンクサブフレームサブセット内の現在のサブフレームシーケンス番号のサブフレーム瞬間の前のすべてのダウンリンクサブフレームのサブフレームシーケンス番号に別々に対応する第１の順序組合せ内の各ダウンリンクサブフレーム内でスケジューリングされる第１の情報の総量である。
【００１４】
第１の態様の第５の可能な実施形態に関して、第８の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と将来の量との和であり、現在の量は、現在のサブフレームシーケンス番号に対応する第１の順序組合せ内のダウンリンクサブフレーム内でスケジューリングされる第１の情報の総量であり、将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【００１５】
第１の態様の第５の可能な実施形態に関して、第９の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量、過去の量、および将来の量の和であり、現在の量は、現在のサブフレームシーケンス番号に対応する第１の順序組合せ内のダウンリンクサブフレーム内でスケジューリングされる第１の情報の総量であり、過去の量は、リアルタイムスケジューリングダウンリンクサブフレームサブセット内の現在のサブフレームシーケンス番号のサブフレーム瞬間の前のすべてのサブフレームのシーケンス番号に別々に対応する第１の順序組合せ内の各ダウンリンクサブフレーム内でスケジューリングされる第１の情報の総量であり、将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【００１６】
別の可能な実施形態では、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得る。しかし、パディングＮＡＣＫが含まれるかどうかにかかわりなく、ＨＡＲＱ−ＡＣＫコードブック内のビットの量は、事前に構成されたダウンリンクサブフレームセットに対応するＨＡＲＱ−ＡＣＫ内のビットの量未満である必要があることに留意されたい。任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る。
【００１７】
第１の態様の第６の可能な実施形態から第９の可能な実施形態の任意の１つに関して、第１０の可能な実施形態では、第１の情報は、
ダウンリンク共有チャネル、
ダウンリンク共有チャネル上のトランスポートブロック、および
ダウンリンク共有チャネルが属するダウンリンクキャリアのために構成された送信モードに対応するトランスポートブロック
という情報のうちの任意の１つである。
【００１８】
第１の態様の第６の可能な実施形態から第１０の可能な実施形態の任意の１つに関して、第１１の可能な実施形態では、ＤＡＩ総量インジケータの値は、ＵＥによって検出された特殊なダウンリンク制御チャネルの量をさらに含む。
【００１９】
第１の態様の第６の可能な実施形態または第８の可能な実施形態または第１０の可能な実施形態または第１１の可能な実施形態に関して、第１２の可能な実施形態では、ＵＥによって、ＤＡＩインデックスインジケータおよびＤＡＩ総量インジケータに従ってフィードバック情報のコードブックを判定するステップは、
ＵＥによって、各ダウンリンクサブフレームの事前に構成されたダウンリンクサブフレームセット内のダウンリンクサブフレーム内でＵＥによって受信されたＤＡＩインデックスインジケータおよびＤＡＩ総量インジケータに従ってフィードバック情報のコードブックを判定するステップ
を含む。
【００２０】
第１の態様の第７の可能な実施形態または第９の可能な実施形態または第１０の可能な実施形態または第１１の可能な実施形態に関して、第１３の可能な実施形態では、ＵＥによって、ＤＡＩインデックスインジケータおよびＤＡＩ総量インジケータに従ってフィードバック情報のコードブックを判定するステップは、
ＵＥによって、最後のダウンリンクサブフレームの、事前に構成されたダウンリンクサブフレームセット内のダウンリンクサブフレーム内でＵＥによって受信されたＤＡＩインデックスインジケータおよびＤＡＩ総量インジケータに従ってフィードバック情報のコードブックを判定するステップ
を含む。
【００２１】
第１の態様の第５の可能な実施形態に関して、第１４の可能な実施形態では、リアルタイムスケジューリングダウンリンクサブフレームサブセット内の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、リアルタイムスケジューリングダウンリンクサブフレームサブセット内の他のダウンリンクサブフレームに対応するＤＡＩ総量インジケータの値は、すべてプリセット値Ａ0に設定され、Ｘは、１より大きい自然数である。
【００２２】
第１の態様の第５の可能な実施形態に関して、第１５の可能な実施形態では、リアルタイムスケジューリングダウンリンクサブフレームサブセット内の同一のシーケンス番号を有するダウンリンクサブフレームの中で第１の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、同一のシーケンス番号を有するダウンリンクサブフレーム内の他のダウンリンクサブフレームに対応するＤＡＩ総量インジケータの値は、すべてプリセット値Ａ0に設定され、Ｘは、１より大きい自然数である。
【００２３】
第１の態様の第５の可能な実施形態に関して、第１６の可能な実施形態では、リアルタイムスケジューリングダウンリンクサブフレームサブセット内の各ダウンリンクサブフレームに対応するＤＡＩ総量インジケータの値は、リアルタイムスケジューリングダウンリンクサブフレームサブセット内のサブフレームに対してプリセットカウント方式の予め設定された順序の逆順でカウントを実行することによって入手されるカウント値である。
【００２４】
第１の態様の第５の可能な実施形態に関して、第１７の可能な実施形態では、第１の予め設定された順序の逆順で配置されたリアルタイムスケジューリングダウンリンクサブフレームサブセット内の同一のシーケンス番号を有するダウンリンクサブフレームの各ダウンリンクサブフレームのＤＡＩ総量インジケータの値は、プリセット値から開始して、プリセットカウント方式の第１の予め設定された順序の逆順でリアルタイムスケジューリングダウンリンクサブフレームサブセット内の同一のシーケンス番号を有するダウンリンクサブフレームに対してカウントを実行することによって入手されるカウント値である。
【００２５】
第１の態様の第１６の可能な実施形態または第１７の可能な実施形態に関して、第１８の可能な実施形態では、プリセットカウント方式は、累積カウントまたは下降するカウントである。
【００２６】
第１の態様の第３の可能な実施形態から第１８の可能な実施形態の任意の１つに関して、第１９の可能な実施形態では、ＵＥによって、アップリンクサブフレーム内の物理リソースを使用することによって、マッピングされたフィードバック情報をアクセスネットワークデバイスに送信するステップは、
ＵＥによって、事前に構成されたダウンリンクサブフレームセット内で受信された少なくとも２つのダウンリンクサブフレームと物理リソースの少なくとも２つの候補パラメータとの間の対応を入手するステップであって、候補パラメータは、復調基準信号ＤＭＲＳ部分のシーケンスおよび／または物理リソースの情報部分のシーケンスである、入手するステップと、
ＵＥによって、事前に構成されたダウンリンクサブフレームセット内で受信された最後のダウンリンクサブフレームに対応する第１のパラメータを判定するステップであって、第１のパラメータは、少なくとも２つの候補パラメータのうちの１つである、判定するステップと、
ＵＥによって、物理リソース上で、第１のパラメータに従ってマッピングされたフィードバック情報を送信するステップと
を含む。
【００２７】
第１の態様の第３の可能な実施形態から第１８の可能な実施形態の任意の１つに関して、第２０の可能な実施形態では、ＵＥによって、アップリンクサブフレーム内の物理リソースを使用することによって、マッピングされたフィードバック情報をアクセスネットワークデバイスに送信するステップは、
ＵＥによって、アップリンクサブフレーム内の物理リソースを使用することによって、ディスプレイシグナリング（ｄｉｓｐｌａｙ  ｓｉｇｎａｌｉｎｇ）およびマッピングされたフィードバック情報をアクセスネットワークデバイスに送信するステップであって、ディスプレイシグナリングは、事前に構成されたダウンリンクサブフレームセット内でＵＥによって検出される最後のダウンリンクサブフレームをアクセスネットワークデバイスに示すのに使用される、送信するステップ
を含む。
【００２８】
第１の態様または第１の態様の前述の可能な実施形態の任意の１つに関して、第２１の可能な実施形態では、ＵＥによって、コードブックに従ってフィードバック情報に対してチャネルコーディングを実行するステップの前に、方法は、
ＵＥによって、フィードバック情報のコードブックに巡回冗長検査ＣＲＣビットを追加するステップ
をさらに含む。
【００２９】
第２の態様によれば、本発明の実施形態は、
アクセスネットワークデバイスによって、ダウンリンク共有チャネルを使用することによってユーザ機器ＵＥにダウンリンクデータを送信し、リアルタイムスケジューリングダウンリンクサブフレームサブセット内のダウンリンクサブフレーム内でスケジューリングされるダウンリンク制御チャネルを使用することによってダウンリンク割当てインデックスＤＡＩインデックスインジケータおよびＤＡＩ総量インジケータをＵＥに送信するステップであって、その結果、ＵＥが、ＤＡＩインデックスインジケータおよびＤＡＩ総量インジケータに従ってフィードバック情報のコードブックを判定するようになり、リアルタイムスケジューリングダウンリンクサブフレームサブセットは、アクセスネットワークデバイスによって実際にスケジューリングされるダウンリンクサブフレームからなるセットであり、フィードバック情報のコードブックは、リアルタイムスケジューリングダウンリンクサブフレームサブセット内のすべてのまたはいくつかのダウンリンクサブフレームに対応し、フィードバック情報のコードブックは、ＵＥがフィードバック情報に対してチャネルコーディングを実行するための基礎であり、または、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得、しかし、パディングＮＡＣＫが含まれるかどうかにかかわりなく、ＨＡＲＱ−ＡＣＫコードブックのビット量は、事前に構成されたダウンリンクサブフレームセットに対応するＨＡＲＱ−ＡＣＫ内のビットの量未満である必要があることに留意されたく、任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る、送信するステップと、
アクセスネットワークデバイスによって、アップリンクサブフレーム内で、ＵＥによって送信される、チャネルコーディングがそれに対して実行されたフィードバック情報を受信するステップと
を含む、フィードバック情報を受信する方法を提供する。
【００３０】
第２の態様に関して、第１の可能な実施形態では、ダウンリンク共有チャネルは、第１のダウンリンク共有チャネルを含み、または、第１のダウンリンク共有チャネルおよび第２のダウンリンク共有チャネルを含み、第１のダウンリンク共有チャネルは、ダウンリンク制御チャネルによってスケジューリングされる動的スケジューリングダウンリンク共有チャネルであり、第２のダウンリンク共有チャネルは、ダウンリンク制御チャネルによってはスケジューリングされない半永続スケジューリングＳＰＳダウンリンク共有チャネルである。
【００３１】
第２の態様の第１の可能な実施形態に関して、第２の可能な実施形態では、方法は、
アクセスネットワークデバイスによって、特殊なダウンリンク制御チャネルをスケジューリングするステップであって、特殊なダウンリンク制御チャネルは、アクセスネットワークデバイスが第２のダウンリンク共有チャネルを使用することによるダウンリンクデータの送出を終了することを可能にするのに使用される、スケジューリングするステップ
をさらに含む。
【００３２】
第２の態様の第２の可能な実施形態に関して、第３の可能な実施形態では、アクセスネットワークデバイスによって、アップリンクサブフレーム内で、ＵＥによって送信される、チャネルコーディングがそれに対して実行されたフィードバック情報を受信するステップは、
アクセスネットワークデバイスによって、リソースインジケータ情報をＵＥに送信するステップであって、リソースインジケータ情報は、フィードバック情報を搬送するのに使用される物理リソースを示すのに使用される、送信するステップと、
アクセスネットワークデバイスによって、アップリンクサブフレーム内の物理リソース内で、物理リソースにマッピングされたフィードバック情報を受信するステップと
を含む。
【００３３】
第２の態様または第２の態様の前述の可能な実施形態の任意の１つに関して、第４の可能な実施形態では、リアルタイムスケジューリングダウンリンクサブフレームサブセット内の各ダウンリンクサブフレームに対応するＤＡＩインデックスインジケータの値は、リアルタイムスケジューリングダウンリンクサブフレームサブセット内のサブフレームに対して予め設定された順序で累積カウントを実行することによって入手されるカウント値である。
【００３４】
第２の態様の第４の可能な実施形態に関して、第５の可能な実施形態では、予め設定された順序は、第１の予め設定された順序でリアルタイムスケジューリングダウンリンクサブフレームサブセット内の同一のシーケンス番号を有するダウンリンクサブフレームを配置し、各サブフレームシーケンス番号に対応する第１の順序組合せを入手することと、その後、第２の予め設定された順序で各サブフレームシーケンス番号に対応する第１の順序組合せを配置することとによって入手される順序であり、第１の予め設定された順序は、キャリアシーケンス番号の昇順またはキャリアシーケンス番号の降順であり、第２の予め設定された順序は、サブフレーム瞬間の前から後ろへの順序またはサブフレーム瞬間の後ろから前への順序である。
【００３５】
第２の態様の第５の可能な実施形態に関して、第６の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在のサブフレームシーケンス番号に対応する第１の順序組合せ内のダウンリンクサブフレーム内でスケジューリングされる第１の情報の総量である。
【００３６】
第２の態様の第５の可能な実施形態に関して、第７の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と過去の量との和であり、現在の量は、現在のサブフレームシーケンス番号に対応する第１の順序組合せ内のダウンリンクサブフレーム内でスケジューリングされる第１の情報の総量であり、過去の量は、リアルタイムスケジューリングダウンリンクサブフレームサブセット内の現在のサブフレームシーケンス番号のサブフレーム瞬間の前のすべてのダウンリンクサブフレームのサブフレームシーケンス番号に別々に対応する第１の順序組合せ内の各ダウンリンクサブフレーム内でスケジューリングされる第１の情報の総量である。
【００３７】
第２の態様の第５の可能な実施形態に関して、第８の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と将来の量との和であり、現在の量は、現在のサブフレームシーケンス番号に対応する第１の順序組合せ内のダウンリンクサブフレーム内でスケジューリングされる第１の情報の総量であり、将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【００３８】
第２の態様の第５の可能な実施形態に関して、第９の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量、過去の量、および将来の量の和であり、現在の量は、現在のサブフレームシーケンス番号に対応する第１の順序組合せ内のダウンリンクサブフレーム内でスケジューリングされる第１の情報の総量であり、過去の量は、リアルタイムスケジューリングダウンリンクサブフレームサブセット内の現在のサブフレームシーケンス番号のサブフレーム瞬間の前のすべてのサブフレームのシーケンス番号に別々に対応する第１の順序組合せ内の各ダウンリンクサブフレーム内でスケジューリングされる第１の情報の総量であり、将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【００３９】
別の可能な実施形態では、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得る。しかし、パディングＮＡＣＫが含まれるかどうかにかかわりなく、ＨＡＲＱ−ＡＣＫコードブック内のビットの量は、事前に構成されたダウンリンクサブフレームセットに対応するＨＡＲＱ−ＡＣＫ内のビットの量未満である必要があることに留意されたい。任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る。
【００４０】
第２の態様の第６の可能な実施形態から第９の可能な実施形態の任意の１つに関して、第１０の可能な実施形態では、第１の情報は、
ダウンリンク共有チャネル、
ダウンリンク共有チャネル上のトランスポートブロック、および
ダウンリンク共有チャネルが属するダウンリンクキャリアのために構成された送信モードに対応するトランスポートブロック
という情報のうちの任意の１つである。
【００４１】
第２の態様の第６の可能な実施形態から第１０の可能な実施形態の任意の１つに関して、第１１の可能な実施形態では、ＤＡＩ総量インジケータの値は、アクセスネットワークデバイスによってスケジューリングされた特殊なダウンリンク制御チャネルの量をさらに含む。
【００４２】
第２の態様の第５の可能な実施形態に関して、第１２の可能な実施形態では、リアルタイムスケジューリングダウンリンクサブフレームサブセット内の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、リアルタイムスケジューリングダウンリンクサブフレームサブセット内の他のダウンリンクサブフレームに対応するＤＡＩ総量インジケータの値は、すべてプリセット値Ａ0に設定され、Ｘは、１より大きい自然数である。
【００４３】
第２の態様の第５の可能な実施形態に関して、第１３の可能な実施形態では、リアルタイムスケジューリングダウンリンクサブフレームサブセット内の同一のシーケンス番号を有するダウンリンクサブフレームの中で第１の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、同一のシーケンス番号を有するダウンリンクサブフレーム内の他のダウンリンクサブフレームに対応するＤＡＩ総量インジケータの値は、すべてプリセット値Ａ0に設定され、Ｘは、１より大きい自然数である。
【００４４】
第２の態様の第５の可能な実施形態に関して、第１４の可能な実施形態では、リアルタイムスケジューリングダウンリンクサブフレームサブセット内の各ダウンリンクサブフレームに対応するＤＡＩ総量インジケータの値は、リアルタイムスケジューリングダウンリンクサブフレームサブセット内のサブフレームに対してプリセットカウント方式の予め設定された順序の逆順でカウントを実行することによって入手されるカウント値である。
【００４５】
第２の態様の第５の可能な実施形態に関して、第１５の可能な実施形態では、第１の予め設定された順序の逆順で配置されたリアルタイムスケジューリングダウンリンクサブフレームサブセット内の同一のシーケンス番号を有するダウンリンクサブフレームの各ダウンリンクサブフレームのＤＡＩ総量インジケータの値は、プリセット値から開始して、プリセットカウント方式の第１の予め設定された順序の逆順でリアルタイムスケジューリングダウンリンクサブフレームサブセット内の同一のシーケンス番号を有するダウンリンクサブフレームに対してカウントを実行することによって入手されるカウント値である。
【００４６】
第２の態様の第１４の可能な実施形態または第１５の可能な実施形態に関して、第１６の可能な実施形態では、プリセットカウント方式は、累積カウントまたは下降するカウントである。
【００４７】
第２の態様の第３の可能な実施形態から第１６の可能な実施形態の任意の１つに関して、第１７の可能な実施形態では、アクセスネットワークデバイスによって、アップリンクサブフレーム内の物理リソース内で、物理リソースにマッピングされたフィードバック情報を受信するステップの後に、方法は、
アクセスネットワークデバイスによって、アップリンクサブフレーム内の第１のパラメータを検出するステップであって、第１のパラメータは、復調基準信号ＤＭＲＳ部分のシーケンスおよび／または物理リソースの情報部分のシーケンスである、検出するステップと、
アクセスネットワークデバイスによって、第１のパラメータに従って、事前に構成されたダウンリンクサブフレームセット内でＵＥによって受信される最後のダウンリンクサブフレームを判定するステップと、
アクセスネットワークデバイスによって、最後のダウンリンクサブフレームに従って、フィードバック情報がリアルタイムスケジューリングダウンリンクサブフレームサブセット内のすべてのまたはいくつかのダウンリンクサブフレームに対応すると判定するステップと
をさらに含む。
【００４８】
第２の態様の第３の可能な実施形態から第１６の可能な実施形態の任意の１つに関して、第１８の可能な実施形態では、アクセスネットワークデバイスによって、アップリンクサブフレーム内の物理リソース内で、物理リソースにマッピングされたフィードバック情報を受信するステップは、
アクセスネットワークデバイスによって、アップリンクサブフレーム内の物理リソース内で、ディスプレイシグナリングおよび物理リソースにマッピングされたフィードバック情報を受信するステップであって、ディスプレイシグナリングは、事前に構成されたダウンリンクサブフレームセット内でＵＥによって検出される最後のダウンリンクサブフレームをアクセスネットワークデバイスに示すのに使用される、受信するステップ
を含む。
【００４９】
第２の態様の第１８の可能な実施形態に関して、第１９の可能な実施形態では、アクセスネットワークデバイスによって、アップリンクサブフレーム内の物理リソース内で、ディスプレイシグナリングおよび物理リソースにマッピングされたフィードバック情報を受信するステップの後に、方法は、
アクセスネットワークデバイスによって、ディスプレイシグナリングに従って、リアルタイムスケジューリングダウンリンクサブフレームサブセット内でＵＥによって受信される最後のダウンリンクサブフレームを判定するステップと、
アクセスネットワークデバイスによって、最後のダウンリンクサブフレームに従って、フィードバック情報のコードブックがリアルタイムスケジューリングダウンリンクサブフレームサブセット内のすべてのまたはいくつかのダウンリンクサブフレームに対応すると判定するステップと
をさらに含む。
【００５０】
第２の態様または第２の態様の第１の可能な実施形態から第１７の可能な実施形態に関して、第２０の可能な実施形態では、チャネルコーディングがそれに対して実行されたフィードバック情報は、巡回冗長検査ＣＲＣビットを搬送し、アクセスネットワークデバイスによって、アップリンクサブフレーム内で、ＵＥによって送信される、チャネルコーディングがそれに対して実行されたフィードバック情報を受信するステップの後に、方法は、
アクセスネットワークデバイスによって、チャネルコーディングがそれに対して実行されたフィードバック情報を復号するステップと、
アクセスネットワークデバイスによって、復号されたフィードバック情報に対してＣＲＣ検出を実行し、フィードバック情報が正しく復号されたかどうかを判定するステップと
をさらに含む。
【００５１】
第３の態様によれば、本発明の実施形態は、ユーザ機器ＵＥを提供し、ＵＥは、
事前に構成されたダウンリンクサブフレームセット内のダウンリンクサブフレーム内で、ダウンリンク共有チャネルを使用することによってアクセスネットワークデバイスによって送信されるダウンリンクデータと、ダウンリンク制御チャネルを使用することによってアクセスネットワークデバイスによって送信されるダウンリンク割当てインデックスＤＡＩインデックスインジケータおよびＤＡＩ総量インジケータとを受信するように構成された受信ユニットと、
ダウンリンク共有チャネルに対応するフィードバック情報を送信するのに使用されるアップリンクサブフレームを判定するように構成され、事前に構成されたダウンリンクサブフレームセットは、アップリンクサブフレームに関連する、ＵＥのために事前に構成されたすべてのキャリアのすべてのダウンリンクサブフレームからなるセットであり、ＤＡＩインデックスインジケータおよびＤＡＩ総量インジケータに従ってフィードバック情報のコードブックを判定するように構成された判定ユニットであって、コードブックは、リアルタイムスケジューリングダウンリンクサブフレームサブセット内のすべてのまたはいくつかのダウンリンクサブフレームに対応し、リアルタイムスケジューリングダウンリンクサブフレームサブセットは、アクセスネットワークデバイスによって実際にスケジューリングされるダウンリンクサブフレームからなるセットであり、リアルタイムスケジューリングダウンリンクサブフレームサブセットは、事前に構成されたダウンリンクサブフレームセットに属し、または、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得、しかし、パディングＮＡＣＫが含まれるかどうかにかかわりなく、ＨＡＲＱ−ＡＣＫコードブック内のビットの量は、事前に構成されたダウンリンクサブフレームセットに対応するＨＡＲＱ−ＡＣＫ内のビットの量未満である必要があることに留意されたく、任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る、判定ユニットと、
判定ユニットによって判定されたコードブックに従ってフィードバック情報に対してチャネルコーディングを実行するように構成された符号化ユニットと、
アップリンクサブフレーム内で、チャネルコーディングがそれに対して実行されたフィードバック情報をアクセスネットワークデバイスに送信するように構成された送出ユニットと
を含む。
【００５２】
第３の態様に関して、第１の可能な実施形態では、ダウンリンク共有チャネルは、第１のダウンリンク共有チャネルを含み、または、第１のダウンリンク共有チャネルおよび第２のダウンリンク共有チャネルを含み、第１のダウンリンク共有チャネルは、ダウンリンク制御チャネルによってスケジューリングされる動的スケジューリングダウンリンク共有チャネルであり、第２のダウンリンク共有チャネルは、ダウンリンク制御チャネルによってはスケジューリングされない半永続スケジューリングＳＰＳダウンリンク共有チャネルである。
【００５３】
第３の態様の第１の可能な実施形態に関して、第２の可能な実施形態では、ＵＥは、
特殊なダウンリンク制御チャネルを検出するように構成された検出ユニットであって、特殊なダウンリンク制御チャネルは、第２のダウンリンク共有チャネル上でのダウンリンクデータの受信を終了するようにＵＥに命令するのに使用される、検出ユニット
をさらに含む。
【００５４】
第３の態様の第２の可能な実施形態に関して、第３の可能な実施形態では、送出ユニットは、判定モジュール、マッピングモジュール、および送出モジュールを含み、
判定モジュールは、アクセスネットワークデバイスによって送信されたリソースインジケータ情報に従って物理リソースを判定するように構成され、
マッピングモジュールは、符号化されたフィードバック情報を物理リソースにマッピングするように構成され、
送出モジュールは、アップリンクサブフレーム内の物理リソースを使用することによって、マッピングされたフィードバック情報をアクセスネットワークデバイスに送信するように構成される。
【００５５】
第３の態様または第３の態様の前述の可能な実施形態の任意の１つに関して、第４の可能な実施形態では、リアルタイムスケジューリングダウンリンクサブフレームサブセット内の各ダウンリンクサブフレームに対応するＤＡＩインデックスインジケータの値は、リアルタイムスケジューリングダウンリンクサブフレームサブセット内のサブフレームに対して予め設定された順序で累積カウントを実行することによって入手されるカウント値である。
【００５６】
第３の態様の第４の可能な実施形態に関して、第５の可能な実施形態では、予め設定された順序は、第１の予め設定された順序でリアルタイムスケジューリングダウンリンクサブフレームサブセット内の同一のシーケンス番号を有するダウンリンクサブフレームを配置し、各サブフレームシーケンス番号に対応する第１の順序組合せを入手することと、その後、第２の予め設定された順序で各サブフレームシーケンス番号に対応する第１の順序組合せを配置することとによって入手される順序であり、第１の予め設定された順序は、キャリアシーケンス番号の昇順またはキャリアシーケンス番号の降順であり、第２の予め設定された順序は、サブフレーム瞬間の前から後ろへの順序またはサブフレーム瞬間の後ろから前への順序である。
【００５７】
第３の態様の第５の可能な実施形態に関して、第６の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在のサブフレームシーケンス番号に対応する第１の順序組合せ内のダウンリンクサブフレーム内でスケジューリングされる第１の情報の総量である。
【００５８】
第３の態様の第５の可能な実施形態に関して、第７の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と過去の量との和であり、現在の量は、現在のサブフレームシーケンス番号に対応する第１の順序組合せ内のダウンリンクサブフレーム内でスケジューリングされる第１の情報の総量であり、過去の量は、リアルタイムスケジューリングダウンリンクサブフレームサブセット内の現在のサブフレームシーケンス番号のサブフレーム瞬間の前のすべてのダウンリンクサブフレームのサブフレームシーケンス番号に別々に対応する第１の順序組合せ内の各ダウンリンクサブフレーム内でスケジューリングされる第１の情報の総量である。
【００５９】
第３の態様の第５の可能な実施形態に関して、第８の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と将来の量との和であり、現在の量は、現在のサブフレームシーケンス番号に対応する第１の順序組合せ内のダウンリンクサブフレーム内でスケジューリングされる第１の情報の総量であり、将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【００６０】
第３の態様の第５の可能な実施形態に関して、第９の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量、過去の量、および将来の量の和であり、現在の量は、現在のサブフレームシーケンス番号に対応する第１の順序組合せ内のダウンリンクサブフレーム内でスケジューリングされる第１の情報の総量であり、過去の量は、リアルタイムスケジューリングダウンリンクサブフレームサブセット内の現在のサブフレームシーケンス番号のサブフレーム瞬間の前のすべてのサブフレームのシーケンス番号に別々に対応する第１の順序組合せ内の各ダウンリンクサブフレーム内でスケジューリングされる第１の情報の総量であり、将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【００６１】
別の可能な実施形態では、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得る。しかし、パディングＮＡＣＫが含まれるかどうかにかかわりなく、ＨＡＲＱ−ＡＣＫコードブック内のビットの量は、事前に構成されたダウンリンクサブフレームセットに対応するＨＡＲＱ−ＡＣＫ内のビットの量未満である必要があることに留意されたい。任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る。
【００６２】
第３の態様の第６の可能な実施形態から第９の可能な実施形態の任意の１つに関して、第１０の可能な実施形態では、第１の情報は、
ダウンリンク共有チャネル、
ダウンリンク共有チャネル上のトランスポートブロック、および
ダウンリンク共有チャネルが属するダウンリンクキャリアのために構成された送信モードに対応するトランスポートブロック
という情報のうちの任意の１つである。
【００６３】
第３の態様の第６の可能な実施形態から第１０の可能な実施形態の任意の１つに関して、第１１の可能な実施形態では、ＤＡＩ総量インジケータの値は、検出ユニットによって検出された特殊なダウンリンク制御チャネルの量をさらに含む。
【００６４】
第３の態様の第６の可能な実施形態または第８の可能な実施形態または第１０の可能な実施形態または第１１の可能な実施形態に関して、第１２の可能な実施形態では、判定ユニットは、各ダウンリンクサブフレームの事前に構成されたダウンリンクサブフレームセット内のダウンリンクサブフレーム内で受信ユニットによって受信されたＤＡＩインデックスインジケータおよびＤＡＩ総量インジケータに従ってフィードバック情報のコードブックを判定するようにさらに構成される。
【００６５】
第３の態様の第７の可能な実施形態または第９の可能な実施形態または第１０の可能な実施形態または第１１の可能な実施形態に関して、第１３の可能な実施形態では、判定ユニットは、最後のダウンリンクサブフレームの、事前に構成されたダウンリンクサブフレームセット内のダウンリンクサブフレーム内で受信ユニットによって受信されたＤＡＩインデックスインジケータおよびＤＡＩ総量インジケータに従ってフィードバック情報のコードブックを判定するようにさらに構成される。
【００６６】
第３の態様の第５の可能な実施形態に関して、第１４の可能な実施形態では、リアルタイムスケジューリングダウンリンクサブフレームサブセット内の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、リアルタイムスケジューリングダウンリンクサブフレームサブセット内の他のダウンリンクサブフレームに対応するＤＡＩ総量インジケータの値は、すべてプリセット値Ａ0に設定され、Ｘは、１より大きい自然数である。
【００６７】
第３の態様の第５の可能な実施形態に関して、第１５の可能な実施形態では、リアルタイムスケジューリングダウンリンクサブフレームサブセット内の同一のシーケンス番号を有するダウンリンクサブフレームの中で第１の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、同一のシーケンス番号を有するダウンリンクサブフレーム内の他のダウンリンクサブフレームに対応するＤＡＩ総量インジケータの値は、すべてプリセット値Ａ0に設定され、Ｘは、１より大きい自然数である。
【００６８】
第３の態様の第５の可能な実施形態に関して、第１６の可能な実施形態では、リアルタイムスケジューリングダウンリンクサブフレームサブセット内の各ダウンリンクサブフレームに対応するＤＡＩ総量インジケータの値は、リアルタイムスケジューリングダウンリンクサブフレームサブセット内のサブフレームに対してプリセットカウント方式の予め設定された順序の逆順でカウントを実行することによって入手されるカウント値である。
【００６９】
第３の態様の第５の可能な実施形態に関して、第１７の可能な実施形態では、第１の予め設定された順序の逆順で配置されたリアルタイムスケジューリングダウンリンクサブフレームサブセット内の同一のシーケンス番号を有するダウンリンクサブフレームの各ダウンリンクサブフレームのＤＡＩ総量インジケータの値は、プリセット値から開始して、プリセットカウント方式の第１の予め設定された順序の逆順でリアルタイムスケジューリングダウンリンクサブフレームサブセット内の同一のシーケンス番号を有するダウンリンクサブフレームに対してカウントを実行することによって入手されるカウント値である。
【００７０】
第３の態様の第１６の可能な実施形態または第１７の可能な実施形態に関して、第１８の可能な実施形態では、プリセットカウント方式は、累積カウントまたは下降するカウントである。
【００７１】
第３の態様の第３の可能な実施形態から第１８の可能な実施形態の任意の１つに関して、第１９の可能な実施形態では、送出モジュールは、入手サブモジュール、判定サブモジュール、および送出サブモジュールを含み、
入手サブモジュールは、事前に構成されたダウンリンクサブフレームセット内で受信ユニットによって受信された少なくとも２つのダウンリンクサブフレームと物理リソースの少なくとも２つの候補パラメータとの間の対応を入手するように構成され、候補パラメータは、復調基準信号ＤＭＲＳ部分のシーケンスおよび／または物理リソースの情報部分のシーケンスであり、
判定サブモジュールは、事前に構成されたダウンリンクサブフレームセット内で受信された最後のダウンリンクサブフレームに対応する第１のパラメータを判定するように構成され、第１のパラメータは、少なくとも２つの候補パラメータのうちの１つであり、
送出サブモジュールは、物理リソース上で、第１のパラメータに従ってマッピングされたフィードバック情報を送信するように構成される。
【００７２】
第３の態様の第３の可能な実施形態から第１８の可能な実施形態の任意の１つに関して、第２０の可能な実施形態では、送出モジュールは、アップリンクサブフレーム内の物理リソースを使用することによって、ディスプレイシグナリングおよびマッピングされたフィードバック情報をアクセスネットワークデバイスに送信するようにさらに構成され、ディスプレイシグナリングは、事前に構成されたダウンリンクサブフレームセット内でＵＥによって検出される最後のダウンリンクサブフレームをアクセスネットワークデバイスに示すのに使用される。
【００７３】
第３の態様または第３の態様の前述の可能な実施形態の任意の１つに関して、第２１の可能な実施形態では、ＵＥは、
フィードバック情報のコードブックに巡回冗長検査ＣＲＣビットを追加するように構成された追加ユニット
をさらに含む。
【００７４】
第４の態様によれば、本発明の実施形態は、アクセスネットワークデバイスを提供し、アクセスネットワークデバイスは、
ダウンリンク共有チャネルを使用することによってユーザ機器ＵＥにダウンリンクデータを送信し、リアルタイムスケジューリングダウンリンクサブフレームサブセット内のダウンリンクサブフレーム内でスケジューリングされるダウンリンク制御チャネルを使用することによってダウンリンク割当てインデックスＤＡＩインデックスインジケータおよびＤＡＩ総量インジケータをＵＥに送信するように構成された送出ユニットであって、その結果、ＵＥが、ＤＡＩインデックスインジケータおよびＤＡＩ総量インジケータに従ってフィードバック情報のコードブックを判定するようになり、リアルタイムスケジューリングダウンリンクサブフレームサブセットは、アクセスネットワークデバイスによって実際にスケジューリングされるダウンリンクサブフレームからなるセットであり、フィードバック情報のコードブックは、リアルタイムスケジューリングダウンリンクサブフレームサブセット内のすべてのまたはいくつかのダウンリンクサブフレームに対応し、フィードバック情報のコードブックは、ＵＥがフィードバック情報に対してチャネルコーディングを実行するための基礎であり、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得、しかし、パディングＮＡＣＫが含まれるかどうかにかかわりなく、ＨＡＲＱ−ＡＣＫコードブックのビット量は、事前に構成されたダウンリンクサブフレームセットに対応するＨＡＲＱ−ＡＣＫ内のビットの量未満である必要があることに留意されたく、任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る、送出ユニットと、
アップリンクサブフレーム内で、ＵＥによって送信される、チャネルコーディングがそれに対して実行されたフィードバック情報を受信するように構成された受信ユニットと
を含む。
【００７５】
第４の態様に関して、第１の可能な実施形態では、ダウンリンク共有チャネルは、第１のダウンリンク共有チャネルを含み、または、第１のダウンリンク共有チャネルおよび第２のダウンリンク共有チャネルを含み、第１のダウンリンク共有チャネルは、ダウンリンク制御チャネルによってスケジューリングされる動的スケジューリングダウンリンク共有チャネルであり、第２のダウンリンク共有チャネルは、ダウンリンク制御チャネルによってはスケジューリングされない半永続スケジューリングＳＰＳダウンリンク共有チャネルである。
【００７６】
第４の態様の第１の可能な実施形態に関して、第２の可能な実施形態では、アクセスネットワークデバイスは、
特殊なダウンリンク制御チャネルをスケジューリングするように構成されたスケジューリングユニットであって、特殊なダウンリンク制御チャネルは、送出ユニットが第２のダウンリンク共有チャネルを使用することによるダウンリンクデータの送出を終了することを可能にするのに使用される、スケジューリングユニット
をさらに含む。
【００７７】
第４の態様の第２の可能な実施形態に関して、第３の可能な実施形態では、受信ユニットは、送出モジュールおよび受信モジュールを含み、
送出モジュールは、リソースインジケータ情報をＵＥに送信するように構成され、リソースインジケータ情報は、フィードバック情報を搬送するのに使用される物理リソースを示すのに使用され、
受信モジュールは、アップリンクサブフレーム内の物理リソース内で、物理リソースにマッピングされたフィードバック情報を受信するように構成される。
【００７８】
第４の態様または第４の態様の前述の可能な実施形態の任意の１つに関して、第４の可能な実施形態では、リアルタイムスケジューリングダウンリンクサブフレームサブセット内の各ダウンリンクサブフレームに対応するＤＡＩインデックスインジケータの値は、リアルタイムスケジューリングダウンリンクサブフレームサブセット内のサブフレームに対して予め設定された順序で累積カウントを実行することによって入手されるカウント値である。
【００７９】
第４の態様の第４の可能な実施形態に関して、第５の可能な実施形態では、予め設定された順序は、第１の予め設定された順序でリアルタイムスケジューリングダウンリンクサブフレームサブセット内の同一のシーケンス番号を有するダウンリンクサブフレームを配置し、各サブフレームシーケンス番号に対応する第１の順序組合せを入手することと、その後、第２の予め設定された順序で各サブフレームシーケンス番号に対応する第１の順序組合せを配置することとによって入手される順序であり、第１の予め設定された順序は、キャリアシーケンス番号の昇順またはキャリアシーケンス番号の降順であり、第２の予め設定された順序は、サブフレーム瞬間の前から後ろへの順序またはサブフレーム瞬間の後ろから前への順序である。
【００８０】
第４の態様の第５の可能な実施形態に関して、第６の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在のサブフレームシーケンス番号に対応する第１の順序組合せ内のダウンリンクサブフレーム内でスケジューリングされる第１の情報の総量である。
【００８１】
第４の態様の第５の可能な実施形態に関して、第７の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と過去の量との和であり、現在の量は、現在のサブフレームシーケンス番号に対応する第１の順序組合せ内のダウンリンクサブフレーム内でスケジューリングされる第１の情報の総量であり、過去の量は、リアルタイムスケジューリングダウンリンクサブフレームサブセット内の現在のサブフレームシーケンス番号のサブフレーム瞬間の前のすべてのダウンリンクサブフレームのサブフレームシーケンス番号に別々に対応する第１の順序組合せ内の各ダウンリンクサブフレーム内でスケジューリングされる第１の情報の総量である。
【００８２】
第４の態様の第５の可能な実施形態に関して、第８の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と将来の量との和であり、現在の量は、現在のサブフレームシーケンス番号に対応する第１の順序組合せ内のダウンリンクサブフレーム内でスケジューリングされる第１の情報の総量であり、将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【００８３】
第４の態様の第５の可能な実施形態に関して、第９の可能な実施形態では、リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量、過去の量、および将来の量の和であり、現在の量は、現在のサブフレームシーケンス番号に対応する第１の順序組合せ内のダウンリンクサブフレーム内でスケジューリングされる第１の情報の総量であり、過去の量は、リアルタイムスケジューリングダウンリンクサブフレームサブセット内の現在のサブフレームシーケンス番号のサブフレーム瞬間の前のすべてのサブフレームのシーケンス番号に別々に対応する第１の順序組合せ内の各ダウンリンクサブフレーム内でスケジューリングされる第１の情報の総量であり、将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【００８４】
別の可能な実施形態では、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得る。しかし、パディングＮＡＣＫが含まれるかどうかにかかわりなく、ＨＡＲＱ−ＡＣＫコードブック内のビットの量は、事前に構成されたダウンリンクサブフレームセットに対応するＨＡＲＱ−ＡＣＫ内のビットの量未満である必要があることに留意されたい。任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る。
【００８５】
第４の態様の第６の可能な実施形態から第９の可能な実施形態の任意の１つに関して、第１０の可能な実施形態では、第１の情報は、
ダウンリンク共有チャネル、
ダウンリンク共有チャネル上のトランスポートブロック、および
ダウンリンク共有チャネルが属するダウンリンクキャリアのために構成された送信モードに対応するトランスポートブロック
という情報のうちの任意の１つである。
【００８６】
第４の態様の第６の可能な実施形態から第１０の可能な実施形態の任意の１つに関して、第１１の可能な実施形態では、ＤＡＩ総量インジケータの値は、スケジューリングユニットによってスケジューリングされた特殊なダウンリンク制御チャネルの量をさらに含む。
【００８７】
第４の態様の第５の可能な実施形態に関して、第１２の可能な実施形態では、リアルタイムスケジューリングダウンリンクサブフレームサブセット内の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、リアルタイムスケジューリングダウンリンクサブフレームサブセット内の他のダウンリンクサブフレームに対応するＤＡＩ総量インジケータの値は、すべてプリセット値Ａ0に設定され、Ｘは、１より大きい自然数である。
【００８８】
第４の態様の第５の可能な実施形態に関して、第１３の可能な実施形態では、リアルタイムスケジューリングダウンリンクサブフレームサブセット内の同一のシーケンス番号を有するダウンリンクサブフレームの中で第１の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、同一のシーケンス番号を有するダウンリンクサブフレーム内の他のダウンリンクサブフレームに対応するＤＡＩ総量インジケータの値は、すべてプリセット値Ａ0に設定され、Ｘは、１より大きい自然数である。
【００８９】
第４の態様の第５の可能な実施形態に関して、第１４の可能な実施形態では、リアルタイムスケジューリングダウンリンクサブフレームサブセット内の各ダウンリンクサブフレームに対応するＤＡＩ総量インジケータの値は、リアルタイムスケジューリングダウンリンクサブフレームサブセット内のサブフレームに対してプリセットカウント方式の予め設定された順序の逆順でカウントを実行することによって入手されるカウント値である。
【００９０】
第４の態様の第５の可能な実施形態に関して、第１５の可能な実施形態では、第１の予め設定された順序の逆順で配置されたリアルタイムスケジューリングダウンリンクサブフレームサブセット内の同一のシーケンス番号を有するダウンリンクサブフレームの各ダウンリンクサブフレームのＤＡＩ総量インジケータの値は、プリセット値から開始して、プリセットカウント方式の第１の予め設定された順序の逆順でリアルタイムスケジューリングダウンリンクサブフレームサブセット内の同一のシーケンス番号を有するダウンリンクサブフレームに対してカウントを実行することによって入手されるカウント値である。
【００９１】
第４の態様の第１４の可能な実施形態または第１５の可能な実施形態に関して、第１６の可能な実施形態では、プリセットカウント方式は、累積カウントまたは下降するカウントである。
【００９２】
第４の態様の第３の可能な実施形態から第１６の可能な実施形態の任意の１つに関して、第１７の可能な実施形態では、アクセスネットワークデバイスは、検出ユニットおよび判定ユニットをさらに含み、
検出ユニットは、アップリンクサブフレーム内の第１のパラメータを検出するように構成され、第１のパラメータは、復調基準信号ＤＭＲＳ部分のシーケンスおよび／または物理リソースの情報部分のシーケンスであり、
判定ユニットは、第１のパラメータに従って、事前に構成されたダウンリンクサブフレームセット内でＵＥによって受信される最後のダウンリンクサブフレームを判定し、最後のダウンリンクサブフレームに従って、フィードバック情報がリアルタイムスケジューリングダウンリンクサブフレームサブセット内のすべてのまたはいくつかのダウンリンクサブフレームに対応すると判定するように構成される。
【００９３】
第４の態様の第３の可能な実施形態から第１６の可能な実施形態の任意の１つに関して、第１８の可能な実施形態では、受信ユニットは、アップリンクサブフレーム内の物理リソース内で、ディスプレイシグナリングおよび物理リソースにマッピングされたフィードバック情報を受信するようにさらに構成され、ディスプレイシグナリングは、事前に構成されたダウンリンクサブフレームセット内でＵＥによって検出される最後のダウンリンクサブフレームをアクセスネットワークデバイスに示すのに使用される。
【００９４】
第４の態様の第１８の可能な実施形態に関して、第１９の可能な実施形態では、判定ユニットは、最後のダウンリンクサブフレームに従って、フィードバック情報のコードブックがリアルタイムスケジューリングダウンリンクサブフレームサブセット内のすべてのまたはいくつかのダウンリンクサブフレームに対応すると判定するようにさらに構成される。
【００９５】
第４の態様または第４の態様の第１の可能な実施形態から第１７の可能な実施形態の任意の１つに関して、第２０の可能な実施形態では、チャネルコーディングがそれに対して実行されたフィードバック情報は、巡回冗長検査ＣＲＣビットを搬送し、アクセスネットワークデバイスは、復号ユニットをさらに含み、
復号ユニットは、チャネルコーディングがそれに対して実行されたフィードバック情報を復号するように構成され、
検出ユニットは、復号されたフィードバック情報に対してＣＲＣ検出を実行し、フィードバック情報が正しく復号されたかどうかを判定するようにさらに構成される。
【００９６】
本発明の実施形態で提供される、フィードバック情報を送信し、受信する方法、ユーザ機器、およびアクセスネットワークデバイスによって、ＵＥは、事前に構成されたダウンリンクサブフレームセット内で、ダウンリンク共有チャネルを使用することによってアクセスネットワークデバイスによって送信されるダウンリンクデータを受信し、ダウンリンク共有チャネルに対応するフィードバック情報を送信するのに使用されるアップリンクサブフレームを判定し、その後、ＤＡＩインデックスインジケータおよびＤＡＩ総量インジケータに従ってフィードバック情報のコードブックを判定し、フィードバック情報のコードブックは、リアルタイムスケジューリングダウンリンクサブフレームサブセット内のすべてのまたはいくつかのダウンリンクサブフレームに対応し、その後、コードブックに従ってフィードバック情報に対してチャネルコーディングを実行し、最後に、アップリンクサブフレーム内で、チャネルコーディングがそれに対して実行されたフィードバック情報をアクセスネットワークデバイスに送信する。従来技術で事前に構成されたダウンリンクサブフレームセットに従ってフィードバック情報を符号化するために大量のＮＡＣＫがパディングされる必要があることによって引き起こされる低いアップリンクリソース利用と比較して、本発明では、受信されたダウンリンクデータが属するダウンリンク共有チャネルのフィードバック情報のコードブックは、ＤＡＩインデックスインジケータおよびＤＡＩ総量インジケータに従って判定され得る。フィードバック情報の判定されるコードブックが、リアルタイムスケジューリングダウンリンクサブフレームサブセット内のすべてのまたはいくつかのダウンリンクサブフレームに対応するので、ＵＥは、アクセスネットワークデバイスによって実際にスケジューリングされるダウンリンクサブフレーム内のダウンリンク共有チャネルのフィードバック情報だけをフィードバックする必要があり、スケジューリングされないダウンリンク共有チャネル上でＮＡＣＫパディングを実行する必要がなく、これによって、アップリンクリソース利用を改善する。
【図面の簡単な説明】
【００９７】
【図１】本発明の実施形態による、ＰＵＣＣＨフォーマット３のチャネルを示す概略構造図である。
【図２】本発明の実施形態による、キャリアアグリゲーションシステムの論理構造を示す概略図である。
【図３】本発明の実施形態による、フィードバック情報を送信する方法を示す流れ図である。
【図４】本発明の実施形態による、フィードバック情報を送信する別の方法を示す流れ図である。
【図５】本発明の実施形態による、ＤＡＩインデックスインジケータを示す概略図である。
【図６】本発明の実施形態による、ＤＡＩインデックスインジケータおよびＤＡＩ総量インジケータを示す概略図である。
【図７】本発明の実施形態による、別のＤＡＩインデックスインジケータおよび別のＤＡＩ総量インジケータを示す概略図である。
【図８】本発明の実施形態による、別のＤＡＩインデックスインジケータおよび別のＤＡＩ総量インジケータを示す概略図である。
【図９】本発明の実施形態による、別のＤＡＩインデックスインジケータおよび別のＤＡＩ総量インジケータを示す概略図である。
【図１０】本発明の実施形態による、フィードバック情報を送信する別の方法を示す流れ図である。
【図１１】本発明の実施形態による、フィードバック情報を送信する別の方法を示す流れ図である。
【図１２】本発明の実施形態による、別のＤＡＩインデックスインジケータおよび別のＤＡＩ総量インジケータを示す概略図である。
【図１３】本発明の実施形態による、別のＤＡＩインデックスインジケータおよび別のＤＡＩ総量インジケータを示す概略図である。
【図１４】本発明の実施形態による、別のＤＡＩインデックスインジケータおよび別のＤＡＩ総量インジケータを示す概略図である。
【図１５】本発明の実施形態による、別のＤＡＩインデックスインジケータおよび別のＤＡＩ総量インジケータを示す概略図である。
【図１６】本発明の実施形態による、フィードバック情報を送信する別の方法を示す流れ図である。
【図１７】本発明の実施形態による、フィードバック情報を送信する別の方法を示す流れ図である。
【図１８】本発明の実施形態による、フィードバック情報を受信する方法を示す流れ図である。
【図１９】本発明の実施形態による、フィードバック情報を受信する別の方法を示す流れ図である。
【図２０】本発明の実施形態による、フィードバック情報を受信する別の方法を示す流れ図である。
【図２１】本発明の実施形態による、フィードバック情報を受信する別の方法を示す流れ図である。
【図２２】本発明の実施形態による、フィードバック情報を受信する別の方法を示す流れ図である。
【図２３】本発明の実施形態による、フィードバック情報を受信する別の方法を示す流れ図である。
【図２４】本発明の実施形態による、ＵＥの論理構造を示す概略図である。
【図２５】本発明の実施形態による、別のＵＥの論理構造を示す概略図である。
【図２６】本発明の実施形態による、別のＵＥの論理構造を示す概略図である。
【図２７】本発明の実施形態による、別のＵＥの論理構造を示す概略図である。
【図２８】本発明の実施形態による、別のＵＥの論理構造を示す概略図である。
【図２９】本発明の実施形態による、アクセスネットワークデバイスの論理構造を示す概略図である。
【図３０】本発明の実施形態による、別のアクセスネットワークデバイスの論理構造を示す概略図である。
【図３１】本発明の実施形態による、別のアクセスネットワークデバイスの論理構造を示す概略図である。
【図３２】本発明の実施形態による、別のアクセスネットワークデバイスの論理構造を示す概略図である。
【図３３】本発明の実施形態による、別のアクセスネットワークデバイスの論理構造を示す概略図である。
【図３４】本発明の実施形態による、フィードバック情報を送信する方法でのＵＥの論理構造を示す概略図である。
【図３５】本発明の実施形態による、フィードバック情報を受信する方法でのアクセスネットワークデバイスの論理構造を示す概略図である。
【発明を実施するための形態】
【００９８】
以下は、本発明の実施形態において添付図面を参照して本発明の実施形態における技術的解決策を明瞭かつ完全に説明する。明らかに、説明される実施形態は、本発明の実施形態の一部にすぎず、すべてではない。創作的労力を伴わずに本発明の実施形態に基づいて当業者によって入手されるすべての他の実施形態は、本発明の保護範囲内に含まれなければならない。
【００９９】
ＬＴＥシステムのダウンリンクおよびアップリンクは、それぞれ、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ、直交周波数分割多元接続）およびＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅｘｉｎｇ  Ａｃｃｅｓｓ、シングルキャリア周波数分割多元接続）に基づく。時間周波数リソースは、時間領域次元ではＯＦＤＭシンボルまたはＳＣ−ＦＤＭＡシンボル（以下では時間領域シンボルと呼ばれる）に、周波数領域次元ではサブキャリアに分割される。最小リソース粒度は、１ＲＥ（Ｒｅｓｏｕｒｃｅ  Ｅｌｅｍｅｎｔ、リソースエレメント）と呼ばれる。ＲＥは、時間領域で１つの時間領域シンボル、周波数領域で１つのサブキャリアを含む時間周波数格子を表す。
【０１００】
ＬＴＥシステムでは、サービス送信が、基地局に基づいてスケジューリングされる。スケジューリングの基本時間単位は、１サブフレームである。１サブフレームは、複数の時間領域シンボルを含む。特定のスケジューリング手順では、基地局は、制御チャネル上でＰＤＳＣＨ（Ｐｈｙｓｉｃａｌ  Ｄｏｗｎｌｉｎｋ  Ｓｈａｒｅｄ  Ｃｈａｎｎｅｌ、物理ダウンリンク共有チャネル）またはＰＵＳＣＨ（Ｐｈｙｓｉｃａｌ  Ｕｐｌｉｎｋ  Ｓｈａｒｅｄ  Ｃｈａｎｎｅｌ、物理アップリンク共有チャネル）のスケジューリング情報を送信する。制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）またはＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、拡張物理ダウンリンク制御チャネル）とされ得る。スケジューリング情報は、リソース割振り情報または符号化調整方式どの制御情報を含む。さらに、ＵＥは、サブフレーム内の制御チャネルを検出し、検出された制御チャネル内で搬送されるスケジューリング情報に従って、ダウンリンクデータチャネルを受信しまたはアップリンクデータチャネルを送信する。
【０１０１】
ＬＴＥは、２つの複信モードすなわち、ＦＤＤ（Ｆｒｅｑｕｅｎｃｙ  Ｄｉｖｉｓｉｏｎ  Ｄｕｐｌｅｘｉｎｇ、周波数分割複信）およびＴＤＤ（Ｔｉｍｅ  Ｄｉｖｉｓｉｏｎ  Ｄｕｐｌｅｘｉｎｇ、時分割複信）をサポートする。ＦＤＤシステムに関して、ダウンリンク送信およびアップリンク送信は、異なるキャリア上で実行される。ＴＤＤシステムに関して、アップリンク送信およびダウンリンク送信は、１つのキャリア上であるが、異なる瞬間に実行される。１つのＴＤＤキャリアは、具体的には、ダウンリンクサブフレーム、アップリンクサブフレーム、および特殊なサブフレームを含む。特殊なサブフレームは、３つの部分すなわち、ＤｗＰＴＳ（Ｄｏｗｎｌｉｎｋ  Ｐｉｌｏｔ  Ｔｉｍｅ  Ｓｌｏｔ、ダウンリンクパイロットタイムスロット）、ＧＰ（Ｇｕａｒｄ  Ｐｅｒｉｏｄ、ガード期間）、およびＵｐＰＴＳ（Ｕｐｌｉｎｋ  Ｐｉｌｏｔ  Ｔｉｍｅ  Ｓｌｏｔ、アップリンクパイロットタイムスロット）を含む。ＧＰは、主に、デバイスコンバージョン時間期間およびダウンリンクからアップリンクへの伝搬遅延を補償するのに使用される。さらに、ダウンリンクデータは、ＤｗＰＴＳ内で送信され得るが、アップリンクデータは、ＵｐＰＴＳ内で送信され得ない。したがって、特殊なサブフレームは、ダウンリンクサブフレームと考えられ得る。ＬＴＥは、現在、７つの異なるＴＤＤアップリンク／ダウンリンク構成をサポートする。表１に示されているように、Ｄはダウンリンクサブフレームを表し、Ｓは特殊なサブフレームを表し、Ｕはアップリンクサブフレームを表す。
【０１０２】
ＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）機構が、ＬＴＥで使用される。ダウンリンクが、例として使用される。ＵＥが、ＰＤＳＣＨ上で搬送される情報を受信した後に、その情報が正しく復号される場合に、ＵＥは、ＰＵＣＣＨ上でＡＣＫ情報をフィードバックする。情報が不正に復号される場合に、ＵＥは、ＰＵＣＣＨ上でＮＡＣＫ情報をフィードバックする。ＦＤＤに関して、サブフレームｎ−４内で、ＰＤＳＣＨ上で搬送される情報を受信した後に、ＵＥは、サブフレームｎ内でＡＣＫ情報またはＮＡＣＫ情報をフィードバックする。
【０１０３】
【表１】
0006547062.tif 000002
【０１０４】
ＴＤＤに関して、ＰＤＳＣＨとＰＤＳＣＨに対応するＡＣＫ情報またはＮＡＣＫ情報との間の時間シーケンス関係が、表２に示されている。番号を用いてマークされたサブフレームは、ＡＣＫ情報またはＮＡＣＫ情報をフィードバックするのに使用されるアップリンクサブフレームｎであり、マークされた番号は、ダウンリンクサブフレームセットｎ−ｋ（ｋはＫに属する）内のＰＤＳＣＨに対応するＡＣＫ情報またはＮＡＣＫ情報がアップリンクサブフレームｎ内でフィードバックされる必要があることを表す。たとえば、アップリンク／ダウンリンク構成が１である、その番号がｎ＝２であるサブフレーム内のＫ＝｛７，６｝は、アップリンクサブフレームｎ＝２が、２つのダウンリンクサブフレームｎ−７およびｎ−６内のＰＤＳＣＨに対応するＡＣＫ情報またはＮＡＣＫ情報をフィードバックするのに使用されることを表す。具体的には、ｎ−７は、ダウンリンクサブフレーム５であり、ｎ−６は、ダウンリンクサブフレーム６である。
【０１０５】
ＬＴＥは、ＣＡ技術をさらにサポートする。すなわち、基地局は、ＵＥのデータ送信レートを改善するためにＵＥのために複数のキャリアを構成する。ＣＡが実行される時に、基地局によって送信される複数のキャリアは、時間において同期しており、ＵＥは、各キャリアをスケジューリングするＰＤＣＣＨおよび対応するＰＤＳＣＨをそれぞれ検出し得る。キャリアごとの特定の検出プロセスは、単一キャリアの前述のケースに類似し、詳細は、本明細書ではもはや説明されない。ＬＴＥシステムは、ＦＤＤ  ＣＡ、ＴＤＤ  ＣＡ、およびＦＤＤ＋ＴＤＤ  ＣＡをサポートする。ＴＤＤ  ＣＡは、１つのアップリンク／ダウンリンク構成のＴＤＤ  ＣＡと、異なるアップリンク／ダウンリンク構成のＴＤＤ  ＣＡとをさらに含む。１つの主キャリアおよび少なくとも１つの副キャリアが、ＣＡモードにおいて提供され、ＡＣＫ情報またはＮＡＣＫ情報を搬送するＰＵＣＣＨが、ＵＥの主キャリア上でのみ構成され得ることに留意されたい。
【０１０６】
【表２】
0006547062.tif 000003
【０１０７】
ＣＡモードでのＰＵＣＣＨ送出モードは、２つのモードすなわち、チャネル選択モードおよびＰＵＣＣＨフォーマット３を含む。チャネル選択モードでは、ＰＵＣＣＨフォーマット１ａ／１ｂが、ＡＣＫ情報またはＮＡＣＫ情報をフィードバックするのに使用される。しかし、チャネル選択モードは、最大で２つのキャリアのＣＡをサポートする。ＰＵＣＣＨフォーマット３（ＰＦ３）モードでは、ＤＦＴ−Ｓ−ＯＦＤＭ（Ｄｉｓｃｒｅｔｅ  Ｆｏｕｒｉｅｒ  Ｔｒａｎｓｆｏｒｍ−Ｓｐｒｅａｄ−ＯＦＤＭ、離散フーリエ変換拡散直交周波数分割多重）の送信方式が使用される。この送信方式のチャネル構造が、図１に示されている。現在のＰＦ３は、最大で２２個の元の情報ビットの送信をサポートすることができる。
【０１０８】
具体的には、ＲＭ（Ｒｅｅｄ  Ｍｕｌｌｅｒ、リードマラー）チャネルコーディングが、４８個の符号化されたビットを生成するために元のＡＣＫ情報またはＮＡＣＫ情報のビット（たとえば、２０ビット）に対して実行され、その後、スクランブリングが実行され、変調が、２４個のＱＰＳＫ（Ｑｕａｄｒａｔｕｒｅ  Ｐｈａｓｅ  Ｓｈｉｆｔ  Ｋｅｙｉｎｇ、四位相偏移変調）シンボルを入手するために実行される。２４個のＱＰＳＫは、１つのサブフレームの２つのタイムスロット内に別々に配置される。このようにして、各タイムスロットは、１２個のＱＰＳＫシンボルを有する。具体的には、１２個のＱＰＳＫシンボルは、タイムスロットの１つの時間領域シンボル上の１２個の連続するサブキャリア内に配置される、すなわち、１つのＲＢ（Ｒｅｓｏｕｒｃｅ  Ｂｌｏｃｋ、リソースブロック）内の１つの時間領域シンボル上の１２個のサブキャリアを占有する。その後、タイムスロットごとに、ＯＣＣ（Ｏｒｔｈｏｇｏｎａｌ  Ｃｏｖｅｒ  Ｃｏｄｅ、直交カバーコード）拡散が、５の長さによって時間領域内で実行され、１つのＲＢ内の５つの時間領域シンボルが、占有される。異なるＵＥは、異なるＯＣＣを使用することによって１つのＲＢ上で符号分割多重化を実行し得、残りの２つのシンボルは、ＲＳ（Ｒｅｆｅｒｅｎｃｅ  Ｓｉｇｎａｌ、参照信号）を搬送するのに使用される。最後に、ＤＦＴ（Ｄｉｓｃｒｅｔｅ  Ｆｏｕｒｉｅｒ  Ｔｒａｎｓｆｏｒｍ、離散フーリエ変換）プリコーディングが実行され、プリコーディングの結果が基地局に送信される。
【０１０９】
現在のネットワークでのメインストリームＴＤＤアップリンク／ダウンリンク構成２が、例として使用される。１つのキャリアのアップリンクサブフレーム２は、４ビットのＡＣＫ情報またはＮＡＣＫ情報のフィードバックをサポートし得る。５つのキャリアを有するＴＤＤアップリンク／ダウンリンク構成２のＣＡは、２０ビットのＡＣＫ情報またはＮＡＣＫ情報のフィードバックをサポートし得る。このケースでは、アップリンクサブフレーム２に関連する事前に構成されたダウンリンクサブフレームセットは、ＵＥのために構成された５つのキャリアの前述のダウンリンクサブフレーム４、５、６、および８を含むと考えられ得る。ＰＦ３モードでは、アップリンクサブフレーム２内でフィードバックされる必要があるＡＣＫ情報またはＮＡＣＫ情報のコードブックの生成は、アップリンクサブフレーム２に関連する事前に構成されたダウンリンクサブフレームセットに基づいて判定される。ＡＣＫ情報またはＮＡＣＫ情報のコードブックは、コーディングの前のＡＣＫ情報またはＮＡＣＫ情報のものである、特定の順序に従って配置された元のビットのビットストリームである。この例のＡＣＫ情報またはＮＡＣＫ情報のコードブックのサイズは、２０である。特定の順序は、キャリアが続くサブフレームの順序とされ得る、すなわち、キャリア１のサブフレーム４、５、６、および８に対応するＡＣＫ情報またはＮＡＣＫ情報のビットが、まず配置され、キャリア２のサブフレーム４，５，６、および８に対応するＡＣＫ情報またはＮＡＣＫ情報のビットが、次に配置され、残りのキャリアのサブフレームに対応するＡＣＫ情報またはＮＡＣＫ情報のビットが、前述の方式で配置される。具体的には、スケジューリングされないダウリンクサブフレーム内またはダウンリンクデータがＵＥによって受信されないダウンリンクサブフレームに対応するＡＣＫ情報またはＮＡＣＫ情報のビットの位置で、ＮＡＣＫ情報は、パディングされる必要がある。
【０１１０】
さらに、より多くのキャリアが導入されるＣＡシナリオ（以下ではスーパーＣＡと呼ばれる）において、より多くのビットを有するＡＣＫ情報またはＮＡＣＫ情報のフィードバックが、サポートされる必要がある。たとえば、１０個のキャリアのＣＡが、サポートされる必要がある。ＣＡが、ＴＤＤアップリンク／ダウンリンク構成２で１０個のキャリアを使用することによって実行される時に、４０ビットのＡＣＫ／ＮＡＣＫがフィードバックされる必要がある。別のシナリオでは、それでも、最大で５つのキャリアのＣＡがサポートされる。しかし、複数のキャリアは、ＴＤＤアップリンク／ダウンリンク構成５に構成される。たとえば、主キャリアは、アップリンク／ダウンリンク構成２に属し、４つの副キャリアは、アップリンク／ダウンリンク構成５に属する。表２を参照すると、アップリンク／ダウンリンク構成２の１つの主キャリアのアップリンクサブフレーム２は、４ビットのＡＣＫ情報またはＮＡＣＫ情報のフィードバックをサポートし得、アップリンク／ダウンリンク構成２の１つの副キャリアのアップリンクサブフレーム２は、９ビットのＡＣＫ情報またはＮＡＣＫ情報のフィードバックをサポートし得る。したがって、合計４＋９＊４＝４０ビットのＡＣＫ情報またはＮＡＣＫ情報が、フィードバックされる必要がある。
【０１１１】
スーパーＣＡに関して、相対的に大量のキャリアがＵＥのために構成されるが、サブフレーム内で実際にスケジューリングされる多数のキャリアおよび／またはダウンリンクサブフレームが必ずあるとは限らず、たとえば、３２個のキャリアを有するＴＤＤアップリンク／ダウンリンク構成２が構成される。したがって、アップリンクサブフレーム２に関連する事前に構成されたダウンリンクサブフレームセットは、１２８個のダウンリンクサブフレームを含む。しかし、実際にスケジューリングされるダウンリンクサブフレームの量は、１２８個よりはるかに少ない場合がある。たとえば、１０個のキャリアだけがスケジューリングされる、すなわち、ＡＣＫ情報またはＮＡＣＫ情報のサイズは、４０ビット未満である。このケースでは、事前に構成されたダウンリンクサブフレームセットに基づいてＡＣＫ情報またはＮＡＣＫ情報のコードブックを判定する現在の方式がそれでも使用される場合に、大量のＮＡＣＫ情報がパディングされ、低いアップリンクリソース利用をもたらす。
【０１１２】
アップリンクリソース利用を改善するために、本発明の実施形態は、フィードバック情報を送信する方法を提供する。この方法は、主に現在のＣＡシステムに適用される。図２に示されているように、ＣＡシステムは、アクセスネットワークデバイスおよびＵＥを含む。図２では、アクセスネットワークデバイスが基地局である例が使用される。このＣＡシステムでは、より多くのキャリアのＣＡが導入され得、または、５つのキャリアの現在のＣＡが保たれ得ることに留意されたい。
【０１１３】
本発明の実施形態は、フィードバック情報を送信する方法を提供する。この方法は、ＵＥに適用される。図３に示されているように、この方法は、以下のステップを含む。
【０１１４】
３０１  ＵＥが、事前に構成されたダウンリンクサブフレームセット内のダウンリンクサブフレーム内で、ダウンリンク共有チャネルを使用することによってアクセスネットワークデバイスによって送信されるダウンリンクデータと、ダウンリンク制御チャネルを使用することによってアクセスネットワークデバイスによって送信されるＤＡＩインデックスインジケータおよびＤＡＩ総量インジケータとを受信する。
【０１１５】
アップリンク／ダウンリンク構成が判定されるケースでは、アップリンクサブフレームと事前に構成されたダウンリンクサブフレームセットとの間に１対１対応がある。事前に構成されたダウンリンクサブフレームセットは、アップリンクサブフレームに関連する、ＵＥのために事前に構成されたすべてのキャリアのすべてのダウンリンクサブフレームからなるセットである。
【０１１６】
スーパーＣＡのシナリオでは、基地局がＵＥのために複数のキャリアを構成することに留意されたい。複数のキャリアは、ＦＤＤキャリアまたはＴＤＤキャリアとされ得る。各キャリアは、複数のダウンリンクサブフレームを含む。ＴＤＤに関して、異なるキャリアは、同一のアップリンク／ダウンリンク構成または異なるアップリンク／ダウンリンク構成を有し得る。同一のアップリンク／ダウンリンク構成２の１０個のＴＤＤキャリアがＵＥのために構成される例が、使用される。表２に従って知られ得るように、主キャリアのアップリンクサブフレーム２は、１０個のキャリアのダウンリンクサブフレーム４、５、６、および８に関連する。したがって、アップリンクサブフレーム２に関連する事前に構成されたダウンリンクサブフレームセットは、４０個のダウンリンクサブフレームすなわち１０個のキャリアのダウンリンクサブフレーム４、５、６、および８からなるセットである。この事前に構成されたダウンリンクサブフレームセットは、事前に構成されたダウンリンクサブフレームセット１と呼ばれる。主キャリアのアップリンクサブフレーム７は、１０個のキャリアのダウンリンクサブフレーム９、０、１、および３に関連する。したがって、アップリンクサブフレーム７に関連する事前に構成されたダウンリンクサブフレームセットは、４０個のダウンリンクサブフレームすなわち１０個のキャリアのダウンリンクサブフレーム９、０、１、および３からなるセットである。この事前に構成されたダウンリンクサブフレームセットは、事前に構成されたダウンリンクサブフレームセット２と呼ばれる。
【０１１７】
本発明のこの実施形態では、ダウンリンクサブフレームは、通常のダウンリンクサブフレームを含み、ＴＤＤシステム内の特殊なサブフレームをさらに含む。
【０１１８】
さらに、ＵＥによって受信されるダウンリンクデータを搬送するのに使用されるダウンリンク共有チャネルが、第１のダウンリンク共有チャネルを含み、または第１のダウンリンク共有チャネルおよび第２のダウンリンク共有チャネルを含むことに留意されたい。
【０１１９】
第１のダウンリンク共有チャネルは、ダウンリンク制御チャネルによってスケジューリングされる動的ダウンリンク共有チャネルである。複数の第１のダウンリンク共有チャネルは、独立のダウンリンク制御チャネルによってそれぞれスケジューリングされ得、または、１つのダウンリンク制御チャネルによってスケジューリングされ得る。あるいは、いくつかの第１のダウンリンク共有チャネルが、独立のダウンリンク制御チャネルによってそれぞれスケジューリングされ得、残りの第１のダウンリンク共有チャネルが、１つのダウンリンク制御チャネルによってスケジューリングされ得る。本発明のこの実施形態では、各第１のダウンリンク共有チャネルが独立のダウンリンク制御チャネルによってスケジューリングされる例が使用される。
【０１２０】
第２のダウンリンク共有チャネルは、ダウンリンク制御チャネルによってはスケジューリングされない、ＳＰＳ（Ｓｅｍｉ−Ｐｅｒｓｉｓｔｅｎｔ  ｓｃｈｅｄｕｌｉｎｇ、半永続スケジューリング）ダウンリンク共有チャネルである。ＳＰＳ機構がアクティブ化された後に、ＳＰＳダウンリンク共有チャネルは、データ送信がＨＡＲＱによって最初に実行される時に、ダウンリンク制御チャネルによってスケジューリングされる必要がない。その代わりに、ダウンリンクデータは、事前に構成された期間内に送信される。たとえば、ダウンリンクデータは、２０ミリ秒おきに１回送信される。ダウンリンクデータの初期送信が、ＳＰＳダウンリンク共有チャネル上で失敗する場合に、アクセスネットワークデバイスは、ＳＰＳダウンリンク共有チャネル上で再送信スケジューリングを実行する必要があり、再送信スケジューリングが実行された後に、ダウンリンク共有チャネルは、第１のダウンリンク共有チャネルに変えられる。第１のダウンリンク共有チャネルは、ダウンリンク制御チャネルによってスケジューリングされる必要がある。
【０１２１】
このステップで、ＵＥが、事前に構成されたダウンリンクサブフレームセット内のダウンリンクサブフレーム内で、ダウンリンク共有チャネルを使用することによってアクセスネットワークデバイスによって送信されるダウンリンクデータを受信することは、具体的には以下のステップを含み得る。
【０１２２】
ステップ１  ＵＥが、ダウンリンク制御チャネルを検出する。
【０１２３】
ＵＥは、事前に構成されたダウンリンクサブフレームセット内の各ダウンリンクサブフレーム内のダウンリンク制御チャネルを検出し得、または、事前に構成されたダウンリンクサブフレームセット内のいくつかのダウンリンクサブフレームのみの中でダウンリンク制御チャネルを検出し得る。
【０１２４】
ステップ２  ＵＥが、検出されたダウンリンク制御チャネルによってスケジューリングされる第１のダウンリンク共有チャネルを判定する。
【０１２５】
ダウンリンク制御チャネルおよびダウンリンク制御チャネルによってスケジューリングされる第１のダウンリンク共有チャネルは、一般に、１つのダウンリンクサブフレーム内にある。
【０１２６】
ステップ３  ＵＥが、第１のダウンリンク共有チャネル上でダウンリンクデータを受信し、事前に構成された期間に従って第２のダウンリンク共有チャネル上でダウンリンクデータを受信する。
【０１２７】
ダウンリンク共有チャネル上でダウンリンクデータを受信した後に、ＵＥが、これらのダウンリンク共有チャネルのＡＣＫ情報またはＮＡＣＫ情報すなわち、ダウンリンク共有チャネルに対応するフィードバック情報をフィードバックする必要があることが理解され得る。
【０１２８】
ＤＡＩインデックスインジケータおよびＤＡＩ総量インジケータが、独立のダウンリンク制御チャネル上で搬送され得、またはダウンリンク共有チャネルをスケジューリングするのに使用されるダウンリンク制御チャネル上で搬送され得ることに、さらに留意されたい。本発明のこの実施形態では、ＤＡＩインデックスインジケータおよびＤＡＩ総量インジケータは、好ましくは、ダウンリンク共有チャネルをスケジューリングするのに使用されるダウンリンク制御チャネル上で搬送される。
【０１２９】
３０２  ＵＥが、ダウンリンク共有チャネルに対応するフィードバック情報を送信するのに使用されるアップリンクサブフレームを判定する。
【０１３０】
フィードバック情報は、ＡＣＫ情報およびＮＡＣＫ情報を含む。ＵＥが、ダウンリンク共有チャネル上でダウンリンクデータを正しく受信する時に、ダウンリンク共有チャネルに対応するフィードバック情報は、ＡＣＫ情報である。ＵＥが、ダウンリンク共有チャネル上でダウンリンクデータを正しくは受信しない時に、ダウンリンク共有チャネルに対応するフィードバック情報は、ＮＡＣＫ情報である。
【０１３１】
たとえば、アップリンク／ダウンリンク構成が２である時に、ＵＥは、ダウンリンクサブフレーム４のダウンリンク共有チャネル上でダウンリンクデータを受信する。表２から、アップリンク／ダウンリンク構成が２であるケースでは、アップリンクサブフレームｎ＝２が、４つのダウンリンクサブフレーム、ｎ−８、ｎ−７、ｎ−４、およびｎ−６をフィードバックするのに使用され、ｎ−８、ｎ−７、ｎ−４、およびｎ−６は、それぞれ、ダウンリンクサブフレーム４、５、６、および８であることを知ることができる。したがって、ダウンリンクサブフレーム４に対応するアップリンクサブフレームがアップリンクサブフレーム２であり、ダウンリンク共有チャネルに対応するフィードバック情報を送信するのに使用されるアップリンクサブフレームがアップリンクサブフレーム２であると判定される。
【０１３２】
前述のステップ３０１で、ＵＥが、事前に構成されたダウンリンクサブフレームセット１のダウンリンクサブフレーム４内で、ダウンリンク共有チャネル１を使用することによってアクセスネットワークデバイスによって送信されるダウンリンクデータを受信し、事前に構成されたダウンリンクサブフレームセット２のダウンリンクサブフレーム３内で、ダウンリンク共有チャネル２を使用することによってアクセスネットワークデバイスによって送信されるダウンリンクデータをも受信する場合に、ステップ３０２で、ＵＥは、ダウンリンク共有チャネル１のフィードバック情報を送信するのに使用されるアップリンクサブフレームがアップリンクサブフレーム２であり、ダウンリンク共有チャネル２のフィードバック情報を送信するのに使用されるアップリンクサブフレームがアップリンクサブフレーム７であると判定し得る。
【０１３３】
３０３  ＵＥが、ＤＡＩインデックスインジケータおよびＤＡＩ総量インジケータに従ってフィードバック情報のコードブックを判定する。
【０１３４】
ある実装方式では、フィードバック情報のコードブックは、リアルタイムスケジューリングダウンリンクサブフレームサブセット内のすべてのまたはいくつかのダウンリンクサブフレームに対応し、リアルタイムスケジューリングダウンリンクサブフレームサブセットは、アクセスネットワークデバイスによって実際にスケジューリングされるダウンリンクサブフレームからなるセットであり、リアルタイムスケジューリングダウンリンクサブフレームサブセットは、事前に構成されたダウンリンクサブフレームセットに属する。
【０１３５】
それでも、同一のアップリンク／ダウンリンク構成２の１０個のＴＤＤキャリアがＵＥのために構成される例が、使用される。アップリンクサブフレーム２に関連する事前に構成されたダウンリンクサブフレームセットは、４０個のダウンリンクサブフレームすなわち、１０個のキャリアのダウンリンクサブフレーム４、５、６、および８からなるセットである。アクセスネットワークデバイスは、キャリア１から７のダウンリンクサブフレーム４、キャリア１、３、および５のダウンリンクサブフレーム５、キャリア１から６のダウンリンクサブフレーム６、ならびにキャリア１から５のダウンリンクサブフレーム８を実際にスケジューリングする。したがって、キャリア１から７のダウンリンクサブフレーム４、キャリア１、３、および５のダウンリンクサブフレーム５、キャリア１から６のダウンリンクサブフレーム６、ならびにキャリア１から５のダウンリンクサブフレーム８からなるセットは、アップリンクサブフレーム２に関連するリアルタイムスケジューリングダウンリンクサブフレームサブセットである。アップリンクサブフレーム２内で送信される必要があるフィードバック情報のコードブックは、アップリンクサブフレーム２に関連するリアルタイムスケジューリングダウンリンクサブフレームサブセット内のすべてのまたはいくつかのダウンリンクサブフレームに対応する。
【０１３６】
ＵＥが、ダウンリンク共有チャネルを使用することによってアクセスネットワークデバイスによって送信されるダウンリンクデータを受信した後に、ＵＥは、表２で指定される時間シーケンス関係に従って、各アップリンクサブフレーム内で送信される必要があるフィードバック情報を判定する。ＵＥは、受信されたダウンリンクデータが属するダウンリンク共有チャネルのフィードバック情報を判定し得る。しかし、ＵＥは、検出の際にダウンリンク制御チャネルを見逃すことがある。したがって、受信されたダウンリンクデータが属するダウンリンク共有チャネルのフィードバック情報が判定される必要があるだけではなく、検出の際に見逃されるダウンリンク制御チャネルがＤＡＩインデックスインジケータおよびＤＡＩ総量インジケータに従って判定される必要もある。検出の際に見逃されるダウンリンク制御チャネルによってスケジューリングされるダウンリンク共有チャネルに対応するフィードバック情報は、ＮＡＣＫである。その後、ＵＥは、ＤＡＩインデックスインジケータおよびＤＡＩ総量インジケータに従って、各アップリンクサブフレーム内で送信される必要があるフィードバック情報のコードブックを生成し得る。
【０１３７】
フィードバック情報のコードブックは、１および０からなるビットストリームであり、「１」はＡＣＫ情報を表し、「０」はＮＡＣＫ情報を表す。
【０１３８】
本発明のこの実施形態では、フィードバック情報のコードブックが、リアルタイムスケジューリングダウンリンクサブフレームサブセット内のすべてのまたはいくつかのダウンリンクサブフレームに対応するので、ＵＥは、実際にスケジューリングされるダウンリンクサブフレームのみの中のダウンリンクデータチャネルのＡＣＫ情報またはＮＡＣＫ情報をフィードバックする必要があり、スケジューリングされないダウンリンクサブフレーム内のダウンリンクデータチャネルに対応するフィードバック情報をフィードバックする必要がない、すなわち、ＮＡＣＫパディングは、スケジューリングされないダウンリンクサブフレーム内で実行される必要がない。
【０１３９】
別の実装方式では、フィードバック情報がＡＣＫ情報またはＮＡＣＫ情報である例が使用される。説明の簡単さのために、ＡＣＫ情報またはＮＡＣＫ情報は、集合的にＨＡＲＱ−ＡＣＫと呼ばれる。任意選択で、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得る。しかし、パディングＮＡＣＫが含まれるかどうかにかかわりなく、ＨＡＲＱ−ＡＣＫコードブック内のビットの量は、事前に構成されたダウンリンクサブフレームセットに対応するＨＡＲＱ−ＡＣＫ内のビットの量未満である必要があることに留意されたい。任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る。リアルタイムスケジューリングダウンリンクサブフレームサブセットは、アクセスネットワークデバイスによって実際にスケジューリングされるダウンリンクサブフレームからなるセットであり、リアルタイムスケジューリングダウンリンクサブフレームサブセットは、事前に構成されたダウンリンクサブフレームセットに属する。この実施形態では、基地局がダウンリンクサブフレーム内でダウンリンクデータをスケジューリングする時に、基地局が、リアルタイムスケジューリングダウンリンクサブフレームサブセット内にあり、その中でダウンリンクデータがＵＥのために実際にスケジューリングされるダウンリンクサブフレームの量を正確に判定できないことがあり得る。したがって、このケースでは、１つのＨＡＲＱ−ＡＣＫコードブック内のビットの量は、事前に推定され得る。リアルタイムスケジューリングダウンリンクサブフレームサブセット内にあり、その中でダウンリンクデータが実際にスケジューリングされるダウンリンクサブフレームの量が、最終的に、コードブック内のビットの事前に推定された量未満である時に、ＵＥと基地局との両方は、少なくとも１つのＮＡＣＫがコードブックの末尾でパディングされると判定する。パディングされるＮＡＣＫの特定の量は、コードブック内のビットの事前に推定された量から、リアルタイムスケジューリングダウンリンクサブフレームサブセット内にあり、その中でダウンリンクデータが実際にスケジューリングされるダウンリンクサブフレームの量またはダウンリンクサブフレーム内のトランスポートブロックの量を引いたものである。
【０１４０】
３０４  ＵＥが、コードブックに従ってフィードバック情報に対してチャネルコーディングを実行する。
【０１４１】
ＵＥがフィードバック情報のコードブックを判定した後に、ＵＥは、コードブックに従ってチャネルコーディングを実行する必要がある。チャネルコーディングのタイプは、線形ブロックコーディング（ｌｉｎｅａｒ  ｂｌｏｃｋ  ｃｏｄｉｎｇ）、畳み込みコーディングなどとされ得、本発明は、チャネルコーディングのタイプを限定しない。既存のブロックコーディング、たとえばリードマラーコーディングが使用される場合に、一般に、ＣＲＣ（Ｃｙｃｌｉｃａｌ  Ｒｅｄｕｎｄａｎｃｙ  Ｃｈｅｃｋ、巡回冗長検査）がコーディングの前に実行される必要はない。畳み込みコーディングが使用される場合に、ＵＥは、コーディングの前にフィードバック情報のコードブックにＣＲＣビットを追加し得る。
【０１４２】
３０５  ＵＥが、アップリンクサブフレーム内で、チャネルコーディングがそれに対して実行されたフィードバック情報をアクセスネットワークデバイスに送信する。
【０１４３】
本発明のこの実施形態で提供されるフィードバック情報を送信する方法では、ＵＥは、事前に構成されたダウンリンクサブフレームセット内で、ダウンリンク共有チャネルを使用することによってアクセスネットワークデバイスによって送信されるダウンリンクデータを受信し、ダウンリンク共有チャネルに対応するフィードバック情報を送信するのに使用されるアップリンクサブフレームを判定し、その後、ＤＡＩインデックスインジケータおよびＤＡＩ総量インジケータに従ってフィードバック情報のコードブックを判定し、フィードバック情報のコードブックは、リアルタイムスケジューリングダウンリンクサブフレームサブセット内のすべてのまたはいくつかのダウンリンクサブフレームに対応し、その後、コードブックに従ってフィードバック情報に対してチャネルコーディングを実行し、最後に、アップリンクサブフレーム内で、チャネルコーディングがそれに対して実行されたフィードバック情報をアクセスネットワークデバイスに送信する。従来技術で事前に構成されたダウンリンクサブフレームセットに従ってフィードバック情報を符号化するために大量のＮＡＣＫがパディングされる必要があることによって引き起こされる低いアップリンクリソース利用と比較して、本発明では、受信されたダウンリンクデータが属するダウンリンク共有チャネルのフィードバック情報のコードブックは、ＤＡＩインデックスインジケータおよびＤＡＩ総量インジケータに従って判定され得る。フィードバック情報の判定されるコードブックが、リアルタイムスケジューリングダウンリンクサブフレームサブセット内のすべてのまたはいくつかのダウンリンクサブフレームに対応するので、ＵＥは、アクセスネットワークによって実際にスケジューリングされるダウンリンクサブフレーム内のダウンリンク共有チャネルのフィードバック情報だけをフィードバックする必要があり、スケジューリングされないダウンリンク共有チャネル上でＮＡＣＫパディングを実行する必要がなく、これによって、アップリンクリソース利用を改善する。
【０１４４】
前述の説明に関して、ダウンリンク共有チャネルが第１のダウンリンク共有チャネルおよび第２のダウンリンク共有チャネルを含むケースが存在するので、ＳＰＳ機構がアクティブ化された後に、ＵＥは、第２のダウンリンク共有チャネル上で搬送されるダウンリンクデータを周期的に受信し得る。実際の必要に従ってＳＰＳ機構をイネーブルしまたはディスエーブルするために、本発明のこの実施形態で提供される別の実装方式では、ＵＥが第２のダウンリンク共有チャネル上で搬送されるダウンリンクデータを周期的に受信するプロセスにおいて、ＵＥは、さらに、特殊なダウンリンク制御チャネルを検出する必要がある。特殊なダウンリンク制御チャネルは、第２のダウンリンク共有チャネル上でのダウンリンクデータの受信を終了するようにＵＥに命令するのに使用される。したがって、特殊なダウンリンク制御チャネルを検出した後に、ＵＥは、第２のダウンリンク共有チャネル上でのダウンリンクデータの受信を終了する。
【０１４５】
特殊なダウンリンク制御チャネルを検出した後に、ＵＥは、ＡＣＫ情報またはＮＡＣＫ情報をフィードバックする必要もある。したがって、リアルタイムスケジューリングダウンリンクサブフレームサブセットは、特殊なダウンリンク制御チャネルのダウンリンクサブフレームをさらに含む。
【０１４６】
図３に示された方法手順に関して、フィードバック情報をアクセスネットワークデバイスに送信する時に、ＵＥは、フィードバック情報を搬送するのに使用される物理リソースを判定する必要がある。したがって、ＵＥによってフィードバック情報を送信する方法が、本発明のこの実施形態で提供される別の実装方式で説明される。図４に示されているように、ＵＥによって、アップリンクサブフレーム内で、チャネルコーディングがそれに対して実行されたフィードバック情報をアクセスネットワークデバイスに送信する前述のステップ３０５は、具体的にはステップ４０１からステップ４０３として実施され得る。
【０１４７】
４０１  ＵＥが、アクセスネットワークデバイスによって送信されたリソースインジケータ情報に従って物理リソースを判定する。
【０１４８】
物理リソースは、ＰＵＣＣＨリソースまたはＰＵＳＣＨリソースとされ得る。物理リソースがＰＵＣＣＨリソースである例が、以下で説明のために使用される。
【０１４９】
まず、ＵＥは、アクセスネットワークデバイスによって送信された上位レイヤシグナリング、たとえばＲＲＣ（Ｒａｄｉｏ  Ｒｅｓｏｕｒｃｅ  Ｃｏｎｔｒｏｌ、無線リソース制御）シグナリングを受信し、ＲＲＣシグナリングから、アクセスネットワークデバイスによってＵＥのために構成されたＰＵＣＣＨリソースセットを入手する。ＰＵＣＣＨリソースセットは、少なくとも２つのＰＵＣＣＨリソースを含む。ＰＵＣＣＨリソースセット内のＰＵＣＣＨは、同一のフォーマットを有し得、または少なくとも２つのＰＵＣＣＨフォーマットを含み得る。その後、リソースセットを入手した後に、ＵＥは、アクセスネットワークデバイスによって送信されたリソースインジケータ情報を受信する。最後に、リソースインジケータ情報に従って、ＵＥは、ＰＵＣＣＨリソースセットから、フィードバック情報を搬送するのに使用される物理リソースを判定する。
【０１５０】
４０２  ＵＥが、符号化されたフィードバック情報を物理リソースにマッピングする。
【０１５１】
４０３  ＵＥが、アップリンクサブフレーム内の物理リソースを使用することによって、マッピングされたフィードバック情報をアクセスネットワークデバイスに送信する。
【０１５２】
ＵＥによって、前述のステップ３０２でＤＡＩインデックスインジケータおよびＤＡＩ総量インジケータに従ってフィードバック情報のコードブックを判定する方法が、以下で説明される。本発明のこの実施形態は、ＤＡＩインデックスインジケータの１つの値結果およびＤＡＩ総量インジケータの９つの値結果を提供し、値結果は、添付図面を参照して１つずつ説明される。
【０１５３】
ＤＡＩインデックスインジケータの値結果
【０１５４】
リアルタイムスケジューリングダウンリンクサブフレームサブセット内の各ダウンリンクサブフレームに対応するＤＡＩインデックスインジケータの値は、予め設定された順序でリアルタイムスケジューリングダウンリンクサブフレームサブセット内のサブフレームに対して累積カウントを実行することによって入手されるカウント値である。
【０１５５】
予め設定された順序は、第１の予め設定された順序でリアルタイムスケジューリングダウンリンクサブフレームサブセット内の同一のシーケンス番号を有するダウンリンクサブフレームを配置し、各サブフレームシーケンス番号に対応する第１の順序組合せを入手することと、第２の予め設定された順序で各サブフレームシーケンス番号に対応する第１の順序組合せを配置することとによって入手される順序である。第１の予め設定された順序は、キャリアシーケンス番号の昇順またはキャリアシーケンス番号の降順であり、第２の予め設定された順序は、サブフレーム瞬間の前から後ろへの順序またはサブフレーム瞬間の後ろから前への順序である。
【０１５６】
たとえば、図５に示されているように、事前に構成されたダウンリンクサブフレームセットは、キャリア１からキャリア１０のダウンリンクサブフレーム４、５、６、および８を含む。リアルタイムスケジューリングダウンリンクサブフレームサブセットは、２１個のダウンリンクサブフレームすなわち、キャリア１からキャリア７のダウンリンクサブフレーム４、キャリア１、キャリア３、およびキャリア５のダウンリンクサブフレーム５、キャリア１からキャリア６のダウンリンクサブフレーム６、ならびにキャリア１からキャリア５のダウンリンクサブフレーム８を含む。図５では、左から右への４列が、それぞれ、ダウンリンクサブフレーム４、ダウンリンクサブフレーム５、ダウンリンクサブフレーム６、およびダウンリンクサブフレーム８を表し、上から下への１０行が、それぞれ、キャリア１からキャリア１０を表す。
【０１５７】
図５に関して、そのシーケンス番号がリアルタイムスケジューリングダウンリンクサブフレームサブセット内で４であるダウンリンクサブフレームは、ダウンリンクサブフレーム４に対応する第１の順序組合せを入手するために、キャリアシーケンス番号の昇順で配置される。第１の順序組合せは、キャリア１からキャリア７のダウンリンクサブフレーム４を含み、図５の第１の列に対応する。
【０１５８】
同様に、ダウンリンクサブフレーム５に対応する第１の順序組合せは、キャリア１、キャリア３、およびキャリア５のダウンリンクサブフレーム５を含み、図５の第２の列に対応する。
【０１５９】
ダウンリンクサブフレーム６に対応する第１の順序組合せは、キャリア１からキャリア６のダウンリンクサブフレーム６を含み、図５の第３の列に対応する。
【０１６０】
ダウンリンクサブフレーム７に対応する第１の順序組合せは、キャリア１からキャリア５のダウンリンクサブフレーム８を含み、図５の第４の列に対応する。
【０１６１】
その後、ダウンリンクサブフレーム４、ダウンリンクサブフレーム５、ダウンリンクサブフレーム６、およびダウンリンクサブフレーム８に別々に対応する第１の順序組合せは、サブフレーム瞬間の前から後ろへの順序に従って配置されて、リアルタイムスケジューリングダウンリンクサブフレームサブセット内の２１個のダウンリンクサブフレームを予め設定された順序ですなわち、キャリア１のダウンリンクサブフレーム４、キャリア２のダウンリンクサブフレーム４、キャリア３のダウンリンクサブフレーム４、…、キャリア７のダウンリンクサブフレーム４、キャリア１のダウンリンクサブフレーム５、キャリア３のダウンリンクサブフレーム５、キャリア５のダウンリンクサブフレーム５、キャリア１のダウンリンクサブフレーム６、キャリア２のダウンリンクサブフレーム６、…、キャリア６のダウンリンクサブフレーム６、キャリア１のダウンリンクサブフレーム８、キャリア２のダウンリンクサブフレーム８、…、およびキャリア５のダウンリンクサブフレーム８の順序で配置するという結果を最終的に入手する。
【０１６２】
さらに、リアルタイムスケジューリングダウンリンクサブフレームサブセット内の各ダウンリンクサブフレームに対応するＤＡＩインデックスインジケータの値は、前述の配置の結果に従って各ダウンリンクサブフレームに対して累積カウントを実行することによって入手されるカウント値である。すなわち、前述の配置に従って、キャリア１のダウンリンクサブフレーム４からキャリア５のダウンリンクサブフレーム８のＤＡＩインデックスインジケータの値は、それぞれ、１、２、３、…、および２１である。
【０１６３】
しかし、２ビットが、一般にＤＡＩインデックスインジケータに使用され、４つの状態すなわち、００、０１、１０、および１１だけがある。４つの状態に対応する累積カウントのカウント値は、それぞれ１、２、３、および４である。すなわち、４つの値だけが、２ビットを有するＤＡＩインデックスのカウントを実行するのに使用され得る。したがって、実際の累積カウントの値が４より大きい時に、循環カウントが実行され得る、すなわち、１、２、３、４、１（５）、２（６）、３（７）、４（８）、…であり、循環カウントは、式Ｙ＝（Ｘ−１）  ｍｏｄ  ４＋１を使用することによって具体的に表され得、Ｘは、実際に累積されたカウント値、たとえば上に記載された１から８であり、Ｙは、循環剰余（ｃｙｃｌｉｃ  ｍｏｄｕｌｏ）演算の後に入手される値すなわち、前述の対応する１、２、３、４、１、２、３、４、…である。図５に示されたＤＡＩインデックスインジケータの値は、循環剰余演算の後に入手された値である。
【０１６４】
本発明が、この例のカウント方式を限定しないことに留意されたい。たとえば、循環累積カウントは、さらに、０から開始し得る。このケースでは、前述の例の順序に従って、ＤＡＩインデックスインジケータの値は、それぞれ０、１、２、３、０、１、２、３、…である。
【０１６５】
ＵＥは、ＤＡＩインデックスインジケータに従って、いくつかの実際にスケジューリングされたダウンリンク共有チャネルが検出の際に見逃されるかどうかを判定し得る。たとえば、ＵＥが、そのＤＡＩインデックスインジケータが１および３である２つのダウンリンクサブフレーム内でダウンリンク共有チャネルを継続的に検出する場合に、ＵＥは、２つのダウンリンクサブフレーム瞬間の間に、アクセスネットワークデバイスが別のダウンリンクサブフレーム内でダウンリンク共有チャネルをさらにスケジューリングすることを確認し得る。しかし、ＵＥは、検出の際にダウンリンク共有チャネルを見逃す。たとえば、ＵＥが、キャリア１のダウンリンクサブフレーム４内のダウンリンク共有チャネルおよびキャリア３のダウンリンクサブフレーム４内のダウンリンク共有チャネルを検出し、２つのＤＡＩインデックスインジケータがそれぞれ１および３である場合に、ＵＥが、検出の際に、そのＤＡＩインデックスインジケータが２であるダウンリンクサブフレーム内のダウンリンク共有チャネルすなわち、キャリア２のダウンリンクサブフレーム４内のダウンリンク共有チャネルを見逃すと判定され得る。ＵＥが、ダウンリンク共有チャネル上でダウンリンクデータを受信しないので、フィードバック情報のコードブックの生成中に、キャリア２のダウンリンクサブフレーム４内のダウンリンク共有チャネルに対応するフィードバック情報がＮＡＣＫ情報であると判定される。
【０１６６】
しかし、ＵＥは、２ビットのＤＡＩインデックスインジケータに従って、４つの連続するダウンリンク共有チャネルが検出の際に見逃されることを発見することができない。たとえば、ＵＥによって継続的に検出される２つのダウンリンク共有チャネルが属するダウンリンクサブフレームのＤＡＩインデックスインジケータの値は、それぞれ２および３である。このケースでは、アクセスネットワークデバイスが、そのＤＡＩインデックスインジケータの値がそれぞれ３、４、１、および２である別の４つのダウンリンクサブフレーム内でダウンリンク共有チャネルを実際にスケジューリングする場合であっても、ＵＥによって検出されるＤＡＩインデックスインジケータの値２および３が連続しているので、ＵＥは、ＵＥが検出の際にこれらのチャネルを見逃すことを発見することができない。一般に、ＵＥが検出の際に４つのダウンリンク共有チャネルを継続的に見逃す確率は、相対的に低い。
【０１６７】
さらに、ＵＥが、検出の際に、リアルタイムスケジューリングダウンリンクサブフレームサブセット内で最後の瞬間にダウンリンクサブフレーム内でスケジューリングされる１つまたは複数のダウンリンク共有チャネルを見逃す場合に、ＵＥは、ＤＡＩインデックスインジケータを使用することによって前述の状況を発見することができない。したがって、ＵＥは、ＤＡＩ総量インジケータおよびＤＡＩインデックスインジケータを使用することによって、最後の複数のダウンリンク共有チャネルが検出の際に見逃されるかどうかを判定する必要がある。本発明のこの実施形態では、ＤＡＩ総量インジケータの９つの値結果が、以下で提供される。以下の方法では、第１の情報は、
１、ダウンリンク共有チャネル、
２、ダウンリンク共有チャネル上のトランスポートブロック、および
３、ダウンリンク共有チャネルが属するダウンリンクキャリアのために構成された送信モードに対応するトランスポートブロック
という情報のうちの任意の１つとされ得る。
【０１６８】
ＤＡＩ総量インジケータの９つの値結果が、以下で提供される。
【０１６９】
ＤＡＩ総量インジケータの値結果１
【０１７０】
リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在のサブフレームシーケンス番号に対応する第１の順序組合せ内のダウンリンクサブフレーム内でスケジューリングされる第１の情報の総量である。
【０１７１】
ＤＡＩインデックスインジケータの値およびＤＡＩ総量インジケータの第１の値が、図６に示されており、ＤＡＩインデックスインジケータの値は、「／」の左側にあり、ＤＡＩ総量インジケータの値は、「／」の右側にある。たとえば、キャリア１のダウンリンクサブフレーム４のＤＡＩインデックスインジケータの値は１であり、ＤＡＩ総量インジケータの値は２である。
【０１７２】
図６では、事前に構成されたダウンリンクサブフレームセットが、キャリア１からキャリア１０のダウンリンクサブフレーム４、５、６、および８を含み、リアルタイムスケジューリングダウンリンクサブフレームサブセットが、キャリア１からキャリア７のダウンリンクサブフレーム４、キャリア１、キャリア３、およびキャリア５のダウンリンクサブフレーム５、キャリア１からキャリア６のダウンリンクサブフレーム６、ならびにキャリア１からキャリア５のダウンリンクサブフレーム８を含む例が、まだ使用される。図６では、左から右への４列が、ダウンリンクサブフレーム４、ダウンリンクサブフレーム５、ダウンリンクサブフレーム６、およびダウンリンクサブフレーム８を順次表し、上から下への１０行が、キャリア１からキャリア１０を順次表す。
【０１７３】
図６では、ダウンリンクサブフレーム４に対応する第１の順序組合せ内のダウンリンクサブフレーム内でスケジューリングされる第１の情報の量が３であることを知ることができる。具体的には、キャリア１からキャリア７のダウンリンクサブフレーム４内でスケジューリングされる第１の情報の総量は、３であり、したがって、ダウンリンクサブフレーム４に対応する第１の順序組合せ内の各ダウンリンクサブフレームのＤＡＩ総量インジケータの値は、３であることが理解され得る。ダウンリンクサブフレーム５に対応する第１の順序組合せ内の各ダウンリンクサブフレームのＤＡＩ総量インジケータの値は、３である。ダウンリンクサブフレーム６に対応する第１の順序組合せ内の各ダウンリンクサブフレームのＤＡＩ総量インジケータの値は、２である。ダウンリンクサブフレーム８に対応する第１の順序組合せ内の各ダウンリンクサブフレームのＤＡＩ総量インジケータの値は、１である。
【０１７４】
２ビットが、ＤＡＩ総量インジケータにも使用される場合に、循環剰余演算も、ＤＡＩ総量インジケータの実際の値に対して実行される必要があることにさらに留意されたい。循環剰余演算の式は、Ｙ＝（Ｘ−１）  ｍｏｄ  ４＋１であり、Ｘは、ＤＡＩ総量の実際の値であり、Ｙは、循環剰余演算の後に入手される値である。たとえば、キャリア１のダウンリンクサブフレーム４のＤＡＩ総量インジケータの値が９であると仮定すると、循環剰余演算の後に入手される値は、３である。
【０１７５】
本発明のこの実施形態に関して、ＵＥは、より完全なフィードバック情報のコードブックを復元するために、ＤＡＩインデックスインジケータの値およびＤＡＩ総量インジケータの値結果１に従って、リアルタイムスケジューリングダウンリンクサブフレームサブセット内のダウンリンクサブフレーム内でスケジューリングされる第１の情報が検出の際に見逃されるかどうかを判定し得る。
【０１７６】
ＤＡＩ総量インジケータの値結果２
【０１７７】
リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と過去の量との和である。現在の量は、現在のサブフレームシーケンス番号に対応する第１の順序組合せ内のダウンリンクサブフレーム内でスケジューリングされる第１の情報の総量である。過去の量は、リアルタイムスケジューリングダウンリンクサブフレームサブセット内の現在のサブフレームシーケンス番号のサブフレーム瞬間の前のすべてのダウンリンクサブフレームのサブフレームシーケンス番号に別々に対応する第１の順序組合せ内の各ダウンリンクサブフレーム内でスケジューリングされる第１の情報の総量である。
【０１７８】
ＤＡＩインデックスインジケータの値およびＤＡＩ総量インジケータの第２の値が、図７に示されており、ＤＡＩインデックスインジケータの値は、「／」の左側にあり、ＤＡＩ総量インジケータの値は、「／」の右側にある。現在のサブフレームシーケンス番号が６である例を使用すると、サブフレームシーケンス番号６に対応する第１の順序組合せ内の各ダウンリンクサブフレームのＤＡＩ総量インジケータの値が判定される時に、現在の量は、ダウンリンクサブフレーム６に対応する第１の順序組合せ内のダウンリンクサブフレーム内でスケジューリングされる第１の情報の総量であり、過去の量は、ダウンリンクサブフレーム４に対応する第１の順序組合せ内のダウンリンクサブフレームおよびダウンリンクサブフレーム５に対応する第１の順序組合せ内のダウンリンクサブフレーム内でスケジューリングされる第１の情報の総量である。
【０１７９】
リアルタイムスケジューリングダウンリンクサブフレームサブセット内のダウンリンクサブフレーム４の瞬間の前に他のダウンリンクサブフレームが存在しないので、ダウンリンクサブフレーム４に対応する第１の順序組合せ内の各ダウンリンクサブフレームのＤＡＩ総量インジケータの値が、ダウンリンクサブフレーム４に対応する第１の順序組合せ内のダウンリンクサブフレーム内でスケジューリングされる第１の情報の総量であることに留意されたい。
【０１８０】
たとえば、ダウンリンクサブフレーム４に対応する第１の順序組合せ内のダウンリンクサブフレーム内でスケジューリングされる第１の情報の総量は、３であり、ダウンリンクサブフレーム５に対応する第１の順序組合せ内のダウンリンクサブフレーム内でスケジューリングされる第１の情報の総量は、３であり、ダウンリンクサブフレーム６に対応する第１の順序組合せ内のダウンリンクサブフレーム内でスケジューリングされる第１の情報の総量は、２であり、ダウンリンクサブフレーム８に対応する第１の順序組合せ内のダウンリンクサブフレーム内でスケジューリングされる第１の情報の総量は、１である。
【０１８１】
さらに、ＤＡＩ総量インジケータの値を判定する方法に従って知られ得るように、ダウンリンクサブフレーム４に対応する第１の順序組合せ内の各ダウンリンクサブフレームのＤＡＩ総量インジケータの値は、３であり、ダウンリンクサブフレーム５に対応する第１の順序組合せ内の各ダウンリンクサブフレームのＤＡＩ総量インジケータの値は、３＋３＝６であり、ダウンリンクサブフレーム６に対応する第１の順序組合せ内の各ダウンリンクサブフレームのＤＡＩ総量インジケータの値は、３＋３＋２＝８であり、ダウンリンクサブフレーム８に対応する第１の順序組合せ内の各ダウンリンクサブフレームのＤＡＩ総量インジケータの値は、３＋３＋２＋１＝９である。
【０１８２】
図７では、２ビットがＤＡＩ総量インジケータに使用される例も使用される。式Ｙ＝（Ｘ−１）  ｍｏｄ  ４＋１が、ＤＡＩ総量インジケータの実際の値に対して循環剰余演算を実行するのに使用される。このケースでは、Ｙ４＝３、Ｙ５＝（６−１）  ｍｏｄ  ４＋１＝２、Ｙ６＝（８−１）  ｍｏｄ  ４＋１＝４、およびＹ８＝（９−１）  ｍｏｄ  ４＋１＝１である。
【０１８３】
本発明のこの実施形態に関して、ＵＥは、より完全なフィードバック情報のコードブックを復元するために、ＤＡＩインデックスインジケータの値およびＤＡＩ総量インジケータの値結果１に従って、リアルタイムスケジューリングダウンリンクサブフレームサブセット内の最後の瞬間にあるのではないダウンリンクサブフレーム内でスケジューリングされる第１の情報が検出の際に見逃されるかどうかを判定し得る。
【０１８４】
ＤＡＩ総量インジケータの値結果３
【０１８５】
リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と将来の量との和である。現在の量は、現在のサブフレームシーケンス番号に対応する第１の順序組合せ内のダウンリンクサブフレーム内でスケジューリングされる第１の情報の総量である。将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【０１８６】
ＤＡＩインデックスインジケータの値およびＤＡＩ総量インジケータの第３の値が、図８に示されている。ＤＡＩインデックスインジケータの値は、「／」の左側にあり、ＤＡＩ総量インジケータの値は、「／」の右側にある。現在のサブフレームシーケンス番号が６である例を使用すると、サブフレームシーケンス番号６に対応する第１の順序組合せ内の各ダウンリンクサブフレームのＤＡＩ総量インジケータの値が判定される時に、現在の量は、ダウンリンクサブフレーム６に対応する第１の順序組合せ内のダウンリンクサブフレーム内でスケジューリングされる第１の情報の総量である。将来の量は、ダウンリンクサブフレーム８に対応する第１の順序組合せ内のダウンリンクサブフレーム内でスケジューリングされる第１の情報の総量である。
【０１８７】
リアルタイムスケジューリングダウンリンクサブフレームサブセット内のダウンリンクサブフレーム８の瞬間の後に他のダウンリンクサブフレームが存在しないので、ダウンリンクサブフレーム８に対応する第１の順序組合せ内の各ダウンリンクサブフレームのＤＡＩ総量インジケータの値が、ダウンリンクサブフレーム８に対応する第１の順序組合せ内のダウンリンクサブフレーム内でスケジューリングされる第１の情報の総量だけを含むことに留意されたい。
【０１８８】
たとえば、ダウンリンクサブフレーム４に対応する第１の順序組合せ内のダウンリンクサブフレーム内でスケジューリングされる第１の情報の総量は、３であり、ダウンリンクサブフレーム５に対応する第１の順序組合せ内のダウンリンクサブフレーム内でスケジューリングされる第１の情報の総量は、３であり、ダウンリンクサブフレーム６に対応する第１の順序組合せ内のダウンリンクサブフレーム内でスケジューリングされる第１の情報の総量は、２であり、ダウンリンクサブフレーム８に対応する第１の順序組合せ内のダウンリンクサブフレーム内でスケジューリングされる第１の情報の総量は、１である。
【０１８９】
さらに、ＤＡＩ総量インジケータの値を判定する方法に従って知られ得るように、ダウンリンクサブフレーム４に対応する第１の順序組合せ内の各ダウンリンクサブフレームのＤＡＩ総量インジケータの値は、３＋３＝６であり、ダウンリンクサブフレーム５に対応する第１の順序組合せ内の各ダウンリンクサブフレームのＤＡＩ総量インジケータの値は、３＋２＝５であり、ダウンリンクサブフレーム６に対応する第１の順序組合せ内の各ダウンリンクサブフレームのＤＡＩ総量インジケータの値は、２＋１＝３であり、ダウンリンクサブフレーム８に対応する第１の順序組合せ内の各ダウンリンクサブフレームのＤＡＩ総量インジケータの値は、１である。
【０１９０】
図８では、２ビットがＤＡＩ総量インジケータに使用される例も使用される。式Ｙ＝（Ｘ−１）  ｍｏｄ  ４＋１が、ＤＡＩ総量インジケータの実際の値に対して循環剰余演算を実行するのに使用される。このケースでは、Ｙ４＝（６−１）  ｍｏｄ  ４＋１＝２、Ｙ５＝（５−１）  ｍｏｄ  ４＋１＝１、Ｙ６＝３、およびＹ８＝１である。
【０１９１】
本発明のこの実施形態に関して、ＤＡＩ総量インジケータの値結果３に従って、ＵＥは、リアルタイムスケジューリングダウンリンクサブフレームサブセット内の最後の瞬間にあるのではないダウンリンクサブフレームに対応する第１の順序組合せ内のダウンリンクサブフレーム内でスケジューリングされた第１の情報が検出の際に見逃されることを発見し得るだけではなく、より完全なフィードバック情報のコードブックを復元するために、最後の瞬間にあるダウンリンクサブフレームに対応する第１の順序組合せ内のダウンリンクサブフレーム内でスケジューリングされた第１の情報が検出の際に見逃されることをも発見し得る。図８に関して、キャリア１からキャリア５のダウンリンクサブフレーム８内でスケジューリングされた第１の情報のすべてが、検出の際にＵＥによって見逃される場合に、ＵＥは、ダウンリンクサブフレーム８に対応するＤＡＩ総量インジケータの値を入手することができない。ＵＥが、第１の情報を検出することによって、ダウンリンクサブフレーム６に対応する第１の順序組合せ内のダウンリンクサブフレーム内でスケジューリングされる総量が２であるが、ダウンリンクサブフレーム６に対応する、ＵＥによって受信されるＤＡＩ総量インジケータの値が３であると判定する時には、ＵＥが、検出の際に１つのダウンリンクサブフレーム内で第１の情報を見逃すと推論され得る。すなわち、リアルタイムスケジューリングダウンリンクサブフレームサブセット内の最後の瞬間にあるダウンリンクサブフレームに対応する第１の順序組合せ内のダウンリンクサブフレーム内でスケジューリングされた第１の情報が検出の際に見逃されると判定され得る。
【０１９２】
ＤＡＩ総量インジケータの値結果４
【０１９３】
リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量、過去の量、および将来の量の和である。現在の量は、現在のサブフレームシーケンス番号に対応する第１の順序組合せ内のダウンリンクサブフレーム内でスケジューリングされる第１の情報の総量である。過去の量は、リアルタイムスケジューリングダウンリンクサブフレームサブセット内の現在のサブフレームシーケンス番号のサブフレーム瞬間の前のすべてのサブフレームシーケンス番号に別々に対応する第１の順序組合せ内の各ダウンリンクサブフレーム内でスケジューリングされる第１の情報の総量である。将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【０１９４】
ＤＡＩインデックスインジケータの値およびＤＡＩ総量インジケータの第４の値が、図９に示されている。ＤＡＩインデックスインジケータの値は、「／」の左側にあり、ＤＡＩ総量インジケータの値は、「／」の右側にある。現在のサブフレームシーケンス番号が６である例を使用すると、サブフレームシーケンス番号６に対応する第１の順序組合せ内の各ダウンリンクサブフレームのＤＡＩ総量インジケータの値が判定される時に、現在の量は、ダウンリンクサブフレーム６に対応する第１の順序組合せ内のダウンリンクサブフレーム内でスケジューリングされる第１の情報の総量であり、過去の量は、ダウンリンクサブフレーム４に対応する第１の順序組合せ内のダウンリンクサブフレームおよびダウンリンクサブフレーム５に対応する第１の順序組合せ内のダウンリンクサブフレーム内でスケジューリングされる第１の情報の総量であり、将来の量は、ダウンリンクサブフレーム７に対応する第１の順序組合せ内のダウンリンクサブフレーム内でスケジューリングされる第１の情報の総量である。
【０１９５】
リアルタイムスケジューリングダウンリンクサブフレームサブセット内のダウンリンクサブフレーム４の瞬間の前に他のダウンリンクサブフレームが存在しないので、ダウンリンクサブフレーム４に対応する第１の順序組合せ内の各ダウンリンクサブフレームのＤＡＩ総量インジケータの値が、ダウンリンクサブフレーム４に対応する第１の順序組合せ内のダウンリンクサブフレーム内でスケジューリングされる第１の情報の総量とダウンリンクサブフレーム５に対応する第１の順序組合せ内のダウンリンクサブフレーム内でスケジューリングされる第１の情報の総量との和であることに留意されたい。
【０１９６】
さらに、リアルタイムスケジューリングダウンリンクサブフレームサブセット内のダウンリンクサブフレーム８の瞬間の後に他のダウンリンクサブフレームが存在しないので、ダウンリンクサブフレーム８に対応する第１の順序組合せ内の各ダウンリンクサブフレームのＤＡＩ総量インジケータの値が、ダウンリンクサブフレーム７に対応する第１の順序組合せ内のダウンリンクサブフレーム内でスケジューリングされる第１の情報の総量とダウンリンクサブフレーム８に対応する第１の順序組合せ内のダウンリンクサブフレーム内でスケジューリングされる第１の情報の総量との和である。
【０１９７】
たとえば、ダウンリンクサブフレーム４に対応する第１の順序組合せ内のダウンリンクサブフレーム内でスケジューリングされる第１の情報の総量は、３であり、ダウンリンクサブフレーム５に対応する第１の順序組合せ内のダウンリンクサブフレーム内でスケジューリングされる第１の情報の総量は、３であり、ダウンリンクサブフレーム６に対応する第１の順序組合せ内のダウンリンクサブフレーム内でスケジューリングされる第１の情報の総量は、２であり、ダウンリンクサブフレーム８に対応する第１の順序組合せ内のダウンリンクサブフレーム内でスケジューリングされる第１の情報の総量は、１である。
【０１９８】
さらに、ＤＡＩ総量インジケータの値を判定する方法に従って知られ得るように、ダウンリンクサブフレーム４に対応する第１の順序組合せ内の各ダウンリンクサブフレームのＤＡＩ総量インジケータの値は、３＋３＝６であり、ダウンリンクサブフレーム５に対応する第１の順序組合せ内の各ダウンリンクサブフレームのＤＡＩ総量インジケータの値は、３＋３＋２＝８であり、ダウンリンクサブフレーム６に対応する第１の順序組合せ内の各ダウンリンクサブフレームのＤＡＩ総量インジケータの値は、３＋２＋１＝６であり、ダウンリンクサブフレーム８に対応する第１の順序組合せ内の各ダウンリンクサブフレームのＤＡＩ総量インジケータの値は、２＋１＝３である。
【０１９９】
図９では、２ビットがＤＡＩ総量インジケータに使用される例も使用される。式Ｙ＝（Ｘ−１）  ｍｏｄ  ４＋１が、ＤＡＩ総量インジケータの実際の値に対して循環剰余演算を実行するのに使用される。このケースでは、Ｙ４＝（６−１）  ｍｏｄ  ４＋１＝２、Ｙ５＝（８−１）  ｍｏｄ  ４＋１＝４、Ｙ６＝（６−１）  ｍｏｄ  ４＋１＝２、およびＹ８＝３である。
【０２００】
本発明のこの実施形態に関して、ＤＡＩ総量インジケータの値が過去の量と将来の量との両方を含むので、ＵＥは、ＤＡＩ総量インジケータの値結果４に従って、より完全なフィードバック情報のコードブックを復元するために、リアルタイムスケジューリングダウンリンクサブフレームサブセット内の最後の瞬間にあるのではないダウンリンクサブフレームに対応する第１の順序組合せ内のダウンリンクサブフレーム内でスケジューリングされた第１の情報が検出の際に見逃されることと、最後の瞬間にあるダウンリンクサブフレームに対応する第１の順序組合せ内のダウンリンクサブフレーム内でスケジューリングされた第１の情報が検出の際に見逃されることとを発見し得る。
【０２０１】
ＤＡＩ総量インジケータの前述の値結果１から４に従って、ＤＡＩ総量インジケータの値が判定される時に、上で説明される第１の情報内に含まれるダウンリンク共有チャネルが、第２のダウンリンク共有チャネルを含むことも含まないこともあることに留意されたい。これは、本発明では限定されない。第２のダウンリンク共有チャネルが、リアルタイムでスケジューリングされるのではなく、データを送信する期間およびサブフレーム位置が事前に決定されるので、ＤＡＩ総量インジケータがカウントされるかどうかは、結果に影響しない。
【０２０２】
アクセスネットワークデバイスが、特殊なダウンリンク制御チャネルを使用することによってデータを送信する必要がある場合に、ＤＡＩ総量インジケータの値が、特殊なダウンリンク制御チャネルの量をさらに含むことにさらに留意されたい。一般に、特殊なダウンリンク制御チャネルの量は１である。
【０２０３】
本発明のこの実施形態で提供される別の実装方式では、ＤＡＩ総量インジケータの値結果１または結果３が使用される時に、図１０に示されているように、ＵＥによって、ＤＡＩインデックスインジケータおよびＤＡＩ総量インジケータに従ってフィードバック情報のコードブックを判定する前述のステップ３０３は、具体的にはステップ３０３１として実施され得る。
【０２０４】
３０３１  ＵＥが、各ダウンリンクサブフレームの、事前に構成されたダウンリンクサブフレームセット内のダウンリンクサブフレーム内でＵＥによって受信されたＤＡＩインデックスインジケータおよびＤＡＩ総量インジケータに従ってフィードバック情報のコードブックを判定する。
【０２０５】
前述の結果１および結果３に関して、ＤＡＩ総量インジケータの値が判定される時に過去の量が考慮されないので、ＵＥは、各ダウンリンクサブフレームの、事前に構成されたダウンリンクサブフレームセット内のダウンリンクサブフレーム内で受信されるＤＡＩ総量インジケータに従ってフィードバック情報のコードブックを判定する必要がある。さらに、ＵＥによってアクセスネットワークデバイスに送信されるＡＣＫ／ＮＡＣＫコードブックは、結果１または結果３によってリアルタイムスケジューリングダウンリンクサブフレームサブセット内のいくつかのダウンリンクサブフレームに対応する。たとえば、ＵＥが、検出の際にサブフレーム８内のすべてのＰＤＣＣＨを見逃す場合に、ＵＥは、サブフレーム４、５、および６に対応するＡＣＫ／ＮＡＣＫコードブックを判定し、コードブックに対応するフィードバック情報をアクセスネットワークデバイスにさらに送信し得る。
【０２０６】
本発明のこの実施形態で提供される別の実装方式では、ＤＡＩ総量インジケータの値結果２または値結果４が使用される時に、図１１に示されているように、ＵＥによって、ＤＡＩインデックスインジケータおよびＤＡＩ総量インジケータに従ってフィードバック情報のコードブックを判定する前述のステップ３０３は、具体的にはステップ３０３２として実施され得る。
【０２０７】
３０３２  ＵＥが、最後のダウンリンクサブフレームの、事前に構成されたダウンリンクサブフレームセット内のダウンリンクサブフレーム内でＵＥによって受信されたＤＡＩインデックスインジケータおよびＤＡＩ総量インジケータに従ってフィードバック情報のコードブックを判定する。
【０２０８】
前述の結果２および結果４に関して、リアルタイムスケジューリングダウンリンクサブフレームサブセット内で、各ダウンリンクサブフレームのＤＡＩ総量インジケータの値は、ダウンリンクサブフレーム瞬間の前のダウンリンクサブフレーム内でスケジューリングされる第１の情報の総量を含む。したがって、ＵＥは、最後に受信されたダウンリンクサブフレームのＤＡＩ総量インジケータだけに従って、フィードバック情報のコードブックを生成するために、第１の情報が検出の際に見逃されるかどうかを判定することができる。ＵＥによってアクセスネットワークデバイスに送信されるＡＣＫ／ＮＡＣＫコードブックは、結果２または結果４によってリアルタイムスケジューリングダウンリンクサブフレームサブセット内のいくつかのダウンリンクサブフレームに対応する。たとえば、ＵＥが、検出の際にサブフレーム８内のすべてのＰＤＣＣＨを見逃す場合に、ＵＥは、サブフレーム４、５、および６に対応するＡＣＫ／ＮＡＣＫコードブックを判定し、コードブックに対応するフィードバック情報をアクセスネットワークデバイスにさらに送信し得る。
【０２０９】
ＤＡＩ総量インジケータの値結果５から８が、以下で説明され続ける。ＤＡＩ総量インジケータの値結果５から８に関して、リアルタイムスケジューリングダウンリンクサブフレームサブセットが、キャリア１からキャリア７のダウンリンクサブフレーム４、キャリア１、キャリア３、およびキャリア５のダウンリンクサブフレーム５、キャリア５およびキャリア６のダウンリンクサブフレーム６、ならびにキャリア１からキャリア８のダウンリンクサブフレーム８を含む例が、説明に使用される。
【０２１０】
ＤＡＩ総量インジケータの値結果５
【０２１１】
リアルタイムスケジューリングダウンリンクサブフレームサブセット内の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、リアルタイムスケジューリングダウンリンクサブフレームサブセット内の他のダウンリンクサブフレームに対応するＤＡＩ総量インジケータの値は、すべてプリセット値Ａ0に設定され、Ｘは、１より大きい自然数である。
【０２１２】
ＤＡＩインデックスインジケータの値およびＤＡＩ総量インジケータの第５の値が、図１２に示されている。ＤＡＩインデックスインジケータの値は、「／」の左側にあり、ＤＡＩ総量インジケータの値は、「／」の右側にある。図１２では、Ｘ＝４を例として使用すると、リアルタイムスケジューリングダウンリンクサブフレームサブセット内で予め設定された順序で配置される最後のダウンリンクサブフレームから最後から４番目までに対応するＤＡＩ総量インジケータの値は、それぞれ４、３、２、および１である。リアルタイムスケジューリングダウンリンクサブフレームサブセット内の他のダウンリンクサブフレームに対応するＤＡＩ総量インジケータの値は、１である。
【０２１３】
２ビットがＤＡＩ総量インジケータに使用される時に、Ｘは、一般に４にセットされる。このケースでは、リアルタイムスケジューリングダウンリンクサブフレームサブセット内で予め設定された順序で配置された最後のダウンリンクサブフレームから最後から４番目までに対応するＤＡＩ総量インジケータの値は、それぞれ４、３、２、および１またはそれぞれ１、２、３、および４である。あるいは、Ｘが、３にセットされ得、プリセット値Ａ３、Ａ２、Ａ１は、それぞれ４、３、および２またはそれぞれ２、３、および４である。本発明のこの実施形態は、Ｘならびにプリセット値ＡX、ＡX-1、…、Ａ1、およびＡ0の上にリストされた値に限定されず、Ｘならびにプリセット値ＡX、ＡX-1、…、Ａ1、およびＡ0は、さらに、他のプリセット値とされ得る。
【０２１４】
本発明のこの実施形態に関して、ＵＥは、ＤＡＩインデックスインジケータに従って、検出の際のリアルタイムスケジューリングダウンリンクサブフレームサブセット内の後に続くサブフレーム以外のサブフレームの見逃しというエラーイベントを発見し得、ＤＡＩ総量インジケータに従って、検出の際のリアルタイムスケジューリングダウンリンクサブフレームサブセット内の後に続くサブフレームの見逃しというエラーイベントを発見し得る。たとえば、ＵＥが、検出の際にキャリア７のダウンリンクサブフレーム８を見逃し、キャリア６のダウンリンクサブフレーム８のＤＡＩ総量インジケータの値が２であることと、キャリア８のダウンリンクサブフレーム８のＤＡＩ総量インジケータの値が４であることとを検出する場合に、ＵＥは、キャリア７のダウンリンクサブフレーム８に対応するフィードバック情報がＮＡＣＫ情報であると判定するために、アクセスネットワークデバイスがキャリア７のダウンリンクサブフレーム８をさらにスケジューリングするが、キャリア７のダウンリンクサブフレーム８が検出の際に見逃されると判定し得る。したがって、検出された第１の情報に対応するフィードバック情報の順序が、ＤＡＩインデックスインジケータおよびＤＡＩ総量インジケータに従って判定され得、より完全なフィードバック情報のコードブックを復元するために、検出の際に見逃される第１の情報のフィードバック情報が判定される。
【０２１５】
ＤＡＩ総量インジケータの値結果６
【０２１６】
リアルタイムスケジューリングダウンリンクサブフレームサブセット内の同一のシーケンス番号を有するダウンリンクサブフレームの中で第１の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、同一のシーケンス番号を有するダウンリンクサブフレームの他のダウンリンクサブフレームに対応するＤＡＩ総量インジケータの値は、すべてプリセット値Ａ0に設定され、Ｘは、１より大きい自然数である。
【０２１７】
ＤＡＩインデックスインジケータの値およびＤＡＩ総量インジケータの第６の値が、図１３に示されている。ＤＡＩインデックスインジケータの値は、「／」の左側にあり、ＤＡＩ総量インジケータの値は、「／」の右側にある。図１３では、Ｘ＝４であり、第１の予め設定された順序がキャリアシーケンス番号の昇順である例が使用される。第１の順序組合せが、同一のシーケンス番号を有するダウンリンクサブフレームを第１の予め設定された順序で配置することによって入手され、各ダウンリンクサブフレームに対応する第１の順序組合せ内の最後のダウンリンクサブフレームから最後から４番目までに対応するＤＡＩ総量インジケータの値が、それぞれ４、３、２、および１であることが、理解され得る。ダウンリンクサブフレーム５に対応する第１の順序組合せが、３つのみのキャリアのダウンリンクサブフレーム５を含むので、最後のダウンリンクサブフレームから最後から３番目までに対応するＤＡＩ総量インジケータの値は、それぞれ４、３、および２である。ダウンリンクサブフレーム６に対応する第１の順序組合せは、２つのみのキャリアのダウンリンクサブフレーム６を含む。したがって、キャリア６のダウンリンクサブフレーム６のＤＡＩ総量インジケータの値は、４であり、キャリア５のダウンリンクサブフレーム６のＤＡＩ総量インジケータの値は、５である。
【０２１８】
さらに、同一のシーケンス番号を有するダウンリンクサブフレームが第１の予め設定された順序で配置された後に、最後のダウンリンクサブフレームから最後からＸ番目まで以外のダウンリンクサブフレームのＤＡＩ総量インジケータの値は、１にセットされ得、または別の事前定義の値にセットされ得る。
【０２１９】
本発明のこの実施形態に関して、ＵＥは、ＤＡＩインデックスインジケータに従って、検出の際の、リアルタイムスケジューリングダウンリンクサブフレームサブセット内の後に続くサブフレーム以外のサブフレームの見逃しというエラーイベントを発見し、第１の予め設定された順序で配置された、同一のシーケンス場号を有するダウンリンクサブフレームの最後の、最後から２番目の、…、および最後からＸ番目のダウンリンクサブフレームに対応するＤＡＩ総量インジケータに従って、検出の際の、リアルタイムスケジューリングダウンリンクサブフレームサブセット内の後に続くサブフレームの見逃しというエラーイベントを発見し得る。したがって、より完全なフィードバック情報のコードブックが、ＤＡＩインデックスインジケータおよびＤＡＩ総量インジケータに従って復元され得る。
【０２２０】
図１３では、ＵＥが、検出の際にキャリア６からキャリア８のダウンリンクサブフレーム８を見逃すが、ＵＥが、キャリア６のダウンリンクサブフレーム６に対応するＤＡＩ総量インジケータを受信すると仮定すると、ＵＥが、ＤＡＩ総量インジケータに従って、キャリア６のダウンリンクサブフレーム６のフィードバック情報のコードブックと、リアルタイムスケジューリングダウンリンクサブフレームサブセット内のダウンリンクサブフレーム６の前のダウンリンクサブフレームのそれとを復元し、その後、これらのコードブックを基地局にフィードバックし、ダウンリンクサブフレーム８に対応する第１の順序組合せ内のダウンリンクサブフレームに対応するフィードバック情報のコードブックを一時的に破棄し得ることにさらに留意されたい。
【０２２１】
ＤＡＩ総量インジケータの値結果７
【０２２２】
リアルタイムスケジューリングダウンリンクサブフレームサブセット内の各ダウンリンクサブフレームに対応するＤＡＩ総量インジケータの値は、プリセットカウント方式での予め設定された順序の逆順でリアルタイムスケジューリングダウンリンクサブフレームサブセット内のサブフレームに対してカウントを実行することによって入手されるカウント値である。
【０２２３】
プリセットカウント方式は、上昇するカウントまたは下降するカウントとし得る。
【０２２４】
ＤＡＩインデックスインジケータの値およびＤＡＩ総量インジケータの第７の値が、図１４に示されている。ＤＡＩインデックスインジケータの値は、「／」の左側にあり、ＤＡＩ総量インジケータの値は、「／」の右側にある。図１４では、プリセットカウント方式が下降するカウントである例が使用される。予め設定された順序の前述の説明を参照すると、リアルタイムスケジューリングダウンリンクサブフレームサブセット内の２０個のダウンリンクサブフレームを予め設定された順序の逆順で配置した結果は、キャリア８のダウンリンクサブフレーム８、キャリア７のダウンリンクサブフレーム８、…、キャリア１のダウンリンクサブフレーム８、キャリア６のダウンリンクサブフレーム６、キャリア５のダウンリンクサブフレーム６、キャリア５のダウンリンクサブフレーム５、キャリア３のダウンリンクサブフレーム５、キャリア１のダウンリンクサブフレーム５、キャリア７のダウンリンクサブフレーム４、キャリア６のダウンリンクサブフレーム４、…、およびキャリア１のダウンリンクサブフレーム４である。
【０２２５】
さらに、リアルタイムスケジューリングダウンリンクサブフレームサブセット内の各ダウンリンクサブフレームに対応するＤＡＩ総量インジケータの値は、前述の配置結果に従って各ダウンリンクサブフレームに対して下降するカウントを実行することによって入手されるカウント値である。すなわち、前述の順序では、キャリア８のダウンリンクサブフレーム８からキャリア１のダウンリンクサブフレーム４のＤＡＩ総量インジケータの値は、それぞれ、２０、１９、１８、…、および１である。
【０２２６】
２ビットがＤＡＩ総量インジケータに使用される時に、式Ｙ＝（Ｘ−１）  ｍｏｄ  ４＋１が、ＤＡＩ総量インジケータの実際の値に対して循環剰余演算を実行するのに使用される。循環剰余演算の後に入手される特定の値が、図１４に示されている。
【０２２７】
本発明のこの実施形態に関して、ＵＥは、ＤＡＩインデックスインジケータに従って、検出の際の、リアルタイムスケジューリングダウンリンクサブフレームサブセット内の後に続くサブフレーム以外のサブフレームの見逃しというエラーイベントを発見し得る。その後、上昇するカウントまたは下降するカウントが、ＤＡＩ総量インジケータに基づいて、配置結果に従って予め設定された順序の逆順で最後のダウンリンクサブフレームから始まる。したがって、ＵＥは、ＤＡＩ総量インジケータに従って、検出の際のリアルタイムスケジューリングダウンリンクサブフレームサブセット内の後に続くサブフレームの見逃しというイベントを発見し得、または、検出の際の後に続くサブフレーム以外のサブフレームの見逃しというエラーイベントを発見する助けとなり得る。したがって、より完全なフィードバック情報のコードブックが、ＤＡＩインデックスインジケータおよびＤＡＩ総量インジケータに従って復元され得る。
【０２２８】
ＤＡＩ総量インジケータの値結果８
【０２２９】
第１の予め設定された順序の逆順で配置されるリアルタイムスケジューリングダウンリンクサブフレームサブセット内の同一のシーケンス番号を有するダウンリンクサブフレームの各ダウンリンクサブフレームのＤＡＩ総量インジケータの値は、プリセット値から開始して、リアルタイムスケジューリングダウンリンクサブフレームサブセット内の同一のシーケンス番号を有するダウンリンクサブフレームに対するカウントを、プリセットカウント方式で第１の予め設定された順序の逆順で実行することによって入手されるカウント値である。
【０２３０】
ＤＡＩインデックスインジケータの値およびＤＡＩ総量インジケータの第８の値が、図１５に示されている。ＤＡＩインデックスインジケータの値は、「／」の左側にあり、ＤＡＩ総量インジケータの値は、「／」の右側にある。プリセットカウント方式が下降するカウントであり、第１の予め設定された順序の逆順がキャリアシーケンス番号の降順であり、プリセット値が８である例が使用される。リアルタイムスケジューリングダウンリンクサブフレームサブセット内で、そのシーケンス番号が４であるダウンリンクサブフレームが、キャリアシーケンス番号の降順で配置される時に、ダウンリンクサブフレームのＤＡＩ総量インジケータの値は、それぞれ８、７、６、５、４、３、および２である。２ビットがＤＡＩ総量インジケータに使用される時に、式Ｙ＝（Ｘ−１）  ｍｏｄ  ４＋１が、ＤＡＩ総量インジケータの実際の値に対して循環剰余演算を実行するのに使用され、循環剰余演算の後に入手される特定の値は、４、３、２、１、４、３、および２である。リアルタイムスケジューリングダウンリンクサブフレームサブセット内の、そのシーケンス番号が５、６、および８であるダウンリンクサブフレームの値は、具体的には図１５に示されている。
【０２３１】
ＤＡＩ総量インジケータの値結果９
【０２３２】
ＤＡＩ総量インジケータは、ＨＡＲＱ−ＡＣＫコードブック内のビットの量を示すのに使用され、コードブックボリュームまたはコードブックサイズと呼ばれる場合もある。コードブックボリュームは、事前に構成されたダウンリンクサブフレームセットに対応するＨＡＲＱ−ＡＣＫ内のビットの量未満であるが、リアルタイムスケジューリングダウンリンクサブフレームサブセット内のダウンリンクサブフレームの量またはトランスポートブロックの量以上である。コードブックボリュームが、リアルタイムスケジューリングダウンリンクサブフレームサブセット内のダウンリンクサブフレームの量またはトランスポートブロックの量を超える時には、ＵＥと基地局との両方が、少なくとも１つのＮＡＣＫがコードブックの末尾でパディングされると判定する。パディングされるＮＡＣＫの特定の量は、コードブック内のビットの事前に推定された量から、リアルタイムスケジューリングダウンリンクサブフレームサブセット内にあり、その中でダウンリンクデータが実際にスケジューリングされるダウンリンクサブフレームの量またはトランスポートブロックの量を引いたものである。
【０２３３】
たとえば、１０個のキャリアがＵＥのために構成され、各キャリアがＴＤＤアップリンク／ダウンリンク構成２を有し、アップリンクサブフレーム２が１０個のキャリアのサブフレーム４、５、６、および８に対応する例が、まだ使用される。基地局が、サブフレーム４内でＵＥのためにダウンリンクデータをスケジューリングする時に、ダウンリンクデータがＵＥのために実際にスケジューリングされる、リアルタイムスケジューリングダウンリンクサブフレームサブセット内にあるダウンリンクサブフレームの量がＸであることが、事前に推定され、Ｘは、次式［（Ｘ−１）  ｍｏｄ  ４］＋１＝２を満足する。次に、基地局は、サブフレーム５、６、および８内でＵＥのためのスケジューリングを実行する。しかし、最終的に、特定の理由から、リアルタイムスケジューリングダウンリンクサブフレームサブセット内にある、ダウンリンクデータが基地局によってＵＥのために実際にスケジューリングされるダウンリンクサブフレームの量は、２０である。前述の理由は、制御チャネル容量、別のＵＥの優先順位がそのＵＥのそれより高いか許可されないキャリア上でのスケジューリングがキャリア上の負荷にさらに依存するケースなどを含む。最終的に、実際にスケジューリングされるダウンリンクサブフレームの量が２０なので、事前推定を介して判定されるＸの実際の値は、最終的に２２であると判定され得る。したがって、このルールに従って、ＵＥおよび基地局は、両方とも、このケースで、ＨＡＲＱ−ＡＣＫコードブックのコードブックボリュームが２２ビットであり、２２ビットの最初の２０ビットの位置は、リアルタイムスケジューリングダウンリンクサブフレームサブセット内の実際にスケジューリングされるダウンリンクサブフレームに対応し、ＮＡＣＫが、最後の２ビットの位置にパディングされることを理解する。あるいは、基地局が、ダウンリンクデータがＵＥのために実際にスケジューリングされるリアルタイムスケジューリングダウンリンクサブフレームサブセット内のダウンリンクサブフレームの量が１６であると最終的に判定し、前述のＸは、１８として３理解され得、ＮＡＣＫが、ＨＡＲＱ−ＡＣＫコードブックの最後の２ビットの位置にパディングされる。この実施形態に関して、基地局は、ＨＡＲＱ−ＡＣＫコードブックのコードブックボリュームを事前に推定し得、その後、実際のスケジューリングがリアルタイムスケジューリングダウンリンクサブフレームサブセット内でＵＥのために実行された後に、ＨＡＲＱ−ＡＣＫコードブック内で実際にスケジューリングされるダウンリンクデータに対応するＨＡＲＱ−ＡＣＫ内のビットの位置を最終的に判定し、別の位置でＮＡＣＫパディング処理を実行し、その結果、スケジューリング予測問題が回避されるようになり、Ｘの前述の柔軟な解析が、スケジューリングされるサブフレームの量に対する制限を全く引き起こさなくなる。あるいは、Ｎ値は、ＵＥのために実際にスケジューリングされるダウンリンクサブフレームの量に関してさらに事前に構成され得、Ｎは１より大きい。その後、ＤＡＩ総量インジケータは、前述のＮ値から、ＨＡＲＱ−ＡＣＫコードブックの現在のボリュームとして１つのボリュームを動的に選択する��に使用される。この解決策では、スケジューリング予測が必要ではないこともある。すなわち、コードブックボリュームは、ＮＡＣＫパディングを実行するために動的に選択される。しかし、この解決策は、動的に選択されるコードブックボリュームが判定された後に、実際にスケジューリングされるダウンリンクサブフレームが、現在時刻のリアルタイムスケジューリングダウンリンクサブフレームサブセット内でもはや任意に判定され得ないという理由から、前述の実施形態の方法ほど柔軟ではない。
【０２３４】
本発明のこの実施形態に関して、ＵＥは、ＤＡＩインデックスインジケータに従って、検出の際の、リアルタイムスケジューリングダウンリンクサブフレームサブセット内の後に続くサブフレーム以外のサブフレームの見逃しというエラーイベントを発見し得る。ＤＡＩ総量インジケータは、異なる瞬間にダウンリンクサブフレームのために独立にセットされる。同一の瞬間のダウンリンクサブフレームが、第１の順序の逆順で配置された後に、ダウンリンクサブフレームは、最後のダウンリンクサブフレームから開始して、配置結果に従ってカウントされる。すなわち、最後のダウンリンクサブフレームのＤＡＩ総量インジケータの値が、判定される。したがって、検出の際の後に続くサブフレームの見逃しというエラーイベントは、最後に受信されたダウンリンクサブフレームのＤＡＩ総量インジケータの値に従って発見され得る。結論として、ＤＡＩインデックスインジケータおよびＤＡＩ総量インジケータに従って、完全なフィードバック情報のコードブックが復元され得、または、部分的なフィードバック情報のコードブックが復元され得る。
【０２３５】
本発明のこの実施形態で提供されるフィードバック情報を送信する方法では、ＵＥが、検出の際にいくつかのダウンリンク制御チャネルを見逃す場合であっても、ＵＥは、ＤＡＩインデックスインジケータおよびＤＡＩ総量インジケータに従って、リアルタイムスケジューリングダウンリンクサブフレームサブセットに対応するフィードバック情報のコードブックを復元しまたは部分的なフィードバック情報のコードブックを復元することもできる。ＤＡＩインデックスインジケータとＤＡＩ総量インジケータとの両方が、リアルタイムスケジューリングダウンリンクサブフレームサブセットに従って判定されるので、ＵＥは、ＤＡＩインデックスインジケータおよびＤＡＩ総量インジケータに従って、アクセスネットワークデバイスによって実際にスケジューリングされるダウンリンクサブフレームに対応するフィードバック情報のコードブックを判定することだけを必要とし、スケジューリングされないダウンリンクサブフレーム内でＮＡＣＫパディングを実行する必要がなく、これによって、アップリンクリソース利用を改善する。
【０２３６】
ＵＥによって判定されるフィードバック情報のコードブックが、リアルタイムスケジューリングダウンリンクサブフレームサブセットに完全に対応するフィードバック情報のコードブックとされ得、または、リアルタイムスケジューリングダウンリンクサブフレームサブセット内のいくつかのダウンリンクサブフレームに対応する対応するフィードバック情報のコードブックとされ得ることに留意されたい。たとえば、図１３を参照すると、ＵＥが、検出の際に、キャリア１からキャリア８のダウンリンクサブフレーム８内でスケジューリングされるダウンリンク制御チャネルを見逃す場合に、ＵＥは、ＤＡＩインデックスインジケータおよびＤＡＩ総量インジケータに従って、ダウンリンクサブフレーム４、５、および６に対応するフィードバック情報のコードブックを判定し、フィードバック情報のコードブックをアクセスネットワークデバイスに報告し得る。
【０２３７】
ＵＥは、部分的に過ぎないフィードバック情報のコードブックをアクセスネットワークデバイスに送信し得るが、アクセスネットワークデバイスは、部分的なフィードバック情報のコードブックがどのダウンリンクサブフレームに具体的に対応するのかを知らない。アクセスネットワークデバイスが、ブラインド検出のプロセスでＵＥによって送信されたフィードバック情報のコードブックを確認することを便利にするために、アクセスネットワークデバイスが復号の後のＣＲＣ検査によってＵＥによってフィードバックされた異なるコードブックを確認し得るようにするために、コードブックに従ってフィードバック情報に対してチャネルコーディングを実行する前に、ＵＥは、フィードバック情報のコードブックにＣＲＣビットを追加する必要がある。
【０２３８】
アクセスネットワークデバイスがブラインド検出を実行するのを防ぐために、本発明のこの実施形態で提供される別の実装方式では、図１６に示されているように、ＵＥによって、アップリンクサブフレーム内の物理リソースを使用することによって、マッピングされたフィードバック情報をアクセスネットワークデバイスに送信する前述のステップ４０３は、具体的にはステップ４０３１からステップ４０３３として実施され得る。
【０２３９】
４０３１  ＵＥが、事前に構成されたダウンリンクサブフレームセット内で受信された少なくとも２つのダウンリンクサブフレームと物理リソースの少なくとも２つの候補パラメータとの間の対応を入手し、候補パラメータは、ＤＭＲＳ（Ｄｅｍｏｄｕｌａｔｉｏｎ  Ｒｅｆｅｒｅｎｃｅ  Ｓｉｇｎａｌ、復調基準信号）部分のシーケンスおよび／または物理リソースの情報部分のシーケンスである。
【０２４０】
ＤＭＲＳ部分のシーケンスは、アップリンク制御チャネルのＤＭＲＳ時間領域シンボル上のＤＭＲＳ部分のシーケンスとされ得る。情報部分のシーケンスは、アップリンク制御チャネル上でフィードバック情報を送信するための時間領域シンボル上の拡散シーケンスとされ得る。
【０２４１】
４０３２  ＵＥが、事前に構成されたダウンリンクサブフレームセット内で検出された最後のダウンリンクサブフレームに対応する第１のパラメータを判定する。
【０２４２】
第１のパラメータは、前述のステップ４０３１で判定される少なくとも２つの候補パラメータのうちの１つである。
【０２４３】
アクセスネットワークデバイスがリアルタイムスケジューリングダウンリンクサブフレームサブセット内のダウンリンクサブフレームだけをスケジューリングするので、ＵＥによって検出される最後のダウンリンクサブフレームが、リアルタイムスケジューリングダウンリンクサブフレームサブセットに属することに留意されたい。
【０２４４】
４０３３  ＵＥが、物理リソース上で、第１のパラメータに従って、マッピングされたフィードバック情報を送信する。
【０２４５】
本発明のこの実施形態で提供されるフィードバック情報を送信する方法では、ＵＥが、チャネルコーディングがそれに対して実行されたフィードバック情報をアップリンクサブフレーム内でアクセスネットワークデバイスに送信する時に、ＵＥは、まず、事前に構成されたダウンリンクサブフレームセット内で検出された最後のダウンリンクサブフレームに対応する第１のパラメータを判定し、その後、物理リソース上で、第１のパラメータに従って、マッピングされたフィードバック情報を送信し、その結果、アクセスネットワークデバイスは、第１のパラメータを使用することによって、ＵＥによって送信されたフィードバック情報に対応するダウンリンクサブフレームを知るようになり、これによって、これらのダウンリンクサブフレームに対応するフィードバック情報のコードブックを復号する。
【０２４６】
本発明のこの実施形態は、アクセスネットワークデバイスがブラインド検出を実行するのを防ぐために、別の実装方式をさらに提供する。図１７に示されているように、ＵＥによって、アップリンクサブフレーム内の物理リソースを使用することによって、マッピングされたフィードバック情報をアクセスネットワークデバイスに送信する前述のステップ４０３は、具体的にはステップ４０３４として実施され得る。
【０２４７】
４０３４  ＵＥが、アップリンクサブフレーム内の物理リソースを使用することによって、ディスプレイシグナリングおよびマッピングされたフィードバック情報をアクセスネットワークデバイスに送信する。
【０２４８】
ディスプレイシグナリングは、事前に構成されたダウンリンクサブフレームセット内でＵＥによって検出された最後のダウンリンクサブフレームをアクセスネットワークデバイスに示すのに使用される。
【０２４９】
ＵＥが、ディスプレイシグナリングをアクセスネットワークデバイスに送信し、その結果、アクセスネットワークデバイスが、受信されたフィードバック情報に対応するダウンリンクサブフレームを判定し、これらのダウンリンクサブフレームに対応するフィードバック情報をさらに復号し得るようになることが理解され得る。したがって、ＵＥが、リアルタイムスケジューリングダウンリンクサブフレームサブセット内のすべてのダウンリンクサブフレームに対応するフィードバック情報のコードブックをフィードバックするのではない場合であっても、受信されたフィードバック情報に対してアクセスネットワークデバイスによって実行される復号は、影響を受けない。
【０２５０】
本発明のこの実施形態は、別の実装方式をさらに提供する。具体的には、アクセスネットワークデバイスは、ディスプレイシグナリングを使用することによって、たとえばＰＵＳＣＨをスケジューリングするＰＤＣＣＨ内のＵＬ＿ＤＡＩフィールドなどのフィールドを使用することによって、最後の現在スケジューリングされているサブフレームのシーケンス番号についてＵＥに通知する。ＵＥによって受信される最後のサブフレームのシーケンス番号と、ディスプレイシグナリングを使用することによって通知されるサブフレームのシーケンス番号とが一貫する場合に、ＵＥは、前述の実施形態の方法に従ってフィードバック情報を送信する。シーケンス番号が一貫しない場合には、ＵＥは、フィードバック情報を送信しなくてもよい。アクセスネットワークデバイスは、フィードバック情報の物理リソースに対してエネルギー検出を実行することによって、ＵＥがフィードバック情報を送信するかどうかを判定し得る。
【０２５１】
アップリンクリソース利用を改善するために、本発明の実施形態は、フィードバック情報を受信する方法をさらに提供する。この方法は、アクセスネットワークデバイスに適用される。アクセスネットワークデバイスは、基地局とされ得る。前述の実施形態の内容と同一のこの実施形態の内容に関して、前述の説明を参照されたく、詳細は、この実施形態ではもはや説明されないことに留意されたい。図１８に示されているように、この方法は、以下のステップを含む。
【０２５２】
１８０１  アクセスネットワークデバイスが、ダウンリンク共有チャネルを使用することによってＵＥにダウンリンクデータを送信し、リアルタイムスケジューリングダウンリンクサブフレームサブセット内のダウンリンクサブフレーム内でスケジューリングされるダウンリンク制御チャネルを使用することによってＤＡＩインデックスインジケータおよびＤＡＩ総量インジケータをＵＥに送信し、その結果、ＵＥが、ＤＡＩインデックスインジケータおよびＤＡＩ総量インジケータに従ってフィードバック情報のコードブックを判定するようになる。
【０２５３】
１８０２  アクセスネットワークデバイスが、アップリンクサブフレーム内で、ＵＥによって送信される、チャネルコーディングがそれに対して実行されたフィードバック情報を受信する。
【０２５４】
フィードバック情報のコードブックが、リアルタイムスケジューリングダウンリンクサブフレームサブセット内のすべてのまたはいくつかのダウンリンクサブフレームに対応するので、アクセスネットワークデバイスが、実際にスケジューリングされるダウンリンクサブフレームのみの中のダウンリンクデータチャネルのＡＣＫ情報またはＮＡＣＫ情報を受信することができ、スケジューリングされないダウンリンクサブフレーム内のダウンリンクデータチャネルに対応するフィードバック情報を受信する必要がない、すなわち、ＮＡＣＫパディングは、スケジューリングされないダウンリンクサブフレーム内で実行されないことに留意されたい。
【０２５５】
アップリンクサブフレームと事前に構成されたダウンリンクサブフレームセットとの間に１対１対応があり、リアルタイムスケジューリングダウンリンクサブフレームサブセットが事前に構成されたダウンリンクサブフレームセットに属するので、このステップで、アクセスネットワークデバイスが、リアルタイムスケジューリングダウンリンクサブフレームサブセットに対応するアップリンクサブフレーム内でリアルタイムスケジューリングダウンリンクサブフレームサブセットに対応するフィードバック情報を受信する必要があることが、理解され得る。
【０２５６】
たとえば、アップリンクサブフレーム２は、リアルタイムスケジューリングダウンリンクサブフレームサブセット１に対応し、アップリンクサブフレーム７は、リアルタイムスケジューリングダウンリンクサブフレームサブセット２に対応する。このケースでは、アクセスネットワークデバイスは、アップリンクサブフレーム２内でリアルタイムスケジューリングダウンリンクサブフレームサブセット１に対応するフィードバック情報を受信し、アップリンクサブフレーム７内でリアルタイムスケジューリングダウンリンクサブフレームサブセット２に対応するフィードバック情報を受信する必要がある。
【０２５７】
別の実装方式では、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得る。しかし、パディングＮＡＣＫが含まれるかどうかにかかわりなく、ＨＡＲＱ−ＡＣＫコードブック内のビットの量は、事前に構成されたダウンリンクサブフレームセットに対応するＨＡＲＱ−ＡＣＫ内のビットの量未満である必要があることに留意されたい。任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る。リアルタイムスケジューリングダウンリンクサブフレームサブセットは、アクセスネットワークデバイスによって実際にスケジューリングされるダウンリンクサブフレームからなるセットであり、リアルタイムスケジューリングダウンリンクサブフレームサブセットは、事前に構成されたダウンリンクサブフレームセットに属する。この実施形態では、基地局がダウンリンクサブフレーム内でダウンリンクデータをスケジューリングする時に、基地局が、リアルタイムスケジューリングダウンリンクサブフレームサブセット内にあり、その中でダウンリンクデータがＵＥのために実際にスケジューリングされるダウンリンクサブフレームの量を正確に判定できないことがあり得る。したがって、このケースでは、１つのＨＡＲＱ−ＡＣＫコードブック内のビットの量は、事前に推定され得る。リアルタイムスケジューリングダウンリンクサブフレームサブセット内にあり、その中でダウンリンクデータが実際にスケジューリングされるダウンリンクサブフレームの量が、最終的に、コードブック内のビットの事前に推定された量未満である時に、ＵＥと基地局との両方は、少なくとも１つのＮＡＣＫがコードブックの末尾でパディングされると判定する。パディングされるＮＡＣＫの特定の量は、コードブック内のビットの事前に推定された量から、リアルタイムスケジューリングダウンリンクサブフレームサブセット内にあり、その中でダウンリンクデータが実際にスケジューリングされるダウンリンクサブフレームの量またはダウンリンクサブフレーム内のトランスポートブロックの量を引いたものである。
【０２５８】
本発明のこの実施形態で提供されるフィードバック情報を受信する方法では、アクセスネットワークデバイスは、ダウンリンク共有チャネルを使用することによってＵＥにダウンリンクデータを送信し、リアルタイムスケジューリングダウンリンクサブフレームサブセット内のダウンリンクサブフレーム内でスケジューリングされるダウンリンク制御チャネルを使用することによってＤＡＩインデックスインジケータおよびＤＡＩ総量インジケータをＵＥに送信し、その結果、ＵＥが、ＤＡＩインデックスインジケータおよびＤＡＩ総量インジケータに従ってフィードバック情報のコードブックを判定するようになる。その後、アクセスネットワークデバイスは、アップリンクサブフレーム内で、ＵＥによって送信される、チャネルコーディングがそれに対して実行されたフィードバック情報を受信する。事前に構成されたダウンリンクサブフレームセットに従ってフィードバック情報を符号化するために大量のＮＡＣＫがパディングされる必要があり、低いアップリンクリソース利用を引き起こす従来技術と比較して、本発明では、アクセスネットワークデバイスが、ＤＡＩインデックスインジケータおよびＤＡＩ総量インジケータをＵＥに送信した後に、チャネルコーディングが、フィードバック情報のコードブックに従って、受信されたフィードバック情報に対して実行され、フィードバック情報のコードブックは、リアルタイムスケジューリングダウンリンクサブフレームサブセット内のすべてのまたはいくつかのダウンリンクサブフレームに対応する。したがって、アクセスネットワークデバイスは、実際にスケジューリングされたダウンリンクサブフレームのみの中のダウンリンク共有チャネルに対応するフィードバック情報を受信する必要があり、スケジューリングされないダウンリンクサブフレーム内でＮＡＣＫパディングを実行する必要はない。したがって、アップリンクリソースは占有されず、これによってアップリンクリソース利用を改善する。
【０２５９】
前述の説明に関して、ダウンリンク共有チャネルが第１のダウンリンクチャネルおよび第２のダウンリンク共有チャネルを含むケースが存在するので、ＳＰＳ機構がアクティブ化された後に、アクセスネットワークデバイスは、第２のダウンリンク共有チャネルを使用することによってダウンリンクデータを周期的に送信する。実際のケースに従ってＳＰＳ機構をディスエーブルするために、本発明のこの実施形態で提供される別の実装方式では、アクセスネットワークデバイスが第２のダウンリンク共有チャネルを使用することによってダウンリンクデータを周期的に送信するプロセスにおいて、アクセスネットワークデバイスは、さらに、特殊なダウンリンク制御チャネルをスケジューリングする必要がある。特殊なダウンリンク制御チャネルは、第２のダウンリンク共有チャネルを使用することによるダウンリンクデータの送出をアクセスネットワークデバイスが終了することを可能にするのに使用される。
【０２６０】
アクセスネットワークデバイスが特殊なダウンリンク制御チャネルをスケジューリングする場合に、特殊なダウンリンク制御チャネルのＡＣＫ情報またはＮＡＣＫ情報が、さらに、受信される必要があることに留意されたい。したがって、アクセスネットワークデバイスがダウンリンク制御チャネルをスケジューリングする時に、リアルタイムスケジューリングダウンリンクサブフレームサブセットは、特殊なダウンリンク制御チャネルのダウンリンクサブフレームをさらに含む。
【０２６１】
図１８に示された方法手順に関して、フィードバック情報を受信する時に、アクセスネットワークデバイスは、ＵＥに関して、フィードバック情報を搬送するのに使用される物理リソースを指定する必要がある。したがって、本発明のこの実施形態で提供される別の実装方式では、図１９に示されているように、アクセスネットワークデバイスによって、アップリンクサブフレーム内で、ＵＥによって送信される、チャネルコーディングがそれに対して実行されたフィードバック情報を受信する前述のステップ１８０２は、具体的にはステップ１８０３およびステップ１８０４として実施され得る。
【０２６２】
１８０３  アクセスネットワークデバイスが、リソースインジケータ情報をＵＥに送信し、リソースインジケータ情報は、フィードバック情報を搬送するのに使用される物理リソースを示すのに使用される。
【０２６３】
アクセスネットワークデバイスは、まず上位レイヤシグナリング、たとえばＲＲＣシグナリングをＵＥに送信し、ＲＲＣシグナリングは、アクセスネットワークデバイスによってＵＥのために構成されたＰＵＣＣＨリソースセットを含み、ＰＵＣＣＨリソースセットは、少なくとも２つのＰＵＣＣＨリソースを含む。ＰＵＣＣＨリソースセット内のＰＵＣＣＨは、同一のフォーマットを有し得、または少なくとも２つのＰＵＣＣＨフォーマットを含み得る。リソースインジケータ情報は、ＵＥがＰＵＣＣＨリソースセットについて知らされた後に送信され、その結果、ＵＥは、ＰＵＣＣＨリソースセットから、フィードバック情報を搬送するのに使用される物理リソースを判定できるようになる。
【０２６４】
１８０４  アクセスネットワークデバイスが、アップリンクサブフレーム内の物理リソース内で、物理リソースにマッピングされたフィードバック情報を受信する。
【０２６５】
前述のステップ１８０１でアクセスネットワークデバイスによってＵＥに送信されるＤＡＩインデックスインジケータおよびＤＡＩ総量インジケータは、以下で説明される。本発明のこの実施形態は、ＤＡＩインデックスインジケータの値をセットする方法およびＤＡＩ総量インジケータの値をセットする８つの方法を提供し、これらの方法は、以下で添付図面を参照して１つずつ説明される。
【０２６６】
ＤＡＩインデックスインジケータの値
【０２６７】
リアルタイムスケジューリングダウンリンクサブフレームサブセット内の各ダウンリンクサブフレームに対応するＤＡＩインデックスインジケータの値は、リアルタイムスケジューリングダウンリンクサブフレームサブセット内のサブフレームに対して予め設定された順序で累積カウントを実行することによって入手されるカウント値である。
【０２６８】
予め設定された順序に関しては、前述の説明を参照されたい。
【０２６９】
ＤＡＩインデックスインジケータの値の概略図が、図５に示されている。前述の実施形態で、図５のＤＡＩインデックスインジケータが既に説明され、詳細は、もはや本明細書では説明されない。
【０２７０】
本発明のこの実施形態に関して、基地局が、リアルタイムスケジューリングダウンリンクサブフレームサブセット内のダウンリンクサブフレームごとにＤＡＩインデックスインジケータをセットし、リアルタイムスケジューリングダウンリンクサブフレームサブセット内のダウンリンクサブフレームの間の関係が、ＤＡＩインデックスインジケータの値に従って判定され得るので、ＤＡＩインデックスインジケータは、ＵＥが、いくつかの実際にスケジューリングされたダウンリンク共有チャネルが検出の際に見逃されるかどうかを判定するための基礎として使用され得る。
【０２７１】
アクセスネットワークデバイスがＤＡＩインデックスインジケータをＵＥに送信した後に、ＵＥは、リアルタイムスケジューリングダウンリンクサブフレームサブセット内の最後のまたは複数の最後のダウンリンクサブフレーム内のダウンリンク共有チャネルが検出の際に見逃されることをそれでも発見できず、ＵＥは、リアルタイムスケジューリングダウンリンクサブフレームサブセット内の４つの連続するダウンリンクサブフレーム内のダウンリンク共有チャネルが検出の際に見逃されることをも発見できないことに留意されたい。したがって、ＤＡＩ総量インジケータが、さらにセットされる必要があり、ＤＡＩ総量インジケータが、ＵＥに供給される必要があり、その結果、ＵＥが、より完全なフィードバック情報をフィードバックするために、より多くのダウンリンク共有チャネルが検出の際に見逃されることを発見できるようになる。
【０２７２】
本発明のこの実施形態で提供されるＤＡＩ総量インジケータの値をセットする以下の８つの方法において、第１の情報に関して、前述の説明を参照されたいことに、前もって留意されたい。
【０２７３】
さらに、ＤＡＩ総量インジケータの値をセットする８つの方法が説明される。
【０２７４】
ＤＡＩ総量インジケータをセットする方法１
【０２７５】
リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在のサブフレームシーケンス番号に対応する第１の順序組合せ内のダウンリンクサブフレーム内でスケジューリングされる第１の情報の総量である。
【０２７６】
ＤＡＩインデックスインジケータの値およびＤＡＩ総量インジケータの第１の値が、図６に示されている。図６のＤＡＩインデックスインジケータの値およびＤＡＩ総量インジケータの値は、前述の実施形態で既に説明され、詳細は、もはや本明細書では説明されない。
【０２７７】
本発明のこの実施形態に関して、アクセスネットワークデバイスがＤＡＩ総量インジケータをセットする方法１に従ってＤＡＩ総量インジケータの値をセットする時には、現在のダウンリンクサブフレーム内でスケジューリングされる第１の情報の量だけが、考慮される必要があり、現在のサブフレーム瞬間の次の瞬間のダウンリンクサブフレーム内でスケジューリングされる第１の情報の量は、もはや予測される必要がない。したがって、この方法では、アクセスネットワークデバイスは、スケジューリング中に次の瞬間のダウンリンクサブフレームに関する予測を実行する必要がなく、ＤＡＩ総量インジケータの値をセットすることの複雑さは、低い。さらに、ＤＡＩ総量インジケータをセットする方法１に従ってセットされるＤＡＩ総量インジケータの値を使用することによって、ＵＥは、リアルタイムスケジューリングダウンリンクサブフレームサブセット内のダウンリンクサブフレーム内でスケジューリングされる第１の情報が検出の際に見逃されるかどうかを判定することができ、その結果、アクセスネットワークデバイスは、ＵＥによってフィードバックされたより完全なフィードバック情報を受信できるようになる。
【０２７８】
ＤＡＩ総量インジケータをセットする方法２
【０２７９】
リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と過去の量との和である。現在の量は、現在のサブフレームシーケンス番号に対応する第１の順序組合せ内のダウンリンクサブフレーム内でスケジューリングされる第１の情報の総量である。過去の量は、リアルタイムスケジューリングダウンリンクサブフレームサブセット内の現在のサブフレームシーケンス番号のサブフレーム瞬間の前のすべてのダウンリンクサブフレームのサブフレームシーケンス番号に別々に対応する第１の順序組合せ内の各ダウンリンクサブフレーム内でスケジューリングされる第１の情報の総量である。
【０２８０】
ＤＡＩインデックスインジケータの値およびＤＡＩ総量インジケータの第２の値が、図７に示されている。図７のＤＡＩインデックスインジケータの値およびＤＡＩ総量インジケータの値は、前述の実施形態で既に説明され、詳細は、もはや本明細書では説明されない。
【０２８１】
本発明のこの実施形態に関して、アクセスネットワークデバイスがＤＡＩ総量インジケータをセットする方法２に従ってＤＡＩ総量インジケータの値をセットする時に、現在の瞬間のダウンリンクサブフレーム内でスケジューリングされる第１の情報の量およびリアルタイムスケジューリングダウンリンクサブフレームサブセット内の現在のサブフレーム瞬間の前のダウンリンクサブフレーム内でスケジューリングされる第１の情報の量だけが、考慮される必要があり、現在のサブフレーム瞬間の次の瞬間のダウンリンクサブフレーム内でスケジューリングされる第１の情報の量は、予測される必要がない。したがって、この方法では、アクセスネットワークデバイスは、スケジューリング中に次のダウンリンクサブフレームに関する予測を実行する必要がなく、ＤＡＩ総量インジケータの値をセットすることの複雑さは、低い。さらに、ＤＡＩ総量インジケータをセットする方法２に従ってセットされるＤＡＩ総量インジケータの値を使用することによって、ＵＥは、リアルタイムスケジューリングダウンリンクサブフレームサブセット内のダウンリンクサブフレーム内でスケジューリングされる第１の情報が検出の際に見逃されるかどうかを判定することができ、その結果、アクセスネットワークデバイスは、ＵＥによってフィードバックされたより完全なフィードバック情報を受信できるようになる。
【０２８２】
ＤＡＩ総量インジケータをセットする方法３
【０２８３】
リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量と将来の量との和である。現在の量は、現在のサブフレームシーケンス番号に対応する第１の順序組合せ内のダウンリンクサブフレーム内でスケジューリングされる第１の情報の総量である。将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【０２８４】
ＤＡＩインデックスインジケータの値およびＤＡＩ総量インジケータの第３の値が、図８に示されている。図８のＤＡＩインデックスインジケータの値およびＤＡＩ総量インジケータの値は、前述の実施形態で既に説明され、詳細は、もはや本明細書では説明されない。
【０２８５】
本発明のこの実施形態に関して、アクセスネットワークデバイスが、ＤＡＩ総量インジケータをセットする方法３に従ってセットされるＤＡＩ総量インジケータの値をＵＥに送信した後に、ＵＥは、リアルタイムスケジューリングダウンリンクサブフレームサブセット内の最後の瞬間にあるのではないダウンリンクサブフレームに対応する第１の順序組合せ内のダウンリンクサブフレーム内でスケジューリングされる第１の情報が検出の際に見逃されることを発見し、最後の瞬間のダウンリンクサブフレームに対応する第１の順序組合せ内のダウンリンクサブフレーム内でスケジューリングされる第１の情報が検出の際に見逃されることを発見し得、その結果、アクセスネットワークデバイスは、ＵＥによってフィードバックされたより完全なフィードバック情報を受信できるようになる。
【０２８６】
ＤＡＩ総量インジケータをセットする方法４
【０２８７】
リアルタイムスケジューリングダウンリンクサブフレームサブセット内で、現在のサブフレームシーケンス番号に対応する第１の順序組合せ内の各ダウンリンクサブフレームのＤＡＩ総量インジケータの値は、現在の量、過去の量、および将来の量の和である。現在の量は、現在のサブフレームシーケンス番号に対応する第１の順序組合せ内のダウンリンクサブフレーム内でスケジューリングされる第１の情報の総量である。過去の量は、リアルタイムスケジューリングダウンリンクサブフレームサブセット内の現在のサブフレームシーケンス番号のサブフレーム瞬間の前のすべてのサブフレームシーケンス番号に別々に対応する第１の順序組合せ内の各ダウンリンクサブフレーム内でスケジューリングされる第１の情報の総量である。将来の量は、リアルタイムスケジューリングダウンリンクサブフレームサブセット内の現在のサブフレームシーケンス番号を有するサブフレームの次の瞬間のダウンリンクサブフレームのサブフレームシーケンス番号に対応する第１の順序組合せ内のダウンリンクサブフレーム内でスケジューリングされる第１の情報の総量である。
【０２８８】
ＤＡＩインデックスインジケータの値およびＤＡＩ総量インジケータの第４の値が、図９に示されている。図９のＤＡＩインデックスインジケータの値およびＤＡＩ総量インジケータの値は、前述の実施形態で既に説明され、詳細は、もはや本明細書では説明されない。
【０２８９】
本発明のこの実施形態に関して、ＤＡＩ総量インジケータの値が、過去の量と将来の量との両方を含むので、アクセスネットワークデバイスが、ＤＡＩ総量インジケータをセットする方法４に従ってセットされるＤＡＩ総量インジケータの値をＵＥに送信した後に、ＵＥは、リアルタイムスケジューリングダウンリンクサブフレームサブセット内の最後の瞬間にあるのではないダウンリンクサブフレームに対応する第１の順序組合せ内のダウンリンクサブフレーム内でスケジューリングされる第１の情報が検出の際に見逃されることを発見し、最後の瞬間のダウンリンクサブフレームに対応する第１の順序組合せ内のダウンリンクサブフレーム内でスケジューリングされる第１の情報が検出の際に見逃されることを発見することができ、その結果、アクセスネットワークデバイスは、ＵＥによってフィードバックされたより完全なフィードバック情報を受信できるようになる。
【０２９０】
ＤＡＩ総量インジケータをセットする前述のセット方法１から４で、ＤＡＩ総量インジケータの値が判定される時に、上で説明される第１の情報内に含まれるダウンリンク共有チャネルが、第２のダウンリンク共有チャネルを含むことも含まないこともあることに留意されたい。これは、本発明では限定されない。第２のダウンリンク共有チャネルが、リアルタイムでスケジューリングされるのではなく、データを送信する期間およびサブフレーム位置が事前に決定されるので、ＤＡＩ総量インジケータがカウントされるかどうかは、結果に影響しない。
【０２９１】
アクセスネットワークデバイスが、特殊なダウンリンク制御チャネルを使用することによってデータを送信する必要がある場合に、ＤＡＩ総量インジケータの値が、特殊なダウンリンク制御チャネルの量をさらに含むことにさらに留意されたい。一般に、特殊なダウンリンク制御チャネルの量は１である。
【０２９２】
ＤＡＩ総量インジケータをセットする方法５
【０２９３】
リアルタイムスケジューリングダウンリンクサブフレームサブセット内の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、リアルタイムスケジューリングダウンリンクサブフレームサブセット内の他のダウンリンクサブフレームに対応するＤＡＩ総量インジケータの値は、すべてプリセット値Ａ0に設定され、Ｘは、１より大きい自然数である。
【０２９４】
ＤＡＩインデックスインジケータの値およびＤＡＩ総量インジケータの第５の値が、図１２に示されている。図１２のＤＡＩインデックスインジケータの値およびＤＡＩ総量インジケータの値は、前述の実施形態で既に説明され、詳細は、もはや本明細書では説明されない。
【０２９５】
本発明のこの実施形態に関して、アクセスネットワークデバイスが、ＤＡＩインデックスインジケータおよびＤＡＩ総量インジケータをセットする方法５に従ってセットされたＤＡＩ総量インジケータの値をＵＥに送信した後に、ＵＥは、ＤＡＩインデックスインジケータに従って、検出の際のリアルタイムスケジューリングダウンリンクサブフレームサブセット内の後に続くサブフレーム以外のサブフレームの見逃しというエラーイベントを発見することができ、ＤＡＩ総量インジケータに従って、検出の際のリアルタイムスケジューリングダウンリンクサブフレームサブセット内の後に続くサブフレームの見逃しというエラーイベントを発見することができる。したがって、ＵＥは、ＤＡＩインデックスインジケータおよびＤＡＩ総量インジケータに従って、検出された第１の情報に対応するフィードバック情報の順序を判定し、検出の際に見逃される第１の情報のフィードバック情報を判定する。さらに、より完全なフィードバック情報のコードブックが復元され、アクセスネットワークデバイスは、より完全なフィードバック情報を受信することができる。
【０２９６】
ＤＡＩ総量インジケータをセットする方法６
【０２９７】
リアルタイムスケジューリングダウンリンクサブフレームサブセット内の同一のシーケンス番号を有するダウンリンクサブフレームの中で第１の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、同一のシーケンス番号を有するダウンリンクサブフレームの他のダウンリンクサブフレームに対応するＤＡＩ総量インジケータの値は、すべてプリセット値Ａ0に設定され、Ｘは、１より大きい自然数である。
【０２９８】
ＤＡＩインデックスインジケータの値およびＤＡＩ総量インジケータの第６の値が、図１３に示されている。図１３のＤＡＩインデックスインジケータの値およびＤＡＩ総量インジケータの値は、前述の実施形態で既に説明され、詳細は、もはや本明細書では説明されない。
【０２９９】
本発明のこの実施形態に関して、アクセスネットワークデバイスが、ＤＡＩインデックスインジケータおよびＤＡＩ総量インジケータをセットする方法６に従ってセットされたＤＡＩ総量インジケータの値をＵＥに送信した後に、ＵＥは、ＤＡＩインデックスインジケータに従って、検出の際の、リアルタイムスケジューリングダウンリンクサブフレームサブセット内の後に続くサブフレーム以外のサブフレームの見逃しというエラーイベントを発見し、第１の予め設定された順序で配置された、同一のシーケンス場号を有するダウンリンクサブフレームの最後の、最後から２番目の、…、および最後からＸ番目のダウンリンクサブフレームに対応するＤＡＩ総量インジケータに従って、検出の際の、リアルタイムスケジューリングダウンリンクサブフレームサブセット内の後に続くサブフレームの見逃しというエラーイベントを発見することができる。したがって、より完全なフィードバック情報のコードブックが、復元され得、アクセスネットワークデバイスは、より完全なフィードバック情報を受信することができる。
【０３００】
図１３では、ＵＥが、検出の際にキャリア６からキャリア８のダウンリンクサブフレーム８を見逃すが、ＵＥが、キャリア６のダウンリンクサブフレーム６に対応するＤＡＩ総量インジケータを受信すると仮定すると、ＵＥが、ＤＡＩ総量インジケータに従って、キャリア６のダウンリンクサブフレーム６のフィードバック情報のコードブックと、リアルタイムスケジューリングダウンリンクサブフレームサブセット内のダウンリンクサブフレーム６の前のダウンリンクサブフレームのそれとを復元し、その後、これらのコードブックを基地局にフィードバックし、ダウンリンクサブフレーム８に対応する第１の順序組合せ内のダウンリンクサブフレームに対応するフィードバック情報のコードブックを一時的に破棄し得ることにさらに留意されたい。したがって、アクセスネットワークデバイスは、ダウンリンクサブフレーム８に対応する第１の順序組合せ内のダウンリンクサブフレームに対応するフィードバック情報のコードブックの受信に失敗することがある。
【０３０１】
ＤＡＩ総量インジケータをセットする方法７
【０３０２】
リアルタイムスケジューリングダウンリンクサブフレームサブセット内の各ダウンリンクサブフレームに対応するＤＡＩ総量インジケータの値は、プリセットカウント方式での予め設定された順序の逆順でリアルタイムスケジューリングダウンリンクサブフレームサブセット内のサブフレームに対してカウントを実行することによって入手されるカウント値である。
【０３０３】
プリセットカウント方式は、上昇するカウントまたは下降するカウントとし得る。
【０３０４】
ＤＡＩインデックスインジケータの値およびＤＡＩ総量インジケータの第７の値が、図１４に示されている。図１４のＤＡＩインデックスインジケータの値およびＤＡＩ総量インジケータの値は、前述の実施形態で既に説明され、詳細は、もはや本明細書では説明されない。
【０３０５】
本発明のこの実施形態に関して、アクセスネットワークデバイスが、ＤＡＩインデックスインジケータおよびＤＡＩ総量インジケータをセットする方法７に従ってセットされるＤＡＩ総量インジケータの値をＵＥに送信した後に、ＵＥは、ＤＡＩインデックスインジケータに従って、検出の際の、リアルタイムスケジューリングダウンリンクサブフレームサブセット内の後に続くサブフレーム以外のサブフレームの見逃しというエラーイベントを発見することができる。その後、上昇するカウントまたは下降するカウントが、ＤＡＩ総量インジケータに基づいて、配置結果に従って予め設定された順序の逆順で最後のダウンリンクサブフレームから始まる。したがって、ＵＥは、ＤＡＩ総量インジケータに従って、検出の際のリアルタイムスケジューリングダウンリンクサブフレームサブセット内の後に続くサブフレームの見逃しというイベントを発見し得、または、検出の際の後に続くサブフレーム以外のサブフレームの見逃しというエラーイベントを発見する助けとなり得る。さらに、より完全なフィードバック情報のコードブックが、復元され、アクセスネットワークデバイスは、より完全なフィードバック情報を受信することができる。
【０３０６】
ＤＡＩ総量インジケータをセットする方法８
【０３０７】
第１の予め設定された順序の逆順で配置されるリアルタイムスケジューリングダウンリンクサブフレームサブセット内の同一のシーケンス番号を有するダウンリンクサブフレームの各ダウンリンクサブフレームのＤＡＩ総量インジケータの値は、プリセット値から開始して、リアルタイムスケジューリングダウンリンクサブフレームサブセット内の同一のシーケンス番号を有するダウンリンクサブフレームに対するカウントを、プリセットカウント方式で第１の予め設定された順序の逆順で実行することによって入手されるカウント値である。
【０３０８】
ＤＡＩインデックスインジケータの値およびＤＡＩ総量インジケータの第８の値が、図１５に示されている。図１５のＤＡＩインデックスインジケータの値およびＤＡＩ総量インジケータの値は、前述の実施形態で既に説明され、詳細は、もはや本明細書では説明されない。
【０３０９】
ＤＡＩ総量インジケータの値結果９
【０３１０】
ＤＡＩ総量インジケータは、ＨＡＲＱ−ＡＣＫコードブック内のビットの量を示すのに使用され、コードブックボリュームまたはコードブックサイズと呼ばれることもある。コードブックボリュームは、事前に構成されたダウンリンクサブフレームセットに対応するＨＡＲＱ−ＡＣＫ内のビットの量未満であるが、リアルタイムスケジューリングダウンリンクサブフレームサブセット内のダウンリンクサブフレームの量またはトランスポートブロックの量以上である。コードブックボリュームが、リアルタイムスケジューリングダウンリンクサブフレームサブセット内のダウンリンクサブフレームの量またはトランスポートブロックの量を超える時には、ＵＥと基地局との両方が、少なくとも１つのＮＡＣＫがコードブックの末尾でパディングされると判定する。パディングされるＮＡＣＫの特定の量は、コードブック内のビットの事前に推定された量から、リアルタイムスケジューリングダウンリンクサブフレームサブセット内にあり、その中でダウンリンクデータが実際にスケジューリングされるダウンリンクサブフレームの量またはトランスポートブロックの量を引いたものである。具体的には、この解決策は、前述の実施形態で既に説明され、詳細は、もはや本明細書では説明されない。
【０３１１】
本発明のこの実施形態に関して、アクセスネットワークデバイスが、ＤＡＩインデックスインジケータおよびＤＡＩ総量インジケータをセットする方法８に従ってセットされるＤＡＩ総量インジケータの値をＵＥに送信した後に、ＵＥは、ＤＡＩインデックスインジケータに従って、検出の際の、リアルタイムスケジューリングダウンリンクサブフレームサブセット内の後に続くサブフレーム以外のサブフレームの見逃しというエラーイベントを発見することができる。ＤＡＩ総量インジケータは、異なる瞬間にダウンリンクサブフレームのために独立にセットされる。同一の瞬間のダウンリンクサブフレームが、第１の順序の逆順で配置された後に、ダウンリンクサブフレームは、最後のダウンリンクサブフレームから開始して、配置結果に従ってカウントされる。すなわち、最後のダウンリンクサブフレームのＤＡＩ総量インジケータの値が、判定される。したがって、検出の際の後に続くサブフレームの見逃しというエラーイベントは、最後に受信されたダウンリンクサブフレームのＤＡＩ総量インジケータの値に従って発見され得る。結論として、アクセスネットワークデバイスは、リアルタイムスケジューリングダウンリンクサブフレームサブセット内のすべてのダウンリンクサブフレームに対応するフィードバック情報を受信し得、またはリアルタイムスケジューリングダウンリンクサブフレームサブセット内のいくつかのダウンリンクサブフレームに対応するフィードバック情報を受信し得る。
【０３１２】
本発明のこの実施形態で提供されるフィードバック情報を受信する方法では、アクセスネットワークデバイスは、ＤＡＩインデックスインジケータおよびＤＡＩ総量インジケータをＵＥに送信し、その結果、ＵＥは、ＤＡＩインデックスインジケータおよびＤＡＩ総量インジケータに従って、リアルタイムスケジューリングダウンリンクサブフレームサブセットに対応するフィードバック情報のコードブックを復元し、または部分的なフィードバック情報のコードブックを復元するようになる。ＤＡＩインデックスインジケータおよびＤＡＩ総量インジケータが、両方ともリアルタイムスケジューリングダウンリンクサブフレームサブセットに従って判定されるので、アクセスネットワークデバイスは、アップリンクサブフレーム内で、アクセスネットワークデバイスによって実際にスケジューリングされたダウンリンクサブフレームに対応するフィードバック情報を受信することだけが必要であり、スケジューリングされないダウンリンクサブフレーム内でＮＡＣＫパディングを実行せず、これによってアップリンクリソース利用を改善する。
【０３１３】
アクセスネットワークデバイスが、リアルタイムスケジューリングダウンリンクサブフレームサブセット内のすべてのダウンリンクサブフレームに対応するフィードバック情報を受信し得、またはリアルタイムスケジューリングダウンリンクサブフレームサブセット内のいくつかのダウンリンクサブフレームに対応するフィードバック情報を受信し得ることに留意されたい。
【０３１４】
アクセスネットワークデバイスが、受信されたフィードバック情報がリアルタイムスケジューリングダウンリンクサブフレームサブセット内のすべてのダウンリンクサブフレームまたはいくつかのダウンリンクサブフレームのどちらに対応するのかを判定することを可能にするために、本発明のこの実施形態の実装方式では、アクセスネットワークデバイスによって、アップリンクサブフレーム内で、ＵＥによって送信される、チャネルコーディングがそれに対して実行されたフィードバック情報を受信する前述のステップ１８０２の後に、この方法は、フィードバック情報のコードブックを入手するために、アクセスネットワークデバイスによって、受信された符号化されたフィードバック情報を復号することをさらに含む。具体的には、アクセスネットワークデバイスは、少なくとも２つの仮定条件に基づいて、受信された符号化されたフィードバック情報を復号する。各仮定条件では、アクセスネットワークデバイスは、事前に構成されたダウンリンクサブフレームセット内でＵＥによって受信される最後のダウンリンクサブフレームが、異なるダウンリンクサブフレームであると仮定する。異なるダウンリンクサブフレームに関して、以下の２つの実装方式が、含まれ得る。
【０３１５】
第１の実装方式では、図６を例として使用すると、アクセスネットワークデバイスは、ＵＥによって受信された最後のダウンリンクサブフレームが、サブフレームシーケンス番号に関すると仮定する。たとえば、第１の仮定では、アクセスネットワークデバイスは、ＵＥが、サブフレームシーケンス番号８の少なくとも１つのダウンリンクサブフレームを受信すると仮定し、このケースでは、アクセスネットワークデバイスは、サブフレーム８が、ＵＥのためにアクセスネットワークデバイスによってスケジューリングされるリアルタイムスケジューリングダウンリンクサブフレームサブセット内の最後のサブフレームであることをはっきりと知る。したがって、このケースでは、アクセスネットワークデバイスは、復号を実行するためにすべてのサブフレームのコードブックを仮定する、すなわち、復号を実行するために２１ビットのコードブックボリュームを仮定する。第２の仮定では、アクセスネットワークデバイスは、ＵＥによって受信された最後のサブフレームのサブフレームシーケンス番号が６であると仮定する。したがって、このケースでは、アクセスネットワークデバイスは、ＵＥが検出の際にサブフレームシーケンス番号８内のすべてのＰＤＣＣＨを見逃すと仮定し、ＵＥがサブフレームシーケンス番号６の少なくとも１つのダウンリンクサブフレームを受信すると仮定する。したがって、このケースでは、アクセスネットワークデバイスは、復号を実行するためにいくつかのサブフレームのコードブックを仮定する、すなわち、復号を実行するために１６ビットのコードブックボリュームを仮定する。このケースでは、入手されるコードブックは、サブフレーム８を除外されたサブフレーム４、５、および６に対応する。
【０３１６】
第２の実装方式では、図１２を例として使用すると、アクセスネットワークデバイスは、ＵＥによって受信される最後のダウンリンクサブフレームが特定のダウンリンクサブフレームに関すると仮定する。たとえば、このケースでは、同一のサブフレームシーケンス番号を有する異なるサブフレームが含まれる。たとえば、図１２では、第１の仮定で、アクセスネットワークデバイスは、ＵＥが、サブフレームシーケンス番号８の、そのＤＡＩ総量インジケータが２、３、および４である少なくとも１つのダウンリンクサブフレームを受信すると仮定する。したがって、このケースでは、アクセスネットワークデバイスは、復号を実行するためにすべてのサブフレームのコードブックを仮定する、すなわち、復号を実行するために２０ビットのコードブックボリュームを仮定する。第２の仮定では、アクセスネットワークデバイスは、ＵＥが、キャリア１から５の、そのサブフレームシーケンス番号が８であるダウンリンクサブフレーム８を受信すると仮定し、ＵＥが、検出の際にそのＤＡＩ総量インジケータが２、３、および４である、サブフレームシーケンス番号８のすべてのＰＤＣＣＨを見逃すと仮定する。したがって、このケースでは、アクセスネットワークデバイスは、復号を実行するためにいくつかのサブフレームのコードブックを仮定する、すなわち、復号を実行するために１７ビットのコードブックボリュームを仮定する。
【０３１７】
アクセスネットワークデバイスが、受信されたフィードバック情報がリアルタイムスケジューリングダウンリンクサブフレームサブセット内のすべてのダウンリンクサブフレームまたはいくつかのダウンリンクサブフレームのどちらに対応するのかを判定することを可能にするために、本発明のこの実施形態の別の実装方式では、図２０に示されているように、アクセスネットワークデバイスによって、アップリンクサブフレーム内の物理リソース内で、物理リソースにマッピングされたフィードバック情報を受信する前述のステップ１８０４の後に、この方法は、以下のステップをさらに含む。
【０３１８】
２００１  アクセスネットワークデバイスが、アップリンクサブフレーム内の第１のパラメータを検出し、第１のパラメータは、復調基準信号ＤＭＲＳ部分のシーケンスおよび／または物理リソースの情報部分のシーケンスである。
【０３１９】
ＤＭＲＳ部分のシーケンスは、アップリンク制御チャネルのＤＭＲＳ時間領域シンボル上のＤＭＲＳ部分のシーケンスとされ得る。情報部分のシーケンスは、アップリンク制御チャネル上でフィードバック情報を送信するための時間領域シンボル上の拡散シーケンスとされ得る。
【０３２０】
２００２  アクセスネットワークデバイスが、第１のパラメータに従って、事前に構成されたダウンリンクサブフレームセット内でＵＥによって受信される最後のダウンリンクサブフレームを判定する
【０３２１】
２００３  アクセスネットワークデバイスが、最後のダウンリンクサブフレームに従って、フィードバック情報のコードブックがリアルタイムスケジューリングダウンリンクサブフレームサブセット内のすべてのまたはいくつかのダウンリンクサブフレームに対応すると判定する。
【０３２２】
ステップ２００２で、ＵＥによって受信された最後のダウンリンクサブフレームが、リアルタイムスケジューリングダウンリンクサブフレームサブセット内の最後のダウンリンクサブフレームであると判定される場合に、それは、アクセスネットワークデバイスによって受信されるフィードバック情報が、リアルタイムスケジューリングダウンリンクサブフレームサブセット内の最後のダウンリンクサブフレームに対応するフィードバック情報を含むことを示すことに留意されたい。リアルタイムスケジューリングダウンリンクサブフレームサブセット内の最後の瞬間にあるダウンリンクサブフレーム以外のダウンリンクサブフレームが検出の際に見逃される場合に、ＵＥは、ＤＡＩインデックスインジケータおよびＤＡＩ総量インジケータに従ってその状況を発見し、ＮＡＣＫ情報をフィードバックし得る。したがって、アクセスネットワークデバイスは、受信されたフィードバック情報がリアルタイムスケジューリングダウンリンクサブフレームサブセット内の最後のダウンリンクサブフレームを含むかどうかを判定することによって、受信されたフィードバック情報が、リアルタイムスケジューリングダウンリンクサブフレームサブセット内のすべてのダウンリンクサブフレームに対応するのか、またはリアルタイムスケジューリングダウンリンクサブフレームサブセット内のいくつかのダウンリンクサブフレームに対応するのかを判定し得る。
【０３２３】
本発明のこの実施形態で提供されるフィードバック情報を受信する方法では、アクセスネットワークデバイスは、第１のパラメータを使用することによって、事前に構成されたダウンリンクサブフレームセット内でＵＥによって受信される最後のダウンリンクサブフレームを判定し、最後のダウンリンクサブフレームを使用することによって、受信されたフィードバック情報が、リアルタイムスケジューリングダウンリンクサブフレームサブセット内のすべてのダウンリンクサブフレームに対応するのか、またはリアルタイムスケジューリングダウンリンクサブフレームサブセット内のいくつかのダウンリンクサブフレームに対応するのかをさらに判定する。したがって、アクセスネットワークデバイスは、受信されたフィードバック情報を正しく復号することができ、これによって、アクセスネットワークデバイスがブラインド検出を実行するのを防ぐ。
【０３２４】
本発明のこの実施形態は、別の実装方式をさらに提供し、この実装方式は、受信されたフィードバック情報がリアルタイムスケジューリングダウンリンクサブフレームサブセット内のすべてのまたはいくつかのダウンリンクサブフレームのどちらに対応するのかを判定するのに使用される。図２１に示されているように、アクセスネットワークデバイスによって、アップリンクサブフレーム内の物理リソース内で、物理リソースにマッピングされたフィードバック情報を受信する前述のステップ１８０４は、具体的にはステップ２１０１として実施され得る。
【０３２５】
２１０１  アクセスネットワークデバイスが、アップリンクサブフレーム内の物理リソース内で、ディスプレイシグナリングおよび物理リソースにマッピングされたフィードバック情報を受信し、ディスプレイシグナリングは、事前に構成されたダウンリンクサブフレームセット内でＵＥによって検出される最後のダウンリンクサブフレームをアクセスネットワークデバイスに示すのに使用される。
【０３２６】
さらに、本発明のこの実施形態で提供される別の実装方式では、図２２に示されているように、前述のステップ２１０１の後に、方法は、以下のステップをさらに含む。
【０３２７】
２１０２  アクセスネットワークデバイスが、ディスプレイシグナリングに従って、リアルタイムスケジューリングダウンリンクサブフレームサブセット内でＵＥによって受信される最後のダウンリンクサブフレームを判定する。
【０３２８】
２１０３  アクセスネットワークデバイスが、最後のダウンリンクサブフレームに従って、フィードバック情報がリアルタイムスケジューリングダウンリンクサブフレームサブセット内のすべてのまたはいくつかのダウンリンクサブフレームに対応するかどうかを判定する。
【０３２９】
リアルタイムスケジューリングダウンリンクサブフレームサブセット内の最後の瞬間にあるのではないダウンリンクサブフレームが検出の際に見逃される場合に、ＵＥが、ＤＡＩインデックスインジケータおよびＤＡＩ総量インジケータに従ってその状況を発見し、ＮＡＣＫ情報をフィードバックし得ることに留意されたい。したがって、ＵＥによって受信された最後のダウンリンクサブフレームが、リアルタイムスケジューリングダウンリンクサブフレームサブセット内の最後のダウンリンクサブフレームであると判定される場合に、それは、アクセスネットワークデバイスによって受信されるフィードバック情報が、リアルタイムスケジューリングダウンリンクサブフレームサブセット内の最後のダウンリンクサブフレームに対応するフィードバック情報を含むことを示す。さらに、アクセスネットワークデバイスによって受信されるフィードバック情報が、リアルタイムスケジューリングダウンリンクサブフレームサブセット内のすべてのダウンリンクサブフレームに対応することが判定される。
【０３３０】
しかし、ＵＥによって受信された最後のダウンリンクサブフレームが、リアルタイムスケジューリングダウンリンクサブフレームサブセット内の最後のダウンリンクサブフレームではないと判定される場合に、それは、アクセスネットワークデバイスによって受信されるフィードバック情報が、リアルタイムスケジューリングダウンリンクサブフレームサブセット内の最後のダウンリンクサブフレームに対応するフィードバック情報を含まないことを示す。したがって、アクセスネットワークデバイスによって受信されるフィードバック情報が、リアルタイムスケジューリングダウンリンクサブフレームサブセット内のいくつかのダウンリンクサブフレームに対応することが判定される。
【０３３１】
本発明のこの実施形態で提供されるフィードバック情報を受信する方法では、アクセスネットワークデバイスは、ディスプレイシグナリングを使用することによって、事前に構成されたダウンリンクサブフレームセット内でＵＥによって受信される最後のダウンリンクサブフレームを判定し、最後のダウンリンクサブフレームを使用することによって、受信されたフィードバック情報が、リアルタイムスケジューリングダウンリンクサブフレームサブセット内のすべてのダウンリンクサブフレームに対応するのか、またはリアルタイムスケジューリングダウンリンクサブフレームサブセット内のいくつかのダウンリンクサブフレームに対応するのかを判定する。したがって、アクセスネットワークデバイスは、受信されたフィードバック情報を正しく復号することができ、これによって、アクセスネットワークデバイスがブラインド検出を実行するのを防ぐ。
【０３３２】
本発明のこの実施形態は、別の実装方式をさらに提供する。具体的には、アクセスネットワークデバイスは、ディスプレイシグナリングを使用することによって、たとえばＰＵＳＣＨをスケジューリングするＰＤＣＣＨ内のＵＬ＿ＤＡＩフィールドなどのフィールドを使用することによって、最後の現在スケジューリングされているサブフレームのシーケンス番号についてＵＥに通知する。ＵＥによって受信される最後のサブフレームのシーケンス番号と、ディスプレイシグナリングを使用することによって通知されるサブフレームのシーケンス番号とが一貫する場合に、アクセスネットワークデバイスは、前述の実施形態の方法に従ってフィードバック情報を受信し得る。シーケンス番号が一貫しない場合には、ＵＥは、フィードバック情報を送信しなくてもよく、アクセスネットワークデバイスは、フィードバック情報を受信することができない。このようにして、ＵＥがフィードバック情報を送信するかどうかが、フィードバック情報の物理リソースに対してエネルギー検出を実行することによって判定され得る。
【０３３３】
アクセスネットワークデバイスが、受信されたフィードバック情報に対応するダウンリンクサブフレームを判定できない時に、受信されたフィードバック情報に対応するダウンリンクサブフレームを判定するために、本発明のこの実施形態は、別の実装方式をさらに提供する。図２３に示されているように、アクセスネットワークデバイスによって、アップリンクサブフレーム内で、ＵＥによって送信される、チャネルコーディングがそれに対して実行されたフィードバック情報を受信する前述のステップ１８０２の後に、方法は、以下のステップをさらに含む。
【０３３４】
２３０１  アクセスネットワークデバイスが、チャネルコーディングがそれに対して実行されたフィードバック情報を復号する。
【０３３５】
チャネルコーディングがそれに対して実行されたフィードバック情報は、巡回冗長検査ＣＲＣビットを搬送する。
【０３３６】
２３０２  アクセスネットワークデバイスが、復号されたフィードバック情報に対してＣＲＣ検出を実行し、フィードバック情報が正しく復号されたかどうかを判定する。
【０３３７】
アクセスネットワークデバイスは、復号されたフィードバック情報に対してＣＲＣ検出を実行し、フィードバック情報が正しく復号されたかどうかを判定する。フィードバック情報が正しく復号される場合に、アクセスネットワークデバイスは、フィードバック情報に対応するダウンリンクサブフレームを判定することができる。
【０３３８】
本発明のこの実施形態で提供されるフィードバック情報を受信する方法では、アクセスネットワークデバイスは、ダウンリンク共有チャネルを使用することによってＵＥにダウンリンクデータを送信し、リアルタイムスケジューリングダウンリンクサブフレームサブセット内のダウンリンクサブフレーム内でスケジューリングされるダウンリンク制御チャネルを使用することによってＤＡＩインデックスインジケータおよびＤＡＩ総量インジケータをＵＥに送信し、その結果、ＵＥが、ＤＡＩインデックスインジケータおよびＤＡＩ総量インジケータに従ってフィードバック情報のコードブックを判定するようになる。その後、アクセスネットワークデバイスは、アップリンクサブフレーム内で、ＵＥによって送信される、チャネルコーディングがそれに対して実行されたフィードバック情報を受信する。事前に構成されたダウンリンクサブフレームセットに従ってフィードバック情報を符号化するために大量のＮＡＣＫがパディングされる必要があり、低いアップリンクリソース利用を引き起こす従来技術と比較して、本発明では、アクセスネットワークデバイスが、ＤＡＩインデックスインジケータおよびＤＡＩ総量インジケータをＵＥに送信した後に、チャネルコーディングが、フィードバック情報のコードブックに従って、受信されたフィードバック情報に対して実行され、フィードバック情報のコードブックは、リアルタイムスケジューリングダウンリンクサブフレームサブセット内のすべてのまたはいくつかのダウンリンクサブフレームに対応する。したがって、アクセスネットワークデバイスは、実際にスケジューリングされたダウンリンクサブフレームのみの中のダウンリンク共有チャネルに対応するフィードバック情報を受信する必要があり、スケジューリングされないダウンリンクサブフレーム内でＮＡＣＫパディングを実行する必要はない。したがって、アップリンクリソースは占有されず、これによってアップリンクリソース利用を改善する。
【０３３９】
前述の方法実施形態に対応して、アップリンクリソース利用を改善するために、本発明の実施形態は、ＵＥをさらに提供する。図２４に示されているように、ＵＥは、受信ユニット２４０１、判定ユニット２４０２、符号化ユニット２４０３、および送出ユニット２４０４を含む。
【０３４０】
受信ユニット２４０１は、事前に構成されたダウンリンクサブフレームセット内のダウンリンクサブフレーム内で、ダウンリンク共有チャネルを使用することによってアクセスネットワークデバイスによって送信されるダウンリンクデータと、ダウンリンク制御チャネルを使用することによってアクセスネットワークデバイスによって送信されるダウンリンク割当てインデックスＤＡＩインデックスインジケータおよびＤＡＩ総量インジケータとを受信するように構成される。
【０３４１】
ダウンリンク共有チャネルの関係する説明は、前述の方法実施形態での説明と同一であり、詳細は、もはや本明細書では説明されない。
【０３４２】
判定ユニット２４０２は、ダウンリンク共有チャネルに対応するフィードバック情報を送信するのに使用されるアップリンクサブフレームを判定するように構成され、事前に構成されたダウンリンクサブフレームセットは、アップリンクサブフレームに関連する、ＵＥのために事前に構成されたすべてのキャリアのすべてのダウンリンクサブフレームからなるセットであり、ＤＡＩインデックスインジケータおよびＤＡＩ総量インジケータに従ってフィードバック情報のコードブックを判定するように構成され、コードブックは、リアルタイムスケジューリングダウンリンクサブフレームサブセット内のすべてのまたはいくつかのダウンリンクサブフレームに対応し、リアルタイムスケジューリングダウンリンクサブフレームサブセットは、アクセスネットワークデバイスによって実際にスケジューリングされるダウンリンクサブフレームからなるセットであり、リアルタイムスケジューリングダウンリンクサブフレームサブセットは、事前に構成されたダウンリンクサブフレームセットに属する。あるいは、別の実装方式では、任意選択で、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得る。しかし、パディングＮＡＣＫが含まれるかどうかにかかわりなく、ＨＡＲＱ−ＡＣＫコードブック内のビットの量は、事前に構成されたダウンリンクサブフレームセットに対応するＨＡＲＱ−ＡＣＫ内のビットの量未満である必要があることに留意されたい。任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る。リアルタイムスケジューリングダウンリンクサブフレームサブセットは、アクセスネットワークデバイスによって実際にスケジューリングされるダウンリンクサブフレームからなるセットであり、リアルタイムスケジューリングダウンリンクサブフレームサブセットは、事前に構成されたダウンリンクサブフレームセットに属する。この実施形態では、基地局がダウンリンクサブフレーム内でダウンリンクデータをスケジューリングする時に、基地局が、リアルタイムスケジューリングダウンリンクサブフレームサブセット内にあり、その中でダウンリンクデータがＵＥのために実際にスケジューリングされるダウンリンクサブフレームの量を正確に判定できないことがあり得る。したがって、このケースでは、１つのＨＡＲＱ−ＡＣＫコードブック内のビットの量は、事前に推定され得る。リアルタイムスケジューリングダウンリンクサブフレームサブセット内にあり、その中でダウンリンクデータが実際にスケジューリングされるダウンリンクサブフレームの量が、最終的に、コードブック内のビットの事前に推定された量未満である時に、ＵＥと基地局との両方は、少なくとも１つのＮＡＣＫがコードブックの末尾でパディングされると判定する。パディングされるＮＡＣＫの特定の量は、コードブック内のビットの事前に推定された量から、リアルタイムスケジューリングダウンリンクサブフレームサブセット内にあり、その中でダウンリンクデータが実際にスケジューリングされるダウンリンクサブフレームの量またはダウンリンクサブフレーム内のトランスポートブロックの量を引いたものである。
【０３４３】
符号化ユニット２４０３は、判定ユニット２４０２によって判定されたコードブックに従ってフィードバック情報に対してチャネルコーディングを実行するように構成される。
【０３４４】
送出ユニット２４０４は、アップリンクサブフレーム内で、チャネルコーディングがそれに対して実行されたフィードバック情報をアクセスネットワークデバイスに送信するように構成される。
【０３４５】
本発明の別の実施形態では、図２５に示されているように、ＵＥは、検出ユニット２４０５をさらに含む。
【０３４６】
検出ユニット２４０５は、特殊なダウンリンク制御チャネルを検出するように構成され、特殊なダウンリンク制御チャネルは、第２のダウンリンク共有チャネル上でのダウンリンクデータの受信を終了するようにＵＥに命令するのに使用される。
【０３４７】
図２４に関して、本発明の別の実施形態では、図２６に示されているように、送出ユニット２４０４は、判定モジュール２４０４１、マッピングモジュール２４０４２、および送出モジュール２４０４３を含む。
【０３４８】
判定モジュール２４０４１は、アクセスネットワークデバイスによって送信されたリソースインジケータ情報に従って物理リソースを判定するように構成される。
【０３４９】
マッピングモジュール２４０４２は、符号化されたフィードバック情報を物理リソースにマッピングするように構成される。
【０３５０】
送出モジュール２４０４３は、アップリンクサブフレーム内の物理リソースを使用することによって、マッピングされたフィードバック情報をアクセスネットワークデバイスに送信するように構成される。
【０３５１】
ＤＡＩインデックスインジケータおよびＤＡＩ総量インジケータの値は、以下で説明される。
【０３５２】
ＤＡＩインデックスインジケータの値結果および関係する内容については、前述の説明を参照されたい。
【０３５３】
本発明の別の実施形態では、判定ユニット２４０２は、各ダウンリンクサブフレームの事前に構成されたダウンリンクサブフレームセット内のダウンリンクサブフレーム内で受信ユニット２４０１によって受信されたＤＡＩインデックスインジケータおよびＤＡＩ総量インジケータに従ってフィードバック情報のコードブックを判定するようにさらに構成される。
【０３５４】
本発明の別の実施形態では、判定ユニット２４０２は、最後のダウンリンクサブフレームの、事前に構成されたダウンリンクサブフレームセット内のダウンリンクサブフレーム内で受信ユニット２４０１によって受信されたＤＡＩインデックスインジケータおよびＤＡＩ総量インジケータに従ってフィードバック情報のコードブックを判定するようにさらに構成される。
【０３５５】
本発明の別の実施形態では、図２７に示されているように、送出モジュール２４０４３は、入手サブモジュール２７０１、判定サブモジュール２７０２、および送出サブモジュール２７０３を含む。
【０３５６】
入手サブモジュール２７０１は、事前に構成されたダウンリンクサブフレームセット内で受信ユニットによって受信された少なくとも２つのダウンリンクサブフレームと物理リソースの少なくとも２つの候補パラメータとの間の対応を入手するように構成され、候補パラメータは、復調基準信号ＤＭＲＳ部分のシーケンスおよび／または物理リソースの情報部分のシーケンスである。
【０３５７】
判定サブモジュール２７０２は、事前に構成されたダウンリンクサブフレームセット内で受信された最後のダウンリンクサブフレームに対応する第１のパラメータを判定するように構成され、第１のパラメータは、少なくとも２つの候補パラメータのうちの１つである。
【０３５８】
送出サブモジュール２７０３は、物理リソース上で、第１のパラメータに従ってマッピングされたフィードバック情報を送信するように構成される。
【０３５９】
本発明の別の実施形態では、送出モジュール２４０４３は、アップリンクサブフレーム内の物理リソースを使用することによって、ディスプレイシグナリングおよびマッピングされたフィードバック情報をアクセスネットワークデバイスに送信するようにさらに構成され、ディスプレイシグナリングは、事前に構成されたダウンリンクサブフレームセット内でＵＥによって検出される最後のダウンリンクサブフレームをアクセスネットワークデバイスに示すのに使用される。
【０３６０】
本発明の別の実施形態では、図２８に示されているように、ＵＥは、追加ユニット２４０６をさらに含む。
【０３６１】
追加ユニット２４０６は、フィードバック情報のコードブックに巡回冗長検査ＣＲＣビットを追加するように構成される。
【０３６２】
本発明のこの実施形態で提供されるＵＥは、前述の方法実施形態の方法を実行するように構成され、同一の技術的効果を得る。詳細については、前述の実施形態の説明を参照されたく、詳細は、もはや本明細書では説明されない。
【０３６３】
アップリンクリソース利用を改善するために、本発明の実施形態は、アクセスネットワークデバイスをさらに提供する。図２９に示されているように、アクセスネットワークデバイスは、送出ユニット２９０１および受信ユニット２９０２を含む。
【０３６４】
送出ユニット２９０１は、ダウンリンク共有チャネルを使用することによってユーザ機器ＵＥにダウンリンクデータを送信し、リアルタイムスケジューリングダウンリンクサブフレームサブセット内のダウンリンクサブフレーム内でスケジューリングされるダウンリンク制御チャネルを使用することによってダウンリンク割当てインデックスＤＡＩインデックスインジケータおよびＤＡＩ総量インジケータをＵＥに送信するように構成され、その結果、ＵＥが、ＤＡＩインデックスインジケータおよびＤＡＩ総量インジケータに従ってフィードバック情報のコードブックを判定するようになり、リアルタイムスケジューリングダウンリンクサブフレームサブセットは、アクセスネットワークデバイスによって実際にスケジューリングされるダウンリンクサブフレームからなるセットであり、フィードバック情報のコードブックは、リアルタイムスケジューリングダウンリンクサブフレームサブセット内のすべてのまたはいくつかのダウンリンクサブフレームに対応し、フィードバック情報のコードブックは、ＵＥがフィードバック情報に対してチャネルコーディングを実行するための基礎である。あるいは、別の実装方式では、任意選択で、ＨＡＲＱ−ＡＣＫコードブックは、リアルタイムスケジューリングダウンリンクサブフレームサブセット内のダウンリンクサブフレームに対応するＨＡＲＱ−ＡＣＫを含み、または、ＨＡＲＱ−ＡＣＫコードブックは、リアルタイムスケジューリングダウンリンクサブフレームサブセット内のダウンリンクサブフレームに対応するＨＡＲＱ−ＡＣＫおよび少なくとも１つのパディングビットを含み、パディングビットは、プリセット値、たとえばＮＡＣＫとされ得る。しかし、パディングＮＡＣＫが含まれるかどうかにかかわりなく、ＨＡＲＱ−ＡＣＫコードブック内のビットの量は、事前に構成されたダウンリンクサブフレームセットに対応するＨＡＲＱ−ＡＣＫ内のビットの量未満である必要があることに留意されたい。任意選択で、パディングビットは、リアルタイムスケジューリングダウンリンクサブフレームサブセット内のダウンリンクサブフレームに対応するＨＡＲＱ−ＡＣＫ内のビットの位置の後に配置され得る。リアルタイムスケジューリングダウンリンクサブフレームサブセットは、アクセスネットワークデバイスによって実際にスケジューリングされるダウンリンクサブフレームからなるセットであり、リアルタイムスケジューリングダウンリンクサブフレームサブセットは、事前に構成されたダウンリンクサブフレームセットに属する。この実施形態では、基地局がダウンリンクサブフレーム内でダウンリンクデータをスケジューリングする時に、基地局が、リアルタイムスケジューリングダウンリンクサブフレームサブセット内にあり、その中でダウンリンクデータがＵＥのために実際にスケジューリングされるダウンリンクサブフレームの量を正確に判定できないことがあり得る。したがって、このケースでは、１つのＨＡＲＱ−ＡＣＫコードブック内のビットの量は、事前に推定され得る。リアルタイムスケジューリングダウンリンクサブフレームサブセット内にあり、その中でダウンリンクデータが実際にスケジューリングされるダウンリンクサブフレームの量が、最終的に、コードブック内のビットの事前に推定された量未満である時に、ＵＥと基地局との両方は、少なくとも１つのＮＡＣＫがコードブックの末尾でパディングされると判定する。パディングされるＮＡＣＫの特定の量は、コードブック内のビットの事前に推定された量から、リアルタイムスケジューリングダウンリンクサブフレームサブセット内にあり、その中でダウンリンクデータが実際にスケジューリングされるダウンリンクサブフレームの量またはダウンリンクサブフレーム内のトランスポートブロックの量を引いたものである。
【０３６５】
受信ユニット２９０２は、アップリンクサブフレーム内で、ＵＥによって送信される、チャネルコーディングがそれに対して実行されたフィードバック情報を受信するように構成される。
【０３６６】
ダウンリンク共有チャネルの関係する説明は、前述の方法実施形態での説明と同一であり、詳細は、もはや本明細書では説明されない。
【０３６７】
本発明の別の実施形態では、図３０に示されているように、アクセスネットワークデバイスは、スケジューリングユニット２９０３をさらに含む。
【０３６８】
スケジューリングユニット２９０３は、特殊なダウンリンク制御チャネルをスケジューリングするように構成され、特殊なダウンリンク制御チャネルは、送出ユニット２９０１が第２のダウンリンク共有チャネルを使用することによるダウンリンクデータの送出を終了することを可能にするのに使用される。
【０３６９】
本発明の別の実施形態では、図３１に示されているように、受信ユニット２９０２は、送出モジュール２９０２１および受信モジュール２９０２２を含む。
【０３７０】
送出モジュール２９０２１は、リソースインジケータ情報をＵＥに送信するように構成され、リソースインジケータ情報は、フィードバック情報を搬送するのに使用される物理リソースを示すのに使用される。
【０３７１】
受信モジュール２９０２２は、アップリンクサブフレーム内の物理リソース内で、物理リソースにマッピングされたフィードバック情報を受信するように構成される。
【０３７２】
本発明の別の実施形態では、リアルタイムスケジューリングダウンリンクサブフレームサブセット内の各ダウンリンクサブフレームに対応するＤＡＩインデックスインジケータの値は、リアルタイムスケジューリングダウンリンクサブフレームサブセット内のサブフレームに対して予め設定された順序で累積カウントを実行することによって入手されるカウント値である。
【０３７３】
予め設定された順序およびリアルタイムスケジューリングダウンリンクサブフレームサブセットなどの関係する内容は、前述の方法実施形態での説明と同一であり、詳細は、もはや本明細書では説明されない。
【０３７４】
本発明の別の実施形態では、ＤＡＩ総量インジケータの値は、スケジューリングユニットによってスケジューリングされた特殊なダウンリンク制御チャネルの量をさらに含む。
【０３７５】
本発明の別の実施形態では、リアルタイムスケジューリングダウンリンクサブフレームサブセット内の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、リアルタイムスケジューリングダウンリンクサブフレームサブセット内の他のダウンリンクサブフレームに対応するＤＡＩ総量インジケータの値は、すべてプリセット値Ａ0に設定され、Ｘは、１より大きい自然数である。
【０３７６】
本発明の別の実施形態では、リアルタイムスケジューリングダウンリンクサブフレームサブセット内の同一のシーケンス番号を有するダウンリンクサブフレームの中で第１の予め設定された順序で配置される最後の、最後から２番目の、…、および最後からＸ番目のダウンリンクサブフレームに対応するＤＡＩ総量インジケータの値は、それぞれプリセット値ＡX、ＡX-1、…、およびＡ1であり、同一のシーケンス番号を有するダウンリンクサブフレームの他のダウンリンクサブフレームに対応するＤＡＩ総量インジケータの値は、すべてプリセット値Ａ0に設定され、Ｘは、１より大きい自然数である。
【０３７７】
本発明の別の実施形態では、リアルタイムスケジューリングダウンリンクサブフレームサブセット内の各ダウンリンクサブフレームに対応するＤＡＩ総量インジケータの値は、プリセットカウント方式での予め設定された順序の逆順でリアルタイムスケジューリングダウンリンクサブフレームサブセット内のサブフレームに対してカウントを実行することによって入手されるカウント値である。
【０３７８】
プリセットカウント方式は、累積カウントまたは下降するカウントである。
【０３７９】
本発明の別の実施形態では、第１の予め設定された順序の逆順で配置されたリアルタイムスケジューリングダウンリンクサブフレームサブセット内の同一のシーケンス番号を有するダウンリンクサブフレームの各ダウンリンクサブフレームのＤＡＩ総量インジケータの値は、プリセット値から開始して、プリセットカウント方式の第１の予め設定された順序の逆順でリアルタイムスケジューリングダウンリンクサブフレームサブセット内の同一のシーケンス番号を有するダウンリンクサブフレームに対してカウントを実行することによって入手されるカウント値である。
【０３８０】
プリセットカウント方式は、累積カウントまたは下降するカウントである。
【０３８１】
本発明の別の実施形態では、図３２に示されているように、アクセスネットワークデバイスは、検出ユニット２９０４および判定ユニット２９０５をさらに含む。
【０３８２】
検出ユニット２９０４は、アップリンクサブフレーム内の第１のパラメータを検出するように構成され、第１のパラメータは、復調基準信号ＤＭＲＳ部分のシーケンスおよび／または物理リソースの情報部分のシーケンスである。
【０３８３】
判定ユニット２９０５は、第１のパラメータに従って、事前に構成されたダウンリンクサブフレームセット内でＵＥによって受信される最後のダウンリンクサブフレームを判定し、最後のダウンリンクサブフレームに従って、フィードバック情報がリアルタイムスケジューリングダウンリンクサブフレームサブセット内のすべてのまたはいくつかのダウンリンクサブフレームに対応すると判定するように構成される。
【０３８４】
本発明の別の実施形態では、受信ユニット２９０２は、アップリンクサブフレーム内の物理リソース内で、ディスプレイシグナリングおよび物理リソースにマッピングされたフィードバック情報を受信するようにさらに構成され、ディスプレイシグナリングは、事前に構成されたダウンリンクサブフレームセット内でＵＥによって検出される最後のダウンリンクサブフレームをアクセスネットワークデバイスに示すのに使用される。
【０３８５】
本発明の別の実施形態では、判定ユニット２９０５は、最後のダウンリンクサブフレームに従って、フィードバック情報のコードブックがリアルタイムスケジューリングダウンリンクサブフレームサブセット内のすべてのまたはいくつかのダウンリンクサブフレームに対応すると判定するようにさらに構成される。
【０３８６】
本発明の別の実施形態では、図３３に示されているように、アクセスネットワークデバイスは、復号ユニット２９０６をさらに含む。
【０３８７】
復号ユニット２９０６は、チャネルコーディングがそれに対して実行されたフィードバック情報を復号するように構成される。
【０３８８】
検出ユニット２９０４は、復号されたフィードバック情報に対してＣＲＣ検出を実行し、フィードバック情報が正しく復号されたかどうかを判定するようにさらに構成される。
【０３８９】
本発明のこの実施形態で提供されるアクセスネットワークデバイスは、前述の方法実施形態の関係するステップを実行するように構成され、同一の技術的効果を達成することができる。特定の内容については、前述の実施形態の説明を参照されたく、詳細は、もはや本明細書では説明されない。
【０３９０】
アップリンクリソース利用を改善するために、本発明の実施形態は、フィードバック情報を送信する装置をさらに提供する。図３４に示されているように、図３４は、図２４に記載のＵＥのハードウェアの概略構造図である。ＵＥは、メモリ３４０１、トランシーバ３４０２、プロセッサ３４０３、およびバス３４０４を含み得る。通信接続が、バス３４０４を使用することによって、メモリ３４０１、トランシーバ３４０２、およびプロセッサ３４０３の間で実行される。
【０３９１】
メモリ３４０１は、読取専用メモリ（Ｒｅａｄ  Ｏｎｌｙ  Ｍｅｍｏｒｙ、ＲＯＭ）、静的ストレージデバイス、動的ストレージデバイス、またはランダムアクセスメモリ（Ｒａｎｄｏｍ  Ａｃｃｅｓｓ  Ｍｅｍｏｒｙ、ＲＡＭ）とされ得る。メモリ３４０１は、オペレーティングシステムおよび別のアプリケーションプログラムを記憶し得る。本発明のこの実施形態で提供される技術的解決策が、ソフトウェアまたはファームウェアを使用することによって実施される時に、本発明のこの実施形態で提供される技術的解決策を実施するのに使用されるプログラムコードは、メモリ３４０１内に記憶され、プロセッサ３４０３によって実行される。
【０３９２】
トランシーバ３４０２は、装置と別のデバイスまたは通信ネットワーク（たとえば、イーサネット、無線アクセスネットワーク（Ｒａｄｉｏ  Ａｃｃｅｓｓ  Ｎｅｔｗｏｒｋ、ＲＡＮ）、およびワイヤレスローカルエリアネットワーク（Ｗｉｒｅｌｅｓｓ  Ｌｏｃａｌ  Ａｒｅａ  Ｎｅｔｗｏｒｋ、ＷＬＡＮ）であるがこれに限定はされない）との間で通信を実行するように構成される。
【０３９３】
プロセッサ３４０３は、本発明のこの実施形態で提供される技術的解決策を実施するのに、汎用中央処理装置（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または関係するプログラムを実行する１つもしくは複数の集積回路を使用し得る。
【０３９４】
メモリ３４０１、トランシーバ３４０２、プロセッサ３４０３、およびバス３４０４だけが、図３４のハードウェア内に示されているが、特定の実施プロセスでは、当業者が、端末が通常動作を実施するのに必要な別のデバイスをさらに含むことを理解しなければならないことに留意されたい。一方、特定の要件に従って、当業者は、別の機能を実施するハードウェアデバイスがさらに含まれ得ることを理解しなければならない。
【０３９５】
具体的には、図３４に示されたＵＥが、図２４の実施形態に示された装置を実施するように構成される時に、装置内のトランシーバ３４０２は、事前に構成されたダウンリンクサブフレームセット内のダウンリンクサブフレーム内で、ダウンリンク共有チャネルを使用することによってアクセスネットワークデバイスによって送信されるダウンリンクデータと、ダウンリンク制御チャネルを使用することによってアクセスネットワークデバイスによって送信されるダウンリンク割当てインデックスＤＡＩインデックスインジケータおよびＤＡＩ総量インジケータとを受信するように構成される。
【０３９６】
ＤＡＩインデックスインジケータの値およびＤＡＩ総量インジケータの値は、両方とも、前述の方法実施形態の説明に含まれるものと同一であり、詳細は、もはや本明細書では説明されない。
【０３９７】
プロセッサ３４０３は、メモリ３４０１および受信器に結合され、プログラム命令の実行を制御するように構成され、具体的には、ダウンリンク共有チャネルに対応するフィードバック情報を送信するのに使用されるアップリンクサブフレームを判定し、事前に構成されたダウンリンクサブフレームセットは、アップリンクサブフレームに関連する、ＵＥのために事前に構成されたすべてのキャリアのすべてのダウンリンクサブフレームからなるセットであり、ＤＡＩインデックスインジケータおよびＤＡＩ総量インジケータに従ってフィードバック情報のコードブックを判定し、コードブックは、リアルタイムスケジューリングダウンリンクサブフレームサブセット内のすべてのまたはいくつかのダウンリンクサブフレームに対応し、リアルタイムスケジューリングダウンリンクサブフレームサブセットは、アクセスネットワークデバイスによって実際にスケジューリングされるダウンリンクサブフレームからなるセットであり、リアルタイムスケジューリングダウンリンクサブフレームサブセットは、事前に構成されたダウンリンクサブフレームセットに属し、コードブックに従ってフィードバック情報に対してチャネルコーディングを実行するように構成される。
【０３９８】
トランシーバ３４０２は、アップリンクサブフレーム内で、チャネルコーディングがそれに対して実行されたフィードバック情報をアクセスネットワークデバイスに送信するようにさらに構成される。
【０３９９】
本発明の別の実施形態では、プロセッサ３４０３は、特殊なダウンリンク制御チャネルを検出するようにさらに構成され、特殊なダウンリンク制御チャネルは、第２のダウンリンク共有チャネル上でのダウンリンクデータの受信を終了するようにＵＥに命令するのに使用される。
【０４００】
本発明の別の実施形態では、プロセッサ３４０３は、アクセスネットワークデバイスによって送信されたリソースインジケータ情報に従って物理リソースを判定し、符号化されたフィードバック情報を物理リソースにマッピングするようにさらに構成される。
【０４０１】
トランシーバ３４０２は、アップリンクサブフレーム内の物理リソースを使用することによって、マッピングされたフィードバック情報をアクセスネットワークデバイスに送信するようにさらに構成される。
【０４０２】
本発明の別の実施形態では、プロセッサ３４０３は、各ダウンリンクサブフレームの事前に構成されたダウンリンクサブフレームセット内のダウンリンクサブフレーム内でＵＥによって受信されたＤＡＩインデックスインジケータおよびＤＡＩ総量インジケータに従ってフィードバック情報のコードブックを判定するようにさらに構成される。
【０４０３】
本発明の別の実施形態では、プロセッサ３４０３は、最後のダウンリンクサブフレームの、事前に構成されたダウンリンクサブフレームセット内のダウンリンクサブフレーム内でＵＥによって受信されたＤＡＩインデックスインジケータおよびＤＡＩ総量インジケータに従ってフィードバック情報のコードブックを判定するようにさらに構成される。
【０４０４】
本発明の別の実施形態では、プロセッサ３４０３は、事前に構成されたダウンリンクサブフレームセット内で受信された少なくとも２つのダウンリンクサブフレームと物理リソースの少なくとも２つの候補パラメータとの間の対応を入手し、候補パラメータは、復調基準信号ＤＭＲＳ部分のシーケンスおよび／または物理リソースの情報部分のシーケンスであり、事前に構成されたダウンリンクサブフレームセット内で受信された最後のダウンリンクサブフレームに対応する第１のパラメータを判定し、第１のパラメータは、少なくとも２つの候補パラメータのうちの１つであるようにさらに構成される。
【０４０５】
トランシーバ３４０２は、物理リソース上で、第１のパラメータに従ってマッピングされたフィードバック情報を送信するようにさらに構成される。
【０４０６】
本発明の別の実施形態では、トランシーバ３４０２は、アップリンクサブフレーム内の物理リソースを使用することによって、ディスプレイシグナリングおよびマッピングされたフィードバック情報をアクセスネットワークデバイスに送信するようにさらに構成され、ディスプレイシグナリングは、事前に構成されたダウンリンクサブフレームセット内でＵＥによって検出される最後のダウンリンクサブフレームをアクセスネットワークデバイスに示すのに使用される。
【０４０７】
本発明の別の実施形態では、プロセッサ３４０３は、フィードバック情報のコードブックに巡回冗長検査ＣＲＣビットを追加するようにさらに構成される。
【０４０８】
アップリンクリソース利用を改善するために、本発明の実施形態は、フィードバック情報を送信する装置をさらに提供する。図３５に示されているように、図３５は、図２９に示されたアクセスネットワークデバイスのハードウェアの概略構造図である。アクセスネットワークデバイスは、メモリ３５０１、トランシーバ３５０２、プロセッサ３５０３、およびバス３５０５を含み得る。通信接続が、バス３５０５を使用することによって、メモリ３５０１、トランシーバ３５０２、およびプロセッサ３５０３の間で実行される。
【０４０９】
トランシーバ３５０２は、装置と別のデバイスまたは通信ネットワークとの間で通信を実行するように構成される。
【０４１０】
プロセッサ３５０３は、本発明のこの実施形態で提供される技術的解決策を実施するのに、汎用中央処理装置（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または関係するプログラムを実行する１つもしくは複数の集積回路を使用し得る。
【０４１１】
バス３５０５は、装置の様々な部分（たとえば、メモリ３５０１、トランシーバ３５０２、およびプロセッサ３５０３）の間で情報を転送する経路を含み得る。
【０４１２】
メモリ３５０１、トランシーバ３５０２、プロセッサ３５０３、およびバス３５０５だけが、図３５に示されたハードウェア内に示されているが、特定の実施プロセスでは、当業者が、端末が通常動作を実施するのに必要な別のデバイスをさらに含むことを理解しなければならないことに留意されたい。一方、特定の要件に従って、当業者は、別の機能を実施するハードウェアデバイスがさらに含まれ得ることを理解しなければならない。
【０４１３】
具体的には、図３５に示されたアクセスネットワークデバイスが、図２９に示された実施形態の装置を実施するように構成される時に、装置のトランシーバ３５０２は、ダウンリンク共有チャネルを使用することによってユーザ機器ＵＥにダウンリンクデータを送信し、リアルタイムスケジューリングダウンリンクサブフレームサブセット内のダウンリンクサブフレーム内でスケジューリングされるダウンリンク制御チャネルを使用することによってダウンリンク割当てインデックスＤＡＩインデックスインジケータおよびＤＡＩ総量インジケータをＵＥに送信するように構成され、その結果、ＵＥが、ＤＡＩインデックスインジケータおよびＤＡＩ総量インジケータに従ってフィードバック情報のコードブックを判定するようになり、リアルタイムスケジューリングダウンリンクサブフレームサブセットは、アクセスネットワークデバイスによって実際にスケジューリングされるダウンリンクサブフレームからなるセットであり、フィードバック情報のコードブックは、リアルタイムスケジューリングダウンリンクサブフレームサブセット内のすべてのまたはいくつかのダウンリンクサブフレームに対応し、フィードバック情報のコードブックは、ＵＥがフィードバック情報に対してチャネルコーディングを実行するための基礎であり、アップリンクサブフレーム内で、ＵＥによって送信される、チャネルコーディングがそれに対して実行されたフィードバック情報を受信するように構成される。
【０４１４】
ＤＡＩインデックスインジケータの値およびＤＡＩ総量インジケータの値は、両方とも、前述の方法実施形態の説明に含まれるものと同一であり、詳細は、もはや本明細書では説明されない。
【０４１５】
本発明の別の実施形態では、プロセッサ３５０３は、メモリ３５０１およびトランシーバ３５０２に結合され、プログラム命令の実行を制御するように構成され、特殊なダウンリンク制御チャネルをスケジューリングするように特に構成され、特殊なダウンリンク制御チャネルは、アクセスネットワークデバイスが第２のダウンリンク共有チャネルを使用することによるダウンリンクデータの送出を終了することを可能にするのに使用される。
【０４１６】
本発明の別の実施形態では、トランシーバ３５０２は、リソースインジケータ情報をＵＥに送信し、リソースインジケータ情報は、フィードバック情報を搬送するのに使用される物理リソースを示すのに使用され、アップリンクサブフレーム内の物理リソース内で、物理リソースにマッピングされたフィードバック情報を受信するようにさらに構成される。
【０４１７】
本発明の別の実施形態では、プロセッサ３５０３は、アップリンクサブフレーム内の第１のパラメータを検出し、第１のパラメータは、復調基準信号ＤＭＲＳ部分のシーケンスおよび／または物理リソースの情報部分のシーケンスであり、第１のパラメータに従って、事前に構成されたダウンリンクサブフレームセット内でＵＥによって受信される最後のダウンリンクサブフレームを判定し、最後のダウンリンクサブフレームに従って、フィードバック情報がリアルタイムスケジューリングダウンリンクサブフレームサブセット内のすべてのまたはいくつかのダウンリンクサブフレームに対応すると判定するようにさらに構成される。
【０４１８】
本発明の別の実施形態では、トランシーバ３５０２は、アップリンクサブフレーム内の物理リソース内で、ディスプレイシグナリングおよび物理リソースにマッピングされたフィードバック情報を受信するようにさらに構成され、ディスプレイシグナリングは、事前に構成されたダウンリンクサブフレームセット内でＵＥによって検出される最後のダウンリンクサブフレームをアクセスネットワークデバイスに示すのに使用される。
【０４１９】
本発明の別の実施形態では、プロセッサ３５０３は、ディスプレイシグナリングに従って、リアルタイムスケジューリングダウンリンクサブフレームサブセット内でＵＥによって受信される最後のダウンリンクサブフレームを判定し、最後のダウンリンクサブフレームに従って、フィードバック情報のコードブックがリアルタイムスケジューリングダウンリンクサブフレームサブセット内のすべてのまたはいくつかのダウンリンクサブフレームに対応すると判定するようにさらに構成される。
【０４２０】
本発明の別の実施形態では、プロセッサ３５０３は、チャネルコーディングがそれに対して実行されたフィードバック情報を復号し、復号されたフィードバック情報に対してＣＲＣ検出を実行し、フィードバック情報が正しく復号されたかどうかを判定するようにさらに構成される。
【０４２１】
便宜および短い説明のために、前述の機能モジュールの分割が、例示のための例と受け取られることが、当業者によって明瞭に理解され得る。実際の応用例では、前述の機能が、異なる機能モジュールに割り振られ、要件に従って実施され得る、すなわち、装置の内側の構造が、上で説明された機能のすべてまたはいくつかを実施するために異なる機能モジュールに分割される。前述のシステム、装置、およびユニットの詳細な動作プロセスに関して、前述の方法実施形態の対応するプロセスに対する参照が行われ得、詳細が本明細書でもう一度説明されることはない。
【０４２２】
本願で提供される複数の実施形態では、開示されるシステム、装置、および方法が、他の方式で実施され得ることを理解されたい。たとえば、説明される装置実施形態は、単に例示的である。たとえば、モジュール分割またはユニット分割は、単に論理機能分割であり、実際の実装方式内に他の分割があり得る。たとえば、複数のユニットまたは構成要素が、別のシステムに組み合わされもしくは一体化され得、または、いくつかの特徴が、無視されまたは実行されないことがある。さらに、表示されもしくは議論される相互結合または直接結合または通信接続は、なんらかのインターフェースを使用することによって実施され得る。装置またはユニットの間の間接結合または通信接続は、電子的な形、機械的な形、または他の形で実施され得る。
【０４２３】
別々の部分として説明されるユニットは、物理的に別々であることがあり、そうではないことがあり、ユニットとして表示される部分が、物理ユニットであることがあり、そうではないことがあり、１つの位置に配置されることがあり、または、複数のネットワークユニット上に分散されることがある。ユニットの一部またはすべては、諸実施形態の解決策の目的を達成するための実際の必要に従って選択され得る。
【０４２４】
さらに、本発明の実施形態の機能ユニットが１つの処理ユニットに一体化され得、ユニットのそれぞれが物理的に単独で存在し得、または２つ以上のユニットが１つのユニットに一体化され得る。一体化されたユニットはハードウェアの形で実施され得、または、ソフトウェア機能ユニットの形で実施され得る。
【０４２５】
一体化されたユニットが、ソフトウェア機能ユニットの形で実施され、独立の製品として販売されまたは使用される時に、一体化されたユニットは、コンピュータ可読記憶媒体内に記憶され得る。そのような理解に基づいて、本発明の技術的解決策は本質的に、または従来技術に寄与する部分は、または技術的解決策のすべてまたは一部は、ソフトウェア製品の形で実施され得る。ソフトウェア製品は、記憶媒体内に記憶され、本発明の実施形態で説明された方法のステップのすべてまたは一部を実行するようにコンピュータデバイス（パーソナルコンピュータ、サーバ、またはネットワークデバイスとされ得る）またはプロセッサに命令するための複数の命令を含む。前述の記憶媒体は、ＵＳＢフラッシュドライブ、リムーバブルハードディスク、読取専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなど、プログラムコードを記憶することのできるすべての媒体を含む。
【０４２６】
前述の説明は、単に本発明の特定の実装方式であるが、本発明の保護範囲を限定することは意図されていない。本発明で開示される技術的範囲内で当業者によってたやすく考え出されるすべての変形または置換は、本発明の保護範囲内に含まれなければならない。したがって、本発明の保護範囲は、特許請求の範囲の保護範囲に従うものとする。
【図１】
0006547062.tif 000004
【図２】
0006547062.tif 000005
【図３】
0006547062.tif 000006
【図４】
0006547062.tif 000007
【図５】
0006547062.tif 000008
【図６】
0006547062.tif 000009
【図７】
0006547062.tif 000010
【図８】
0006547062.tif 000011
【図９】
0006547062.tif 000012
【図１０】
0006547062.tif 000013
【図１１】
0006547062.tif 000014
【図１２】
0006547062.tif 000015
【図１３】
0006547062.tif 000016
【図１４】
0006547062.tif 000017
【図１５】
0006547062.tif 000018
【図１６】
0006547062.tif 000019
【図１７】
0006547062.tif 000020
【図１８】
0006547062.tif 000021
【図１９】
0006547062.tif 000022
【図２０】
0006547062.tif 000023
【図２１】
0006547062.tif 000024
【図２２】
0006547062.tif 000025
【図２３】
0006547062.tif 000026
【図２４】
0006547062.tif 000027
【図２５】
0006547062.tif 000028
【図２６】
0006547062.tif 000029
【図２７】
0006547062.tif 000030
【図２８】
0006547062.tif 000031
【図２９】
0006547062.tif 000032
【図３０】
0006547062.tif 000033
【図３１】
0006547062.tif 000034
【図３２】
0006547062.tif 000035
【図３３】
0006547062.tif 000036
【図３４】
0006547062.tif 000037
【図３５】
0006547062.tif 000038